【手続補正書】
【提出日】平成18年9月28日(2006.9.28)
【手続補正１】
【補正対象書類名】明細書
【補正対象項目名】全文
【補正方法】変更
【補正の内容】
【書類名】  明細書
【発明の名称】  ＰＴＨ１ＲおよびＰＴＨ３Ｒレセプター
【特許請求の範囲】
【請求項１】  以下からなる群より選択される配列に少なくとも９５％同一であるヌクレオチド配列を有するポリヌクレオチドを含む、単離された核酸分子：
（ａ）配列番号２における約１〜約５３６位の完全アミノ酸配列を有するＰＴＨ１Ｒレセプターをコードする、ヌクレオチド配列；
（ｂ）配列番号２における約２〜約５３６位のアミノ酸配列を有するＰＴＨ１Ｒレセプターをコードする、ヌクレオチド配列；
（ｃ）配列番号２における約２５〜約５３６位のアミノ酸配列を有する成熟ＰＴＨ１Ｒレセプターをコードする、ヌクレオチド配列；
（ｄ）特許寄託物ＰＴＡ−９１６としてＡＴＣＣに寄託されるｃＤＮＡクローンによってコードされる完全アミノ酸配列を有するＰＴＨ１Ｒレセプターをコードする、ヌクレオチド配列；
（ｅ）特許寄託物ＰＴＡ−９１６としてＡＴＣＣに寄託されるｃＤＮＡによってコードされるアミノ酸配列を有する成熟ＰＴＨ１Ｒレセプターをコードする、ヌクレオチド配列；
（ｆ）ＰＴＨ１Ｒ細胞外ドメインをコードする、ヌクレオチド配列；
（ｇ）ＰＴＨ１Ｒ膜貫通ドメインをコードする、ヌクレオチド配列；および
（ｈ）（ａ）、（ｂ）、（ｃ）、（ｄ）、（ｅ）、（ｆ）または（ｇ）における該ヌクレオチド配列のいずれかに相補的な、ヌクレオチド配列。
【請求項２】  前記ポリヌクレオチドが、配列番号１の完全ヌクレオチド配列を有する、請求項１に記載の核酸分子。
【請求項３】  前記ポリヌクレオチドが、図２Ａ（配列番号２）における完全アミノ酸配列を有するＰＴＨ１Ｒレセプターをコードする配列番号１のヌクレオチド配列を有する、請求項１に記載の核酸分子。
【請求項４】  前記ポリヌクレオチドが、図２Ａ（配列番号２）におけるアミノ酸配列を有する成熟ＰＴＨ１Ｒレセプターをコードする配列番号１のヌクレオチド配列を有する、請求項１に記載の核酸分子。
【請求項５】  前記ポリヌクレオチドが、特許寄託物ＰＴＡ−９１６としてＡＴＣＣに寄託されるｃＤＮＡクローンの完全ヌクレオチド配列を有する、請求項１に記載の核酸分子。
【請求項６】  前記ポリヌクレオチドが、特許寄託物ＰＴＡ−９１６としてＡＴＣＣに寄託されるｃＤＮＡによってコードされる完全アミノ酸配列を有するＰＴＨ１Ｒレセプターをコードするヌクレオチド配列を有する、請求項１に記載の核酸分子。
【請求項７】  前記ポリヌクレオチドが、特許寄託物ＰＴＡ−９１６としてＡＴＣＣに寄託されるｃＤＮＡクローンによってコードされるアミノ酸配列を有する成熟ＰＴＨ１Ｒレセプターをコードするヌクレオチド配列を有する、請求項１に記載の核酸分子。
【請求項８】  請求項１に記載の（ａ）、（ｂ）、（ｃ）、（ｄ）、（ｅ）、（ｆ）または（ｇ）におけるヌクレオチド配列に同一なヌクレオチド配列を有するポリヌクレオチドに、ストリンジェントハイブリダイゼーション条件下でハイブリダイズするポリヌクレオチドを含む、単離された核酸分子であって、ここで、該ハイブリダイズするポリヌクレオチドは、Ａ残基のみまたはＴ残基のみからなるヌクレオチド配列を有するポリヌクレオチドに、ストリンジェントハイブリダイゼーション条件下でハイブリダイズしない、単離された核酸分子。
【請求項９】  請求項１に記載の（ａ）、（ｂ）、（ｃ）、（ｄ）、（ｅ）、（ｆ）または（ｇ）におけるアミノ酸配列を有するＰＴＨ１Ｒレセプターのエピトープ保有部分のアミノ酸配列をコードするポリヌクレオチドを含む、単離された核酸分子。
【請求項１０】  ＰＴＨ１Ｒレセプター細胞外ドメインをコードする、請求項１に記載の単離された核酸分子。
【請求項１１】  ＰＴＨ１Ｒレセプター膜貫通ドメインをコードする、請求項１に記載の単離された核酸分子。
【請求項１２】  組換えベクターを作製するための方法であって、請求項１に記載の単離された核酸分子をベクター内に挿入する工程を包含する、方法。
【請求項１３】  請求項１２に記載の方法によって産生された、組換えベクター。
【請求項１４】  組換え宿主細胞を作製する方法であって、請求項１３に記載の組換えベクターを宿主細胞内に導入する工程を包含する、方法。
【請求項１５】  請求項１４に記載の方法によって産生された、組換え宿主細胞。
【請求項１６】  ＰＴＨ１Ｒポリペプチドを産生するための組換え方法であって、請求項１５に記載の組換え宿主細胞を、該ポリペプチドが発現される条件下で培養する工程、および該ポリペプチドを回収する工程を包含する、方法。
【請求項１７】  以下からなる群より選択される配列に少なくとも９５％同一であるアミノ酸配列を有する、単離されたＰＴＨ１Ｒポリペプチド：
（ａ）配列番号２における約１〜約５３６位の完全アミノ酸配列を有する、ＰＴＨ１Ｒポリペプチドのアミノ酸配列；
（ｂ）配列番号２における約２〜約５３６位のアミノ酸配列を有する、ＰＴＨ１Ｒポリペプチドのアミノ酸配列；
（ｃ）配列番号２における約２５〜約５３６位のアミノ酸配列を有する、成熟ＰＴＨ１Ｒポリペプチドのアミノ酸配列；
（ｄ）特許寄託物ＰＴＡ−９１６としてＡＴＣＣに寄託されるｃＤＮＡクローンによってコードされる完全アミノ酸配列を有する、ＰＴＨ１Ｒポリペプチドのアミノ酸配列；
（ｅ）特許寄託物ＰＴＡ−９１６としてＡＴＣＣに寄託されるｃＤＮＡクローンによってコードされるアミノ酸配列を有する、成熟ＰＴＨ１Ｒポリペプチドのアミノ酸配列；
（ｆ）ＰＴＨ１Ｒレセプター細胞外ドメインのアミノ酸配列；
（ｇ）ＰＴＨ１Ｒレセプター膜貫通ドメインのアミノ酸配列；および
（ｈ）（ａ）、（ｂ）、（ｃ）、（ｄ）、（ｅ）、（ｆ）または（ｇ）のいずれか１つのポリペプチドのエピトープ保有部分のアミノ酸配列。
【請求項１８】  ＰＴＨ１Ｒレセプタータンパク質のエピトープ保有部分を含む、単離されたポリペプチド。
【請求項１９】  請求項１７に記載のＰＴＨ１Ｒレセプターポリペプチドに特異的に結合する、単離された抗体。
【請求項２０】  減少したＰＴＨ１Ｒ活性に関連する疾患および障害を処置するための組成物であって、請求項１７に記載のポリペプチドまたはそのアゴニストを含む、組成物。
【請求項２１】  増加したＰＴＨ１Ｒ活性に関連する疾患および障害を処置するための組成物であって、請求項１７に記載のポリペプチドのアンタゴニストを含む、組成物。
【請求項２２】  以下からなる群より選択される配列に少なくとも９５％同一であるヌクレオチド配列を有するポリヌクレオチドを含む、単離された核酸分子：
（ａ）配列番号４における約１〜約５４２位の完全アミノ酸配列を有するＰＴＨ３Ｒレセプターをコードする、ヌクレオチド配列；
（ｂ）配列番号４における約２〜約５４２位のアミノ酸配列を有するＰＴＨ３Ｒレセプターをコードする、ヌクレオチド配列；
（ｃ）配列番号４における約２２〜約５４２位のアミノ酸配列を有する成熟ＰＴＨ３Ｒレセプターをコードする、ヌクレオチド配列；
（ｄ）特許寄託物ＰＴＡ−９１５としてＡＴＣＣに寄託されるｃＤＮＡクローンによってコードされる完全アミノ酸配列を有するＰＴＨ３Ｒレセプターをコードする、ヌクレオチド配列；
（ｅ）特許寄託物ＰＴＡ−９１５としてＡＴＣＣに寄託されるｃＤＮＡクローンによってコードされるアミノ酸配列を有する成熟ＰＴＨ３Ｒレセプターをコードする、ヌクレオチド配列；
（ｆ）ＰＴＨ３Ｒ細胞外ドメインをコードする、ヌクレオチド配列；
（ｇ）ＰＴＨ３Ｒ膜貫通ドメインをコードする、ヌクレオチド配列；
（ｈ）（ａ）、（ｂ）、（ｃ）、（ｄ）、（ｅ）、（ｆ）または（ｇ）における該ヌクレオチド配列のいずれかに相補的な、ヌクレオチド配列。
【請求項２３】  前記ポリヌクレオチドが、図１Ｄ（配列番号３）の完全ヌクレオチド配列を有する、請求項２２に記載の核酸分子。
【請求項２４】  前記ポリヌクレオチドが、図２Ｂ（配列番号４）における完全アミノ酸配列を有するＰＴＨ３Ｒレセプターをコードする、図１Ｄ（配列番号３）のヌクレオチド配列を有する、請求項２２に記載の核酸分子。
【請求項２５】  前記ポリヌクレオチドが、図２Ｂ（配列番号４）におけるアミノ酸配列を有する成熟ＰＴＨ３Ｒレセプターをコードする、図１Ｄ（配列番号３）のヌクレオチド配列を有する、請求項２２に記載の核酸分子。
【請求項２６】  前記ポリヌクレオチドが、特許寄託物ＰＴＡ−９１５としてＡＴＣＣに寄託されるｃＤＮＡクローンの完全ヌクレオチド配列を有する、請求項２２に記載の核酸分子。
【請求項２７】  前記ポリヌクレオチドが、特許寄託物ＰＴＡ−９１５としてＡＴＣＣに寄託されるｃＤＮＡクローンによってコードされる完全アミノ酸配列を有するＰＴＨ３Ｒレセプターをコードするヌクレオチド配列を有する、請求項２２に記載の核酸分子。
【請求項２８】  前記ポリヌクレオチドが、特許寄託物ＰＴＡ−９１５としてＡＴＣＣに寄託されるｃＤＮＡクローンによってコードされるアミノ酸配列を有する成熟ＰＴＨ３Ｒレセプターをコードするヌクレオチド配列を有する、請求項２２に記載の核酸分子。
【請求項２９】  請求項２２に記載の（ａ）、（ｂ）、（ｃ）、（ｄ）、（ｅ）、（ｆ）、（ｇ）または（ｈ）におけるヌクレオチド配列に同一なヌクレオチド配列を有するポリヌクレオチドに、ストリンジェントハイブリダイゼーション条件下でハイブリダイズするポリヌクレオチドを含む、単離された核酸分子であって、ここで、該ハイブリダイズするポリヌクレオチドは、Ａ残基のみまたはＴ残基のみからなるヌクレオチド配列を有するポリヌクレオチドに、ストリンジェントハイブリダイゼーション条件下でハイブリダイズしない、単離された核酸分子。
【請求項３０】  請求項２２に記載の（ａ）、（ｂ）、（ｃ）、（ｄ）、（ｅ）、（ｆ）、（ｇ）または（ｈ）におけるアミノ酸配列を有するＰＴＨ３Ｒレセプターのエピトープ保有部分のアミノ酸配列をコードするポリヌクレオチドを含む、単離された核酸分子。
【請求項３１】  ＰＴＨ３Ｒレセプター細胞外ドメインをコードする、請求項２２に記載の単離された核酸分子。
【請求項３２】  ＰＴＨ３Ｒレセプター膜貫通ドメインをコードする、請求項２２に記載の単離された核酸分子。
【請求項３３】  組換えベクターを作製するための方法であって、請求項２２に記載の単離された核酸分子をベクター内に挿入する工程を包含する、方法。
【請求項３４】  請求項３３に記載の方法によって産生された、組換えベクター。
【請求項３５】  組換え宿主細胞を作製する方法であって、請求項３４に記載の組換えベクターを宿主細胞内に導入する工程を包含する、方法。
【請求項３６】  請求項３５に記載の方法によって産生された、組換え宿主細胞。
【請求項３７】  ＰＴＨ３Ｒポリペプチドを産生するための組換え方法であって、請求項３６に記載の組換え宿主細胞を、該ポリペプチドが発現される条件下で培養する工程、および該ポリペプチドを回収する工程を包含する、方法。
【請求項３８】  以下からなる群より選択される配列に少なくとも９５％同一であるアミノ酸配列を有する、単離されたＰＴＨ３Ｒポリペプチド：
（ａ）配列番号４における約１〜約５４２位の完全アミノ酸配列を有する、ＰＴＨ３Ｒポリペプチドのアミノ酸配列；
（ｂ）配列番号４における約２〜約５４２位のアミノ酸配列を有する、ＰＴＨ３Ｒポリペプチドのアミノ酸配列；
（ｃ）配列番号４における約２２〜約５４２位のアミノ酸配列を有する、成熟ＰＴＨ３Ｒポリペプチドのアミノ酸配列；
（ｄ）特許寄託物ＰＴＡ−９１５としてＡＴＣＣに寄託されるｃＤＮＡクローンによってコードされる完全アミノ酸配列を有する、ＰＴＨ３Ｒポリペプチドのアミノ酸配列；
（ｅ）特許寄託物ＰＴＡ−９１５としてＡＴＣＣに寄託されるｃＤＮＡクローンによってコードされるアミノ酸配列を有する、成熟ＰＴＨ３Ｒポリペプチドのアミノ酸配列；
（ｆ）ＰＴＨ３Ｒレセプター細胞外ドメインのアミノ酸配列；
（ｇ）ＰＴＨ３Ｒレセプター膜貫通ドメインのアミノ酸配列；および
（ｈ）（ａ）、（ｂ）、（ｃ）、（ｄ）、（ｅ）、（ｆ）または（ｇ）のいずれか１つのポリペプチドのエピトープ保有部分のアミノ酸配列。
【請求項３９】  ＰＴＨ３Ｒレセプタータンパク質のエピトープ保有部分を含む、単離されたポリペプチド。
【請求項４０】  請求項３８に記載のＰＴＨ３Ｒレセプターポリペプチドに特異的に結合する、単離された抗体。
【請求項４１】  減少したＰＴＨ３Ｒ活性に関連する疾患および障害を処置するための組成物であって、請求項３８に記載のポリペプチドまたはそのアゴニストを含む、組成物。
【請求項４２】  増加したＰＴＨ３Ｒ活性に関連する疾患および障害を処置するための組成物であって、請求項３８に記載のポリペプチドのアンタゴニストを含む、組成物。
【請求項４３】  改変されたＰＴＨ３Ｒタンパク質をコードする、単離されたポリヌクレオチドであって、ここで、少なくとも１つの保存的アミノ酸置換を除いて、該改変されたタンパク質は、以下：
（ａ）配列番号４のアミノ酸１〜５４２；
（ｂ）配列番号４のアミノ酸２〜５４２；および
（ｃ）配列番号４のアミノ酸２２〜５４２
からなる群より選択されるメンバーに同一である、アミノ酸配列を有する、
単離されたポリヌクレオチド。
【請求項４４】  改変されたＰＴＨ３Ｒタンパク質であって、ここで、少なくとも１つの保存的アミノ酸置換を除いて、該改変されたタンパク質は、以下：
（ａ）配列番号４のアミノ酸１〜５４２；
（ｂ）配列番号４のアミノ酸２〜５４２；および
（ｃ）配列番号４のアミノ酸２２〜５４２
からなる群より選択されるメンバーに同一である、アミノ酸配列を有する、
改変されたＰＴＨ３Ｒタンパク質。
【請求項４５】  改変されたＰＴＨ１Ｒタンパク質をコードする、単離されたポリヌクレオチドであって、ここで、少なくとも１つの保存的アミノ酸置換を除いて、該改変されたタンパク質は、以下：
（ａ）配列番号２のアミノ酸１〜５３６；
（ｂ）配列番号２のアミノ酸２〜５３６；および
（ｃ）配列番号２のアミノ酸２５〜５３６
からなる群より選択されるメンバーに同一である、アミノ酸配列を有する、
単離されたポリヌクレオチド。
【請求項４６】  改変されたＰＴＨ１Ｒタンパク質であって、ここで、少なくとも１つの保存的アミノ酸置換を除いて、該改変されたタンパク質は、以下：
（ａ）配列番号２のアミノ酸１〜５３６；
（ｂ）配列番号２のアミノ酸２〜５３６；および
（ｃ）配列番号２のアミノ酸２５〜５３６
からなる群より選択されるメンバーに同一である、アミノ酸配列を有する、
改変されたＰＴＨ１Ｒタンパク質。
【請求項４７】  核酸分子を単離するための方法であって、以下
（ａ）配列番号３のフラグメントを核酸プローブとして選択する工程；
（ｂ）３０％ホルムアミド、５×ＳＳＣ（１５０ｍＭ  ＮａＣｌ、１５ｍＭクエン酸三ナトリウム）、５０ｍＭ  リン酸ナトリウム（ｐＨ  ７．６）、５×デンハルト溶液、１０％硫酸デキストラン、および２０ｇ／ｍｌ変性剪断サケ精子ＤＮＡの溶液中、４２℃でのインキュベーションによって、少なくとも１つの試験配列に該プローブを一晩ハイブリダイズさせる工程；および
（ｃ）２×ＳＳＣまたは１×ＳＳＣまたは０．５×ＳＳＣの溶液で、約５５℃または６０℃または６５℃で洗浄することによって、ハイブリダイズされなかったプローブを除去する工程；
（ｄ）該プローブによって結合された標的配列を同定する工程、
を包含する、方法であって、
ここで、該同定された標的配列は、以下：
（ｅ）配列番号４における約1〜約５２３位の完全アミノ酸配列を有するＰＴＨ３Ｒレセプターをコードする、ヌクレオチド配列；
（ｆ）配列番号４における約２〜約５２３位のアミノ酸配列を有するＰＴＨ３Ｒレセプターをコードする、ヌクレオチド配列；
（ｇ）配列番号４における約２２〜約５２３位のアミノ酸配列を有する成熟ＰＴＨ３Ｒレセプターをコードする、ヌクレオチド配列；
（ｈ）特許寄託物ＰＴＡ−９１５としてＡＴＣＣに寄託されるｃＤＮＡクローンによってコードされる完全アミノ酸配列を有するＰＴＨ３Ｒレセプターをコードする、ヌクレオチド配列；
（ｉ）特許寄託物ＰＴＡ−９１５としてＡＴＣＣに寄託されるｃＤＮＡクローンによってコードされるアミノ酸配列を有する成熟ＰＴＨ３Ｒレセプターをコードする、ヌクレオチド配列；
（ｊ）ＰＴＨ３Ｒ細胞外ドメインをコードする、ヌクレオチド配列；
（ｋ）ＰＴＨ３Ｒ膜貫通ドメインをコードする、ヌクレオチド配列；
（ｌ）（ｅ）、（ｆ）、（ｇ）、（ｈ）、（ｉ）、（ｊ）または（ｋ）における該ヌクレオチド配列のいずれかに相補的な、ヌクレオチド配列
からなる群より選択される配列に少なくとも約７０％同一である、方法。
【発明の詳細な説明】
【０００１】
（発明の背景）
（連邦政府の援助による研究および開発の下でなされた発明に対する権利の陳述）
本発明の開発中になされた研究の一部は、米国政府資金を利用した。米国政府は、本発明において特定の権利を有する。
【０００２】
（発明の分野）
本発明は、分子生物学、発生生物学、生理学、神経生物学および薬学の分野に関連する。本発明は、ゼブラフィッシュＰＴＨ１Ｒレセプターをコードするポリヌクレオチドおよび新規のゼブラフィッシュＰＴＨ３Ｒレセプターについてのポリヌクレオチド、ならびにこのポリヌクレオチドを含むベクターおよび細胞を提供する。本発明は、ＲＴＨ１ＲレセプターおよびＰＴＨ３Ｒレセプターについてのポリペプチドをさらに提供する。本発明のポリヌクレオチドおよびポリペプチドは、ＰＴＨ１Ｒレセプターの機能またはＰＴＨ３Ｒレセプターの機能のアゴニストおよびアンタゴニストの同定のために有用であり、そしてＰＴＨ１Ｒの機能またはＰＴＨ３Ｒの機能と関連する疾患または障害の処置における試薬として有用である。
【０００３】
（関連技術）
副甲状腺ホルモン（ＰＴＨ）／ＰＴＨ関連ペプチド（ＰＴＨｒＰ）レセプター（ＰＴＨ１Ｒ）は、哺乳動物およびカエルにおいて、ＰＴＨおよびＰＴＨｒＰの作用を媒介する。両方のペプチドは、共通の祖先遺伝子から遺伝子重複事象を介しておそらく進化し、そしてアミノ末端領域内に維持された限定された相同性を有する。それらの構造的な保存から、ＰＴＨおよびＰＴＨｒＰは、類似の親和性でＰＴＨ１Ｒに結合し、そして類似または区別のつかない効力でこの共通のレセプターを活性化する。この独特のリガンド特異性のために、ＰＴＨ１Ｒは、哺乳動物におけるカルシウムホメオスタシスのもっとも重要なペプチド調節因子であるＰＴＨの内分泌作用、および正常な軟骨細胞の増殖および分化（Ｋａｒａｐｌｉｓら、（１９９７）；Ｌａｎｓｋｅら、（１９９６））のために、およびおそらく他の、まだ完全に規定されていない機能（膵臓の発生、皮膚の発生、および胸部の発生、ならびに歯の萠出を含む（Ｗｙｓｏｌｍｅｒｓｋｉら、（１９９６））のために重要である、ＰＴＨｒＰのオートクライン／パラクリン作用を媒介する。
【０００４】
ＰＴＨ１Ｒに加えて、ＰＴＨ２型レセプター（ＰＴＨ２Ｒ）が、哺乳動物および真骨魚類から単離されており（Ｕｓｄｉｎら、（１９９５）；Ｒｕｂｉｎら、（１９９９））、そして少なくともヒトＰＴＨ２Ｒは、ＰＴＨおよび最近単離された視床下部ペプチドにより活性化される（Ｕｓｄｉｎら、（１９９９））。増えつつある生物学的証拠および薬理学的証拠が存在するさらなるレセプターの重要性が不確定であるのと同様に、その生物学的重要性は、不確定なままである。例えば、アミノ末端ＰＴＨおよびＰＴＨｒＰについての特異性を有するレセプターが、ケラチノサイト、扁平癌腫細胞株、および中枢神経系細胞について記載されており（Ｏｒｌｏｆｆら、（１９９５および１９９６）；Ｆｕｋａｙａｍａら、（１９９５））、そして哺乳動物視索上核におけるＰＴＨｒＰ選択的レセプターについての証拠が存在する（Ｙａｍａｍｏｔｏら、（１９９７）および（１９９８））。さらに、ＰＴＨｒＰの中領域部分は、いくつかの細胞株中の細胞内の遊離カルシウムの増加を刺激し、そして胎盤カルシウム輸送を増加させ（Ｋｏｖａｃｓら、（１９９６）；Ｗｕら、（１９９６）；Ｏｒｌｏｆｆら、（１９９６））、そしてＰＴＨのカルボキシ末端部分は、クローン細胞株上の別のレセプターと結合する（Ｉｎｏｍａｔａら、（１９９５）；Ｔａｋａｓｕら、（１９９８））。
【０００５】
副甲状腺ホルモン（ＰＴＨ）に関する調査は、広範囲にわたる。ＰＴＨの処方物およびＰＴＨ活性を有する化合物が、記載されており（米国特許第５，４９６，８０１号；同第５，８１４，６０３号；同第５,２０８,０４１号を参照のこと）そしてＰＴＨの処方物およびＰＴＨ活性を有する化合物を産生する方法もまた公知である（米国特許第５,６１６,５６０号および同第５，０１０，０１０号を参照のこと）。さらに、ＰＴＨのアナログおよびＰＴＨのインヒビターが、先行技術において見出され得る（米国特許第４，４２３，０３７号；同第５，６９３，６１６号；同第５，６９５，９５５号および同第５，７９８，２２５号を参照のこと）。
【０００６】
従って、本発明は、ＰＴＨレセプターに注目し、そしてＰＴＨと異なりかつ別個である試薬および方法を提供することにより、この技術を促進する。
【０００７】
（本発明の要旨）
本発明は、細菌宿主中に図２Ａにおいて示されるアミノ酸配列（配列番号２）または特許寄託物ＰＴＡ−９１６として１９９９年１１月４日にＡＴＣＣに寄託されたｃＤＮＡクローンによりコードされるアミノ酸配列を有する新規のＰＴＨ１Ｒレセプターをコードするポリヌクレオチドを含む単離された核酸分子を提供する。本発明はまた、本発明の単離された核酸分子を含む組換えベクター、および組換えベクターを含む宿主細胞、ならびにこのようなベクターおよび宿主細胞を作製する方法および組換え技術によるＰＴＨ１ＲポリペプチドまたはＰＴＨ１Ｒペプチドの産生のためにこれらを用いる方法に関する。本発明は、本明細書中に記載されるポリヌクレオチドによりコードされるアミノ酸配列を有する単離されたＰＴＨ１Ｒポリペプチドをさらに提供する。
【０００８】
本発明はまた、細菌宿主中に図２Ｂにおいて示されるアミノ酸配列（配列番号４）または特許寄託物ＰＴＡ−９１５として１９９９年１１月４日にＡＴＣＣに寄託されたｃＤＮＡクローンによりコードされるアミノ酸配列を有する新規のＰＴＨ３Ｒレセプターをコードするポリヌクレオチドを含む単離された核酸分子を提供する。本発明はまた、本発明の単離された核酸分子を含む組換えベクター、および組換えベクターを含む宿主細胞、ならびにこのようなベクターおよび宿主細胞を作製する方法および組換え技術によるＰＴＨ３ＲポリペプチドまたはＰＴＨ３Ｒペプチドの産生のためにこれらを用いる方法に関する。本発明は、本明細書中に記載されるポリヌクレオチドによりコードされるアミノ酸配列を有する単離されたＰＴＨ３Ｒポリペプチドをさらに提供する。
【０００９】
本発明はまた、ＰＴＨ１ＲレセプターまたはＰＴＨ３Ｒレセプターにより誘導される細胞応答を増強しまたは阻害することが可能である化合物を同定するためのスクリーニング方法を提供し、この方法は、ＰＴＨ１ＲレセプターまたはＰＴＨ３Ｒレセプターを発現する細胞を候補化合物と接触させる工程、細胞応答をアッセイする工程、および細胞応答を標準細胞応答と比較する工程を含み、接触が候補化合物の非存在においてなされる場合、標準がアッセイされ；これにより、標準に対して増加した細胞応答は、この化合物がアゴニストであることを示し、そして標準に対して減少した細胞応答は、この化合物がアンタゴニストであることを示す。
【００１０】
別の局面において、アゴニストおよびアンタゴニストについてのスクリーニングアッセイが提供され、このアッセイは、ＰＴＨ１ＲレセプターまたはＰＴＨ３Ｒレセプターに対するＰＴＨまたはＰＴＨｒＰ結合に関して候補化合物が有する効果を決定する工程を包含する。特に、この方法は、ＰＴＨ１ＲレセプターまたはＰＴＨ３Ｒレセプターを、ＰＴＨポリペプチドまたはＰＴＨｒＰポリペプチドおよび候補化合物と接触させる工程、ならびにＰＴＨ１ＲレセプターまたはＰＴＨ３Ｒレセプターに対するＰＴＨポリペプチドまたはＰＴＨｒＰポリペプチドの結合が候補化合物の存在に起因して増加するかまたは減少するかを決定する工程を包含する。
【００１１】
本発明のさらなる局面は、体内で増加したレベルのＰＴＨ１Ｒ活性またはＰＴＨ３Ｒ活性を必要とする個体を処置するための方法に関し、この方法は、治療的有効量の本発明の単離されたＰＴＨ１ＲポリペプチドまたはＰＴＨ３Ｒポリペプチドまたはそのアゴニストを含む組成物をこのような個体に投与する工程を含む。
【００１２】
本発明のなおさらなる局面は、体内で減少したレベルのＰＴＨ１Ｒレセプター活性またはＰＴＨ３Ｒレセプター活性を必要とする個体を処置するための方法に関し、この方法は、治療的有効量のＰＴＨ１ＲアンタゴニストまたはＰＴＨ３Ｒアンタゴニストを含む組成物をこのような個体に投与する工程を含む。
【００１３】
本発明は、ＰＴＨ１ＲまたはＰＴＨ３Ｒのレセプターの発現または機能と関連した疾患および障害の診断または予後の間に有用な診断方法をさらに提供する。
【００１４】
（好ましい実施形態の詳細な説明）
本発明は、新規のＰＴＨレセプター核酸およびＰＴＨレセプタータンパク質を提供する（ＲｕｂｉｎおよびＪｕｅｐｐｎｅｒ、（１９９９））。さらに詳細には、本発明は、クローン化されたｃＤＮＡを配列決定することにより決定された、図２Ａ（配列番号２）において示されているアミノ酸配列を有する新規のＰＴＨ１Ｒポリペプチドをコードするポリヌクレオチドを含む単離された核酸分子を提供する。本発明のＰＴＨ１Ｒタンパク質は、以前に同定されたＰＴＨ１Ｒ配列およびＰＴＨ２Ｒ配列との配列相同性を共有する。配列番号１のヌクレオチド配列は、１９９９年１１月４日に、Ａｍｅｒｉｃａｎ  Ｔｙｐｅ  Ｃｕｌｔｕｒｅ
Ｃｏｌｌｅｃｔｉｏｎ、１０８０１  Ｕｎｉｖｅｒｓｉｔｙ  Ｂｏｕｌｅｖａｒｄ、Ｍａｎａｓｓａｓ、Ｖｉｒｇｉｎｉａ  ２０１１０−２２０９に寄託され、そして受託番号ＰＴＡ−９１６を与えられたｃＤＮＡクローン（ｚＰＴＨ１Ｒ）を配列決定することにより得られた。このｃＤＮＡは、プラスミドｐｃＤＮＡＩ／Ａｍｐ（Ｉｎｖｉｔｒｏｇｅｎ）のＥｃｏＲＩ部位とＳｐｈＩ部位との間に挿入された。
【００１５】
本発明はまた、クローン化されたｃＤＮＡを配列決定することにより決定された、図２Ｂ（配列番号４）において示されるアミノ酸配列を有する新規のＰＴＨ３Ｒポリペプチドをコードするポリヌクレオチドを含む単離された核酸分子を提供する。本発明のＰＴＨ３Ｒタンパク質は、本発明のＰＴＨ１Ｒタンパク質配列および以前の他のＰＴＨ１Ｒタンパク質配列およびＰＴＨ２Ｒタンパク質配列との配列相同性を共有する。図１Ｄにおいて示されるヌクレオチド配列（配列番号３）は、１９９９年１１月４日に、Ａｍｅｒｉｃａｎ  Ｔｙｐｅ  Ｃｕｌｔｕｒｅ  Ｃｏｌｌｅｃｔｉｏｎ、１０８０１  Ｕｎｉｖｅｒｓｉｔｙ  Ｂｏｕｌｅｖａｒｄ、Ｍａｎａｓｓａｓ、Ｖｉｒｇｉｎｉａ  ２０１１０−２２０９で寄託され、そして受託番号ＰＴＡ−９１５を与えられたｃＤＮＡクローン（ｚＰＴＨ３Ｒ）を配列決定することにより得られた。このｃＤＮＡは、プラスミドｐｃＤＮＡＩ／Ａｍｐ（Ｉｎｖｉｔｒｏｇｅｎ）のＢａｍＨＩ部位とＮｏｔＩ部位との間に挿入された。
【００１６】
（核酸分子）
そうでないと示されない限り、本明細書中のＤＮＡ分子を配列決定することにより決定された全てのヌクレオチド配列は、手作業（ｍａｎｕａｌ）配列決定により決定され、そして本明細書中で決定されたＤＮＡ分子によりコードされるポリペプチドの全てのアミノ酸配列は、上記のように決定されたＤＮＡ配列の翻訳により予測された。従って、このアプローチにより決定される任意のＤＮＡ配列について当該分野において公知のように、本明細書中で決定される任意のヌクレオチド配列は、いくつかの誤りを含み得る。手作業の配列決定により決定されるヌクレオチド配列は代表的に、配列決定されたＤＮＡ分子の実際のヌクレオチド配列に対して、少なくとも約９５％から少なくとも約９９．９％同一である。当該分野においてまた公知のように、実際の配列と比較して、決定されたヌクレオチド配列における単一の挿入または単一の欠失は、ヌクレオチド配列の翻訳においてフレームシフトを引き起こし、その結果、決定されたヌクレオチド配列によりコードされる予測されたアミノ酸配列は、このような挿入または欠失の点で始まって、配列決定されたＤＮＡ分子により実際にコードされたアミノ酸配列とは完全に異なる。
【００１７】
配列番号１または配列番号３のヌクレオチド配列のような、本明細書中で提供される情報を使用して、それぞれＰＴＨ１ＲポリペプチドまたはＰＴＨ３Ｒポリペプチドをコードする本発明の核酸分子は、標準的クローニング手順および標準的スクリーニング手順（例えば、出発物質としてｍＲＮＡを使用してｃＤＮＡをクローニングするための手順）を使用して、得られ得る。本発明の例示として、配列番号１に記載される核酸分子は、ゼブラフィッシュ成体から単離された総ＲＮＡを用いて、ポリメラーゼ連鎖反応（ＰＣＲ）においてオリゴヌクレオチドプライマーを使用して発見された。配列番号１のＰＴＨ１Ｒ  ｃＤＮＡの決定されたヌクレオチド配列は、約２４のアミノ酸残基の予測されたリーダー配列を有し、そして非グリコシル化形態について約６１．４ｋＤａの推定分子量を有する約５３６のアミノ酸残基のタンパク質をコードするオープンリーディングフレームを含む。予測された成熟ＰＴＨ１Ｒレセプターのアミノ酸配列は、アミノ酸残基約２５〜残基約５３６まで図２Ａに示す。図２Ａ（配列番号２）において示されるＰＴＨ１Ｒタンパク質は、ヒトＰＴＨ１Ｒ配列に対して約７６％同一であり、そしてヒトＰＴＨ２Ｒ配列に対して約６８％同一である。
【００１８】
本発明の例示はまた、ゼブラフィッシュｃＤＮＡライブラリー（Ｃｌｏｎｔｅｃｈ）において発見された、図１Ｄに記載される核酸分子（配列番号３）である。図１Ｄの決定されたヌクレオチド配列（配列番号３）は、約２１のアミノ酸残基の予測されたリーダー配列を有し、そして約５９．２ｋＤａの推定分子量を有する、約５４２のアミノ酸残基のタンパク質をコードするオープンリーディングフレームを含む。図２Ｂ（配列番号４）において示されるＰＴＨ３Ｒタンパク質は、それぞれヒトＰＴＨ１ＲおよびヒトＰＴＨ２Ｒに対して約６８％および５７％類似する。
【００１９】
示されるように、本発明はまた、本発明のＰＴＨ１ＲレセプターおよびＰＴＨ３Ｒレセプターの成熟形態を提供する。シグナル仮説に従って、哺乳動物細胞により分泌されるタンパク質は、一旦粗面小胞体を横切った、成長するタンパク質鎖の輸送が開始されると成熟タンパク質から切断される、シグナル配列または分泌リーダー配列を有する。大部分の哺乳動物細胞およびさらに昆虫細胞は、分泌タンパク質を同じ特異性で切断する。しかし、いくつかの場合において、分泌タンパク質の切断は、完全には均一でなく、このタンパク質に関して２つ以上の成熟種を生じる。さらに、分泌タンパク質の切断特異性は、完全なタンパク質の一次構造により最終的に決定されること、つまり、そのポリペプチドのアミノ酸配列において固有であることが、長い間公知であった。従って、本発明は、細菌宿主中に１９９９年１１月４日に特許寄託物ＰＴＡ−９１６としてＡＴＣＣに寄託され、そして図２Ａ（配列番号２）において示されるようなｃＤＮＡクローンによりコードされるアミノ酸配列を有する成熟ＰＴＨ１Ｒポリペプチドをコードするヌクレオチド配列を提供する。本発明はまた、細菌宿主中に１９９９年１１月４日に特許寄託物ＰＴＡ−９１５としてＡＴＣＣに寄託され、そして図２Ｂ（配列番号４）において示されるようなｃＤＮＡクローンによりコードされるアミノ酸配列を有する成熟ＰＴＨ３Ｒポリペプチドをコードするヌクレオチド配列を提供する。特許寄託物ＰＴＡ−９１６としてＡＴＣＣに寄託される細菌宿主中に含まれるｃＤＮＡクローンによりコードされるアミノ酸配列を有する成熟ＰＴＨ１Ｒタンパク質により、寄託された宿主中のベクターの中に含まれるクローンのゼブラフィッシュＤＮＡ配列によりコードされる完全なオープンリーディングフレームの哺乳動物細胞（例えば、以下に記載されるようなＣＯＳ細胞）における発現により産生されるＰＴＨ１Ｒレセプターの成熟形態を意味する。特許寄託物ＰＴＡ−９１５としてＡＴＣＣに寄託される細菌宿主中に含まれるｃＤＮＡクローンによりコードされるアミノ酸配列を有する成熟ＰＴＨ３Ｒタンパク質により、寄託される宿主中のベクターの中に含まれるクローンのゼブラフィッシュＤＮＡ配列によりコードされる完全なオープンリーディングフレームの哺乳動物細胞（例えば、以下に記載されるようなＣＯＳ細胞）における発現により産生されるＰＴＨ３Ｒレセプターの成熟形態を意味する。以下で示されるように、特許寄託物ＰＴＡ−９１６としてＡＴＣＣに寄託されるｃＤＮＡクローンによりコードされるアミノ酸配列を有する成熟ＰＴＨ１Ｒレセプターにより、予測される切断の精度に依存して図２Ａ（約２５〜約５３６のアミノ酸）において示される予測された「成熟」ＰＴＨ１Ｒタンパク質と異なってもよいし異ならなくてもよい。特許寄託物ＰＴＡ−９１５としてＡＴＣＣに寄託されるｃＤＮＡクローンによりコードされるアミノ酸配列を有する成熟ＰＴＨ３Ｒレセプターは、予測される切断部位の精度に依存して図２Ｂ（約２２〜約５４２のアミノ酸）において示される予測された「成熟」ＰＴＨ３Ｒタンパク質と異なってもよいし異ならなくてもよい。
【００２０】
このリーダー配列について、タンパク質が分泌リーダーならびに切断点を有するか否かを推定するための方法は、利用可能である。例えば、ＭｃＧｅｏｃｈ（Ｖｉｒｕｓ  Ｒｅｓ．３：２７１−２８６（１９８５））の方法およびｖｏｎ  Ｈｅｉｎｊｅ（Ｎｕｃｌｅｉｃ  Ａｃｉｄｓ  Ｒｅｓ．１４：４６８３−４６９０（１９８６））の方法が用いられ得る。これらの方法の各々について、公知の哺乳動物分泌タンパク質の切断点を推定することの精度は、７５〜８０％の範囲にある（ｖｏｎ  Ｈｅｉｎｊｅ、前出）。しかし、この２つの方法は、所定のタンパク質について同じ推定切断点を必ずしも生じない。計算的な方法は、コンピュータープログラム「ＰＳＯＲＴ」（Ｋ．ＮａｋａｉおよびＭ．Ｋａｎｅｈｉｓａ，Ｇｅｎｏｍｉｃｓ  １４：８９７−９１１（１９９２））において見出され得、それは、アミノ酸配列に基づくタンパク質の細胞位置を推定するためのエキスパートシステムである。局在のこの計算的な推定の一部として、ＭｃＧｅｏｃｈおよびｖｏｎ  Ｈｅｉｎｊｅの方法が援用される。
【００２１】
この場合では、本発明の完全なＰＴＨ１ＲポリペプチドおよびＰＴＨ３Ｒポリペプチドの推定アミノ酸配列は、構造的特性について、ラットＰＴＨ１Ｒ配列に対する比較により分析された。この分析は、図２Ａ（配列番号２）のアミノ酸２４とアミノ酸２５との間の推定切断部位、および図２Ｂ（配列番号４）のアミノ酸２１とアミノ酸２２との間の推定切断部位を提供する。従って、ＰＴＨ１Ｒレセプタータンパク質についてのこのリーダー配列は、図２Ａにおけるアミノ酸残基１〜２４（配列番号２におけるアミノ１〜２４）からなると推定されるが、一方、推定成熟ＰＴＨ１Ｒタンパク質は、残基２５〜５３６（配列番号２におけるアミノ酸２５〜５３６）からなる。ＰＴＨ３Ｒレセプタータンパク質についてのこのリーダー配列は、図２Ｂにおけるアミノ酸残基１〜２１（配列番号４におけるアミノ酸１〜２１）からなると測定されるが、一方、推定成熟ＰＴＨ３Ｒタンパク質は、残基２２〜５４２（配列番号４におけるアミノ酸２２〜５４２）からなる。
【００２２】
示されるように、本発明の核酸分子は、ＲＮＡの形態（例えば、ｍＲＮＡ）、またはＤＮＡの形態（例えば、クローニングまたは合成的に生成されることにより得られるｃＤＮＡおよびゲノムＤＮＡが挙げられる）であり得る。このＤＮＡは、二本鎖であってもよいし、一本鎖であってもよい。一本鎖ＤＮＡまたはＲＮＡは、コード鎖（センス鎖としても公知である）であり得、またはそれらは、非コード鎖（アンチセンス鎖ともいわれる）であり得る。
【００２３】
しかし、当業者が理解するように、配列決定誤差の可能性に起因して、寄託されたｃＤＮＡによってコードされるＰＴＨ１Ｒレセプターポリペプチドは、約５３６アミノ酸を含むが、しかし概して５１０〜５６１アミノ酸の範囲であり得；そしてこのタンパク質のリーダー配列は、約２４アミノ酸であるが、概して約１０〜約３０アミノ酸の範囲であり得る。しかし、当業者がまた理解するように、配列決定誤差の可能性に起因して、寄託されたｃＤＮＡによってコードされるＰＴＨ３Ｒレセプターポリペプチドは、約５４２アミノ酸を含むが、しかし概して５００〜５５０アミノ酸の範囲であり得；そしてこのタンパク質のリーダー配列は、約２４アミノ酸であるが、概して約１５〜約３５アミノ酸の範囲であり得る。
【００２４】
示されるように、本発明の核酸分子は、ＲＮＡの形態（例えば、ｍＲＮＡ）、またはＤＮＡの形態（例えば、クローニングまたは合成的に生成されることにより得られるｃＤＮＡおよびゲノムＤＮＡが挙げられる）であり得る。このＤＮＡは、二本鎖であってもよいし、一本鎖であってもよい。一本鎖ＤＮＡまたは一本鎖ＲＮＡは、コード鎖（センス鎖としても公知である）であり得、またはそれらは、非コード鎖（アンチ鎖ともいわれる）であり得る。
【００２５】
「単離された」核酸分子は、そのネイティブな環境から取り出された核酸分子、ＤＮＡまたはＲＮＡが意図される。例えば、ベクターに含まれる組換えＤＮＡ分子は、本発明の目的のために単離されたとみなされる。単離されたＤＮＡ分子のさらなる例は、異種宿主細胞中で維持される組換えＤＮＡ分子、または溶液中の（部分的または実質的に）精製されたＤＮＡ分子を含む。単離されたＲＮＡ分子は、本発明のＤＮＡ分子のインビボまたはインビトロでのＲＮＡ転写物を含む。本発明に従って単離された核酸分子は、合成的に生成されたそのような分子をさらに含む。
【００２６】
本発明の単離された核酸分子は、配列番号１または配列番号３に示されるオープンリーディングフレーム（ＯＲＦ）を含むＤＮＡ分子を含み；ＤＮＡ分子は、図２Ａに示されるＰＴＨ１Ｒレセプター（配列番号２）、または図２Ｂに示されるＰＴＨ３Ｒレセプター（配列番号４）に関するコード配列を含み；そして上記の配列と実質的に異なる（しかしこれは、遺伝コードの縮重に起因する）配列を含むＤＮＡ分子は、ＰＴＨ１ＲレセプターまたはＰＴＨ３Ｒレセプターをなおコードする。もちろん、遺伝コードは、当該分野で周知である。従って、そのように縮重した改変体を生成することは、当業者にとって慣用的である。
【００２７】
別の局面では、本発明は、１９９９年１１月４日に特許寄託物ＰＴＡ−９１６としてＡＴＣＣに寄託されたプラスミドに含まれるｃＤＮＡクローンによりコードされるアミノ酸配列を有するＰＴＨ１Ｒポリペプチドをコードする、単離された核酸分子を提供する。別の局面では、本発明は、１９９９年１１月４日に特許寄託物ＰＴＡ−９１５としてＡＴＣＣに寄託されたプラスミドに含まれるｃＤＮＡクローンによりコードされるアミノ酸配列を有するＰＴＨ３Ｒポリペプチドをコードする、単離された核酸分子を提供する。好ましくは、これらの核酸分子は、上記の寄託されたｃＤＮＡクローンによりコードされる成熟ポリペプチドをコードする。さらなる実施形態では、ＰＴＨ１ＲポリペプチドまたはＰＴＨ３Ｒポリペプチド、あるいはＮ末端のメチオニンを欠くＰＴＨ１ＲポリペプチドまたはＰＴＨ３Ｒポリペプチドをコードする核酸分子が、提供される。本発明はまた、配列番号１に示されるヌクレオチド配列を有する単離された核酸分子、または上記の寄託されたクローンに含まれるＰＴＨ１ＲのｃＤＮＡのヌクレオチド配列、あるいは上記の配列の１つに相補的な配列を有する核酸分子を提供する。そのような単離された分子、特にＤＮＡ分子は、染色体とのインサイチュハイブリダイズゼーションにより、遺伝子地図のためのプローブとして、および例えば、ノーザンブロット分析によって、ヒト組織におけるＰＴＨ１Ｒ遺伝子の発現を検出するためのプローブとして有用である。本発明はまた、配列番号３に示されるヌクレオチド配列を有する単離された核酸分子、または上記の寄託されたクローンに含まれるｃＤＮＡのヌクレオチド配列、あるいは上記の配列の１つに相補的な配列を有する核酸分子を提供する。そのような単離された分子、特にＤＮＡ分子は、染色体とのインサイチュハイブリダイゼーションにより、遺伝子地図のためのプローブとして、および例えば、ノーザンブロット分析により、ヒト組織におけるＰＴＨ１Ｒ遺伝子の発現を検出するためのプローブとして有用である。
【００２８】
本発明は、さらに、本明細書中に記載される単離された核酸分子のフラグメントにさらに関する。寄託されたｃＤＮＡのヌクレオチド配列、あるいは配列番号１または配列番号３に示されるヌクレオチド配列を有する単離された核酸分子のフラグメントは、本明細書中で議論されるような診断的プローブおよびプライマーとして有用である、長さが少なくとも約１５ｎｔ、およびより好ましくは少なくとも約２０ｎｔ、さらにより好ましくは少なくとも約３０ｎｔ、そしてなおより好ましくは少なくとも約４０ｎｔのフラグメントが意図される。もちろん、長さが約５０ｎｔ〜１５５０ｎｔのより大きなフラグメント、およびより好ましくは、長さが少なくとも約６００ｎｔのフラグメントもまた、本発明に従って有用であり、同様に、寄託されたｃＤＮＡまたは配列番号１もしくは配列番号３に示されるようなヌクレオチド配列の、全てではなくとも、ほぼ対応するフラグメントも有用である。例えば、長さが少なくとも２０ｎｔのフラグメントは、寄託されたｃＤＮＡのヌクレオチド配列または配列番号１もしくは配列番号３に示されるようなヌクレオチド配列由来の２０以上の連続した塩基を含むフラグメントが意図される。
【００２９】
本発明の好ましい核酸フラグメントは、以下をコードする核酸分子を含む：ＰＴＨ１Ｒレセプター細胞外ドメイン（図２Ａにおいて約２５〜約１４７のアミノ酸残基（または、配列番号２の約２５〜約１４７のアミノ酸残基）を構成することが推定される）を含むポリペプチド；ＰＴＨ１Ｒレセプター膜貫通ドメイン（図２Ａにおいて約１４８〜約４１６のアミノ酸残基（または、配列番号２の約１４８〜約４１６のアミノ酸残基）を構成することが推定される）を含むポリペプチド；および膜貫通ドメインの全てまたは一部が欠失した、ＰＴＨ１Ｒレセプター細胞外ドメインを含むポリペプチド。上記のようにリーダー配列を用いて、ＰＴＨ１Ｒレセプター細胞外ドメインおよびＰＴＨ１Ｒレセプター膜貫通ドメインを含むアミノ酸残基が、推定された。従って、当業者が理解するように、これらのドメインを構成しているアミノ酸残基は、各々のドメインを定義するために用いられる判定基準に依存して、わずかに（例えば、約１〜約１５のアミノ酸残基）変化し得る。
【００３０】
本発明の好ましい核酸フラグメントはまた、以下をコードする核酸分子を含む：ＰＴＨ３Ｒレセプター細胞外ドメイン（図２Ｂにおいて約２２〜約１４５のアミノ酸残基（または、配列番号４の約２２〜約１４５のアミノ酸残基）を構成することが推定される）を含むポリペプチド；ＰＴＨ３Ｒレセプター膜貫通ドメイン（図２Ｂにおいて約１４６〜約４０２のアミノ酸残基（または、配列番号４の約１４６〜約４０２のアミノ酸残基）を構成することが推定される）を含むポリペプチド；および膜貫通ドメインの全てまたは一部が欠失した、ＰＴＨ３Ｒレセプター細胞外ドメインを含むポリペプチド。上記のようにリーダー配列を用いて、コンピューター分析によりＰＴＨ３Ｒレセプター細胞外ドメインおよびＰＴＨ３Ｒレセプター膜貫通ドメインを含むアミノ酸残基が、推定された。従って、当業者が理解するように、これらのドメインを構成しているアミノ酸残基は、各々のドメインを定義するために用いられる判定基準に依存して、わずかに（例えば、約１〜約１５のアミノ酸残基）変化し得る。
【００３１】
本発明の好ましい核酸フラグメントはまた、ＰＴＨ１Ｒレセプタータンパク質またはＰＴＨ３Ｒレセプタータンパク質のエピトープ保有部分をコードする核酸分子を含む。当業者に公知であるように、核酸配列は、本明細書中にコードされるポリペプチド配列を推定するために使用され得る。次いで、そのような情報は、この分析により同定される抗原決定基をコードする、対応するポリヌクレオチド領域に関連すし得るポリペプチドにおいて、抗原決定基を推定するために使用され得る。ポリペプチドの抗原決定基を推定するための方法は、当該分野で周知である。
【００３２】
ＰＴＨ１Ｒタンパク質またはＰＴＨ３Ｒタンパク質の他のそのようなエピトープ保有部分を決定するための方法は、以下に詳細に記載される。
【００３３】
別の局面では、本発明は、上記の本発明の核酸分子（例えば、特許寄託物ＰＴＡ−９１５または特許寄託物ＰＴＡ−９１６としてＡＴＣＣに寄託された細菌宿主中に含まれるｃＤＮＡクローン）中のポリヌクレオチドの一部分に対してストリンジェントなハイブリダイゼーション条件下でハイブリダイズするポリヌクレオチドを含む、単離された核酸分子を提供する。「ストリンジェントなハイブリダイゼーション条件」は、５０％ホルムアミド、５×ＳＳＣ（１５０ｍＭ  ＮａＣｌ、１５ｍＭ  クエン酸三ナトリウム）、５０ｍＭリン酸ナトリウム（ｐＨ７．６）、５×デンハート溶液、１０％デキストラン硫酸、および２０ｇ／ｍｌの変性、剪断されたサケ精子ＤＮＡを含む溶液中で４２℃での一晩のインキュベーション、続いて、約６５℃にて０．１×ＳＳＣ中でそのフィルターを洗浄することが、意図される。
【００３４】
別の局面では、本発明は、上記の本発明の核酸分子（例えば、特許寄託物ＰＴＡ−９１５または特許寄託物ＰＴＡ−９１６としてＡＴＣＣに寄託された細菌宿主中に含まれるｃＤＮＡクローン）中のポリヌクレオチドの一部分に対して低ストリンジェンシーハイブリダイゼーション条件下でハイブリダイズするポリヌクレオチドを含む、単離された核酸分子を提供する。「低ストリンジェンシーハイブリダイゼーション条件」は、３０％ホルムアミド、５×ＳＳＣ（１５０ｍＭ  ＮａＣｌ、１５ｍＭ  クエン酸三ナトリウム）、５０ｍＭリン酸ナトリウム（ｐＨ７．６）、５×デンハート溶液、１０％デキストラン硫酸、および２０ｇ／ｍｌの変性、剪断されたサケ精子ＤＮＡを含む溶液中で４２℃での一晩のインキュベーション、続いて、約５５℃または約６０℃または約６５℃にて、２×ＳＳＣまたは１×ＳＳＣまたは０．５×ＳＳＣ溶液中でそのフィルターを洗浄することが、意図される。
【００３５】
ポリヌクレオチドの一「部分」にハイブリダイズするポリヌクレオチドは、参照ポリヌクレオチドの少なくとも約１５ヌクレオチド（ｎｔ）、およびより好ましくは、少なくとも約２０ｎｔ、さらにより好ましくは少なくとも約３０ｎｔ、なおより好ましくは約３０〜約７０ｎｔにハイブリダイズするポリヌクレオチド（ＤＮＡまたはＲＮＡのいずれか）が意図される。これらは、上記に、そして以下でより詳細に議論されるように、診断プローブおよびプライマーとして有用である。
【００３６】
「長さが少なくとも２０ｎｔ」のポリヌクレオチドの一部分は、例えば、参照ポリヌクレオチドのヌクレオチド配列（例えば、寄託されたｃＤＮＡまたは配列番号１もしくは配列番号３に示されるようなヌクレオチド配列）から、２０以上の連続するヌクレオチドが意図される。
【００３７】
もちろん、ポリＡ配列（例えば、配列番号１に示されるＰＴＨ１ＲレセプターｃＤＮＡの３’末端のポリ（Ａ）トラクトもしくは、配列番号３に示されるＰＴＨ３ＲレセプターｃＤＮＡの３’末端のポリ（Ａ）トラクト）、またはＴ（もしくはＵ）残基の相補的ストレッチにのみハイブリダイズするポリヌクレオチドは、本発明の核酸の一部分にハイブリダイズするために使用される本発明のポリヌクレオチドに含まれない。なぜなら、そのようなポリヌクレオチドは、ポリ（Ａ）ストレッチまたはその相補体（例えば、特に任意の二本鎖ｃＤＮＡクローン）を含む任意の核酸分子にハイブリダイズするからである。
【００３８】
示されるように、ＰＴＨ１ＲポリペプチドまたはＰＴＨ３Ｒポリペプチドをコードする本発明の核酸分子としては、以下が挙げられる得が、これらに限定されない：単独で成熟ポリペプチドのアミノ酸配列をコードする核酸分子；成熟ポリペプチドおよびさらなる配列のコード配列（例えば、アミノ酸リーダー配列または分泌配列（例えば、プレタンパク質配列、もしくはプロタンパク質配列、またはプレプロタンパク質配列）をコードする配列）；さらなる非コード配列（例えば、イントロンならびに非コード５’配列および非コード３’配列（例えば、転写、スプライシングおよびポリアデニル化シグナル（例えば、リボソーム結合）を含むｍＲＮＡプロセシング、ならびにｍＲＮＡの安定性において役割を果たす転写非翻訳配列を含むが、これらに限定されない））と共に、上述のさらなるコード配列を伴うかまたは伴わない、成熟ポリペプチドのコード配列；さらなる機能性を提供するアミノ酸のようなさらなるアミノ酸をコードする、さらなるコード配列。従って、このポリペプチドをコードする配列は、マーカー配列（例えば、融合ポリペプチドの精製を容易にするペプチドをコードする配列）に融合され得る。本発明のこの局面の、特定の好ましい実施形態では、このマーカーアミノ酸配列は、ｐＱＥベクター（Ｑｉａｇｅｎ，Ｉｎｃ．）において提供されるタグのようなヘキサヒスチジンペプチドであり、とりわけ、これらの多くは市販されている。例えば、Ｇｅｎｔｚら、Ｐｒｏｃ．Ｎａｔｌ．Ａｃａｄ．Ｓｃｉ．ＵＳＡ  ８６：８２１−８２４（１９８９）に記載されるように、ヘキサヒスチジンは、融合タンパク質の簡便な精製を提供する。「ＨＡ」タグは、インフルエンザ赤血球凝集素タンパク質由来のエピトープに対応する、精製に有用な別のペプチドであり、これは、Ｗｉｌｓｏｎら、Ｃｅｌｌ  ３７：７６７（１９８４）により記載されている。以下で議論するように、他のそのような融合タンパク質としては、Ｎ末端またはＣ末端でＦｃに融合したＰＴＨ１Ｒレセプターが挙げられる。
【００３９】
本発明は、さらに、ＰＴＨ１ＲレセプターまたはＰＴＨ３Ｒレセプターの部分、アナログまたは誘導体をコードする本発明の核酸分子の改変体に関する。改変体は、天然の対立遺伝子改変体のように、天然に存在し得る。「対立遺伝子改変体」は、生物の染色体上の所定の遺伝子座を占有する遺伝子のいくつかの代替形態の１つを意図される。Ｇｅｎｅｓ  ＩＩ，Ｌｅｗｉｎ，Ｂ．，編，Ｊｏｈｎ  Ｗｉｌｅｙ  ＆  Ｓｏｎｓ，Ｎｅｗ  Ｙｏｒｋ（１９８５）。天然に存在しない改変体は、当該分野で公知の変異誘発技術を使用して、生成され得る。
【００４０】
このような改変体としては、ヌクレオチドの置換、欠失または付加により生成される改変体が挙げられ、これは、１以上のヌクレオチドを含み得る。この改変体は、コード領域、非コード領域、または両方において変化し得る。コード領域における変化は、保存的アミノ酸置換、欠失もしくは付加、または非保存的アミノ酸置換、欠失もしくは付加を生じる。これらの中で特に好ましいのは、サイレントな置換、付加および欠失であり、ＰＴＨ１ＲレセプターもしくはＰＴＨ３Ｒレセプターまたはその部分の性質および活性を変化しない。また、この点に関して特に好ましいのは、保存的置換である。
【００４１】
本発明のさらなる実施形態は、単離された核酸分子を含み、これは、以下と少なくとも５０％、５５％、６０％、６５％、７０％、７５％、８０％、８５％、９０％、９１％、９２％、９３％、９４％、９５％、９６％、９７％、９８％、または９９％同一であるヌクレオチド配列を有するポリヌクレオチドを含む：（ａ）推定リーダー配列を含む、配列番号２における完全アミノ酸配列を有する全長ＰＴＨ１Ｒポリペプチドをコードする、ヌクレオチド配列；（ｂ）配列番号２におけるアミノ酸配列を有するが、Ｎ末端メチオニンを欠くポリペプチドをコードする、ヌクレオチド配列；（ｃ）配列番号２における約２５〜約５３６の位置のアミノ酸配列を有する成熟ＰＴＨ１Ｒレセプター（リーダー配列が除去された全長ポリペプチド）をコードする、ヌクレオチド配列；（ｄ）特許寄託物ＰＴＡ−９１６としてＡＴＣＣに寄託されたｃＤＮＡクローンによりコードされるリーダーを含む完全アミノ酸配列を有する全長ＰＴＨ１Ｒポリペプチドをコードする、ヌクレオチド配列；（ｅ）特許寄託物ＰＴＡ−９１６としてＡＴＣＣに寄託されたｃＤＮＡクローンによりコードされるアミノ酸配列を有する成熟ＰＴＨ１Ｒレセプターをコードする、ヌクレオチド配列；（ｆ）ＰＴＨ１Ｒレセプター細胞外ドメインをコードする、ヌクレオチド配列；（ｇ）ＰＴＨ１Ｒレセプター膜貫通ドメインをコードする、ヌクレオチド配列；（ｈ）膜貫通ドメインの全てまたは一部が欠失したＰＴＨ１Ｒレセプター細胞外ドメインをコードする、ヌクレオチド配列；および（ｉ）（ａ）、（ｂ）、（ｃ）、（ｄ）、（ｅ）、（ｆ）、（ｇ）、または（ｈ）におけるヌクレオチド配列のいずれかに相補的な、ヌクレオチド配列。
【００４２】
本発明の実施形態はまた、単離された核酸分子を含み、これは、以下と少なくとも５０％、５５％、６０％、６５％、７０％、７５％、８０％、８５％、９０％、９１％、９２％、９３％、９４％、９５％、９６％、９７％、９８％、または９９％同一であるヌクレオチド配列を有するポリヌクレオチドを含む：（ａ）推定リーダー配列を含む、図２Ｂ（配列番号４）における完全アミノ酸配列を有する全長ＰＴＨ３Ｒポリペプチドをコードする、ヌクレオチド配列；（ｂ）配列番号４におけるアミノ酸配列を有するが、Ｎ末端メチオニンを欠くポリペプチドをコードする、ヌクレオチド配列；（ｃ）配列番号４における約２２〜約５４２の位置のアミノ酸配列を有する成熟ＰＴＨ３Ｒレセプター（リーダーが除去された全長ポリペプチド）をコードする、ヌクレオチド配列；（ｄ）特許寄託物ＰＴＡ−９１５としてＡＴＣＣに寄託されたｃＤＮＡクローンによりコードされるリーダーを含む完全アミノ酸配列を有する全長ＰＴＨ３Ｒポリペプチドをコードする、ヌクレオチド配列；（ｅ）特許寄託物ＰＴＡ−９１５としてＡＴＣＣに寄託されたｃＤＮＡによりコードされるアミノ酸配列を有する成熟ＰＴＨ３Ｒレセプターをコードする、ヌクレオチド配列；（ｆ）ＰＴＨ３Ｒレセプター細胞外ドメインをコードする、ヌクレオチド配列；（ｇ）ＰＴＨ３Ｒレセプター膜貫通ドメインをコードする、ヌクレオチド配列；（ｈ）膜貫通ドメインの全てまたは一部が欠失したＰＴＨ３Ｒレセプター細胞外ドメインをコードする、ヌクレオチド配列；および（ｉ）（ａ）、（ｂ）、（ｃ）、（ｄ）、（ｅ）、（ｆ）、（ｇ）、または（ｈ）におけるヌクレオチド配列のいずれかに相補的な、ヌクレオチド配列。
【００４３】
ＰＴＨ１ＲポリペプチドまたはＰＴＨ３Ｒポリペプチドをコードする参照ヌクレオチド配列に、少なくとも、例えば９５％「同一である」ヌクレオチド配列を有するポリヌクレオチドとは、このポリヌクレオチドのヌクレオチド配列が、ＰＴＨ１ＲレセプターまたはＰＴＨ３Ｒレセプターをコードする参照ヌクレオチド配列の各１００ヌクレオチドあたり５つのまでの点変異を含み得ることを除き、このポリヌクレオチドのヌクレオチド配列が、参照配列に対して同一であることを意図する。換言すれば、参照ヌクレオチド配列に少なくとも９５％同一であるヌクレオチド配列を有するポリヌクレオチドを得るために、参照配列中のヌクレオチドの５％までが欠失され得るか、もしくは別のヌクレオチドで置換され得るか、または参照配列中の総ヌクレオチドの５％までの多数のヌクレオチドが参照配列中に挿入され得る。参照配列のこれらの変異は、参照配列中のヌクレオチド間で個々に、もしくは参照配列内の１つ以上の連続する群においてのいずれかに分散された、参照ヌクレオチド配列の５’もしくは３’末端位置か、またはこれらの末端位置の間のいずれの場合でも生じ得る。
【００４４】
実際問題として、任意の特定の核酸分子は、例えば、配列番号１もしくは配列番号３に示されるヌクレオチド配列に対して、または寄託されたｃＤＮＡクローンのヌクレオチド配列に対して、少なくとも５０％、５５％、６０％、６５％、７０％、７５％、８０％、８５％、９０％、９１％、９２％、９３％、９４％、９５％、９６％、９７％、９８％または９９％同一であるか否かは、Ｂｅｓｔｆｉｔプログラム（Ｗｉｓｃｏｎｓｉｎ  Ｓｅｑｕｅｎｃｅ  Ａｎａｌｙｓｉｓ  Ｐａｃｋａｇｅ、Ｖｅｒｓｉｏｎ  ８  ｆｏｒ  Ｕｎｉｘ（登録商標），Ｇｅｎｅｔｉｃｓ  Ｃｏｍｐｕｔｅｒ  Ｇｒｏｕｐ，Ｕｎｉｖｅｒｓｉｔｙ  Ｒｅｓｅａｒｃｈ  Ｐａｒｋ，５７５  Ｓｃｉｅｎｃｅ  Ｄｒｉｖｅ，Ｍａｄｉｓｏｎ，ＷＩ  ５３７１１）のような公知のコンピュータープログラムを用いて従来的に決定され得る。Ｂｅｓｔｆｉｔは、ＳｍｉｔｈおよびＷａｔｅｒｍａｎ，Ａｄｖａｎｃｅｓ  ｉｎ  Ａｐｐｌｉｅｄ  Ｍａｔｈｅｍａｔｉｃｓ  ２：４８２〜４８９（１９８１）の局所相同性アルゴリズムを用いて、２つの配列の間の相同性の最適セグメントを見出す。特定の配列が、例えば、本発明による参照配列に対して、９５％同一であるか否かを決定するためのＢｅｓｔｆｉｔまたは任意の他の配列アラインメント（整列）プログラムを用いる場合、当然ながら、同一性のパーセンテージが参照ヌクレオチド配列の全長にわたって算出されるように、そしてこの参照配列中のヌクレオチドの総数の５％までの相同性においてギャップが可能になるように、パラメーターを設定する。
【００４５】
本出願は、配列番号１もしくは配列番号３に示される核酸配列に対して、または寄託されたｃＤＮＡの核酸配列に対して、少なくとも５０％、５５％、６０％、６５％、７０％、７５％、８０％、８５％、９０％、９１％、９２％、９３％、９４％、９５％、９６％、９７％、９８％または９９％同一である核酸分子（それらの核酸分子がＰＴＨ１Ｒレセプター活性またはＰＴＨ３Ｒレセプター活性を有するポリペプチドをコードするか否かにかかわらず）に関する。これは、特定の核酸分子がＰＴＨ１Ｒレセプター活性またはＰＴＨ３Ｒレセプター活性を有するポリペプチドをコードしない場合でさえ、当業者は、核酸分子の使用方法、例えば、ハイブリダイゼーションプローブまたはポリメラーゼ連鎖反応（ＰＣＲ）プライマーとしての使用方法をなお知っているからである。ＰＴＨ１Ｒレセプター活性またはＰＴＨ３Ｒレセプター活性を有するポリペプチドをコードしない本発明の核酸分子の使用としては、とりわけ以下：（１）ｃＤＮＡライブラリー中のＰＴＨ１Ｒレセプター遺伝子もしくはＰＴＨ３Ｒレセプター遺伝子またはそれらの対立遺伝子改変体を単離すること；（２）Ｖｅｒｍａら、Ｈｕｍａｎ  Ｃｈｒｏｍｏｓｏｍｅｓ：Ａ  Ｍａｎｕａｌ  ｏｆ  Ｂａｓｉｃ  Ｔｅｃｈｎｉｑｕｅｓ，Ｐｅｒｇａｍｏｎ  Ｐｒｅｓｓ，Ｎｅｗ  Ｙｏｒｋ（１９８８）に記載のような、ＰＴＨ１Ｒレセプター遺伝子またはＰＴＨ３Ｒレセプター遺伝子の正確な染色体位置を提供するための中期染色体分裂へのインサイチュハイブリダイゼーション（例えば、「ＦＩＳＨ」）；ならびに（３）特定の組織中でのＰＴＨ１ＲレセプターまたはＰＴＨ３ＲレセプターのｍＲＮＡ発現を検出するためのノーザンブロット分析、が挙げられる。
【００４６】
しかし、配列番号１もしくは配列番号３に示される核酸配列に対して、または寄託されたｃＤＮＡの核酸配列に対して、少なくとも５０％、５５％、６０％、６５％、７０％、７５％、８０％、８５％、９０％、９１％、９２％、９３％、９４％、９５％、９６％、９７％、９８％または９９％同一である配列を有する核酸分子（これは、実際にＰＴＨ１Ｒレセプター活性またはＰＴＨ３Ｒレセプター活性を有するポリペプチドをコードする）が好ましい。「ＰＴＨ１Ｒレセプター活性またはＰＴＨ３Ｒレセプター活性を有するポリペプチド」とは、特定の生物学的アッセイで測定して、本発明のＰＴＨ１ＲレセプターまたはＰＴＨ３Ｒレセプターの活性に類似である（ただし同一である必要はない）活性を示すポリペプチドを意図する。例えば、ＰＴＨ１Ｒレセプター活性またはＰＴＨ３Ｒレセプター活性は、Ｔｒｅａｎｏｒら、Ｎａｔｕｒｅ  ３８２：８０〜８３（１９９６）またはＪｉｎｇら、Ｃｅｌｌ  ８５：１１１３〜１１２４（１９９６）に記載のように、候補のＰＴＨ１ＲポリペプチドまたはＰＴＨ３Ｒポリペプチドを発現する細胞に対する、標識したＰＴＨまたはＰＴＨｒＰの競合結合実験を用いて測定され得る。
【００４７】
本明細書において実施例３および４に実証されるように、ＰＴＨ１Ｒ機能およびＰＴＨ３Ｒ機能を取り扱うアッセイは、当該分野で周知である。ＰＴＨ１ＲレセプターもしくはＰＴＨ３Ｒレセプター、またはそれらの改変体を発現する任意の細胞株は、実施例３および４に記載のようにリガンド結合およびセカンドメッセンジャー活性化をアッセイするために用いられ得る。当然ながら、遺伝子コードの縮重に起因して、当業者は、寄託されたｃＤＮＡの核酸配列に対して、または配列番号１もしくは配列番号３に示される核酸配列に対して、少なくとも９５％、９６％、９７％、９８％または９９％同一である配列を有する多数の核酸分子が「ＰＴＨ１Ｒレセプター活性またはＰＴＨ３Ｒレセプター活性を有する」ポリペプチドをコードすることを直ちに認識する。実際、これらのヌクレオチド配列の縮重改変体の全てが同じポリペプチドをコードするので、これは、上記の比較アッセイを実施せずとも当業者に明白である。縮重改変体でないこのような核酸分子について、合理的な数がまたＰＴＨ１Ｒタンパク質活性またはＰＴＨ３Ｒタンパク質活性を有するポリペプチドをコードすることが当該分野でさらに認識される。これは、タンパク質機能にそれほど有意に影響しないか、または有意に影響するようでないかのいずれかであるアミノ酸置換（例えば、１つの脂肪族アミノ酸の第２の脂肪族アミノ酸での置換）を、当業者が十分認知しているためである。
【００４８】
例えば、表現型としてサイレントなアミノ酸置換を行う方法に関するガイダンスは、Ｂｏｗｉｅ，Ｊ．Ｕ．ら「Ｄｅｃｉｐｈｅｒｉｎｇ  ｔｈｅ  Ｍｅｓｓａｇｅ  ｉｎ  Ｐｒｏｔｅｉｎ  Ｓｅｑｕｅｎｃｅｓ：Ｔｏｌｅｒａｎｃｅ  ｔｏ
Ａｍｉｎｏ  Ａｃｉｄ  Ｓｕｂｓｔｉｔｕｔｉｏｎｓ」Ｓｃｉｅｎｃｅ  ２４７：１３０６〜１３１０（１９９０）（ここでは、著者らは、タンパク質がアミノ酸置換に驚くほど耐性であることを示している）に提供される。
【００４９】
本発明はまた、核酸分子の単離のための方法を提供するが、この方法は以下を含む：（ａ）核酸プローブとして配列番号３のフラグメントを選択する工程；（ｂ）このプローブを、３０％ホルムアミド、５×ＳＳＣ（１５０ｍＭ  ＮａＣｌ、１５ｍＭクエン酸三ナトリウム）、５０ｍＭリン酸ナトリウム（ｐＨ７．６）、５×デンハート溶液、１０％硫酸デキストラン、および２０ｇ／ｍｌ変性剪断サケ精子ＤＮＡの溶液中、４２℃でのインキュベーションにより、少なくとも１つの試験配列に一晩ハイブリダイズさせる工程；（ｃ）５５℃もしくは６０℃もしくは６５℃での、２×ＳＳＣもしくは１×ＳＳＣもしくは０．５×ＳＳＣの溶液を用いる洗浄により、ハイブリダイズされていないプローブを除去する工程；ならびに（ｄ）このプローブに結合された標的配列を同定する工程；ここで、この同定された標的配列は、以下：（ｅ）配列番号４における約１〜約５４２位の完全アミノ酸配列を有するＰＴＨ３Ｒレセプターをコードするヌクレオチド配列；（ｆ）配列番号４における約２〜約５４２位のアミノ酸配列を有するＰＴＨ３Ｒレセプターをコードするヌクレオチド配列；（ｇ）配列番号４における約２２〜約５４２位のアミノ酸配列を有する成熟ＰＴＨ３Ｒレセプターをコードするヌクレオチド配列；（ｈ）特許寄託物ＰＴＡ−９１５としてＡＴＣＣに寄託されたｃＤＮＡクローンによりコードされる完全アミノ酸配列を有するＰＴＨ３Ｒレセプターをコードするヌクレオチド配列；（ｉ）特許寄託物ＰＴＡ−９１５として、ＡＴＣＣに寄託されたｃＤＮＡクローンによりコードされたアミノ酸配列を有する成熟ＰＴＨ３Ｒレセプターをコードするヌクレオチド配列；（ｊ）ＰＴＨ３Ｒ細胞外ドメインをコードするヌクレオチド配列；（ｋ）ＰＴＨ３Ｒ膜貫通ドメインをコードするヌクレオチド配列；ならびに（ｌ）（ｅ）、（ｆ）、（ｇ）、（ｈ）、（ｉ）、（ｊ）または（ｋ）における任意のヌクレオチド配列に相補的なヌクレオチド配列、からなる群より選択される配列に対して少なくとも約５０％、５５％、６０％、６５％、７０％、７５％、８０％、８５％、９０％、９１％、９２％、９３％、９４％、９５％、９６％、９７％、９８％または９９％同一である。
【００５０】
本発明はまた、核酸分子の単離の方法を提供するが、この方法は以下を含む：（ａ）核酸プローブとして配列番号のフラグメントを選択する工程；（ｂ）このプローブを、３０％ホルムアミド、５×ＳＳＣ（１５０ｍＭ  ＮａＣｌ、１５ｍＭクエン酸三ナトリウム）、５０ｍＭリン酸ナトリウム（ｐＨ７．６）、５×デンハート溶液、１０％硫酸デキストラン、および２０ｇ／ｍｌ変性剪断サケ精子ＤＮＡの溶液中、４２℃でのインキュベーションにより、少なくとも１つの試験配列に一晩ハイブリダイズさせる工程；（ｃ）５５℃もしくは６０℃もしくは６５℃での、２×ＳＳＣもしくは１×ＳＳＣもしくは０．５×ＳＳＣの溶液を用いる洗浄により、ハイブリダイズされていないプローブを除去する工程；ならびに（ｄ）このプローブに結合された標的配列を同定する工程、ここで、この同定された標的配列は、以下：（ｅ）配列番号２における約１〜約５３６位の完全なアミノ酸配列を有するＰＴＨ１Ｒレセプターをコードするヌクレオチド配列；（ｆ）配列番号２における約２〜約５３６位のアミノ酸配列を有するＰＴＨ１Ｒレセプターをコードするヌクレオチド配列；（ｇ）配列番号２における約２５〜約５３６位のアミノ酸配列を有する成熟ＰＴＨ１Ｒレセプターをコードするヌクレオチド配列；（ｈ）特許寄託物ＰＴＡ−９１６としてＡＴＣＣに寄託されたｃＤＮＡクローンによりコードされる完全アミノ酸配列を有するＰＴＨ１Ｒレセプターをコードするヌクレオチド配列；（ｉ）特許寄託物ＰＴＡ−９１６としてＡＴＣＣに寄託されたｃＤＮＡクローンによりコードされるアミノ酸配列を有する成熟ＰＴＨ１Ｒレセプターをコードするヌクレオチド配列；（ｊ）ＰＴＨ１Ｒ細胞外ドメインをコードするヌクレオチド配列；（ｋ）ＰＴＨ１Ｒ膜貫通ドメインをコードするヌクレオチド配列；ならびに（ｌ）（ｅ）、（ｆ）、（ｇ）、（ｈ）、（ｉ）、（ｊ）または（ｋ）における任意のヌクレオチド配列に相補的なヌクレオチド配列、からなる群より選択される配列に対して少なくとも約５０％、５５％、６０％、６５％、７０％、７５％、８０％、８５％、９０％、９１％、９２％、９３％、９４％、９５％、９６％、９７％、９８％または９９％同一である。
【００５１】
（ベクターおよび宿主細胞）
本発明はまた、本発明の単離されたＤＮＡ分子を含むベクター、この組換えベクターで遺伝子操作した宿主細胞、および組換え技術によるＰＴＨ１ＲポリペプチドもしくはＰＴＨ３Ｒポリペプチドまたはそれらのフラグメントの産生に関する。
【００５２】
このポリヌクレオチドは、宿主における増殖のための選択マーカーを含むベクターに連結され得る。一般にプラスミドベクターは、沈殿（例えば、リン酸カルシウム沈殿）または荷電脂質との複合体で導入される。このベクターがウイルスである場合、これは適切なパッケージング細胞株を用いてインビトロでパッケージングされ得、次いで宿主細胞に形質導入され得る。
【００５３】
このＤＮＡインサートは、適切なプロモーター（２〜３例を挙げると、例えば、ファージλＰＬプロモーター、Ｅ．ｃｏｌｉのｌａｃ、ｔｒｐおよびｔｒｐプロモーター、ＳＶ４０初期プロモーターおよび後期プロモーター、ならびにレトロウイルスＬＴＲのプロモーター）と作動可能に連結されるべきである。他の適切なプロモーターは、当業者に公知である。この発現構築物はさらに転写開始部位、終止部位、および（転写領域中に）翻訳のためのリボソーム結合部位を含む。この構築物により発現される成熟転写物のコード部分は、好ましくは、始めに翻訳開始コドンおよび翻訳されるべきポリペプチドのほぼ末端に位置する終止コドン（ＵＡＡ、ＵＧＡまたはＵＡＧ）を含む。
【００５４】
示されたとおり、この発現ベクターは、好ましくは少なくとも１つの選択マーカーを含む。このようなマーカーとしては、真核生物培養細胞に対するジヒドロ葉酸レダクターゼ遺伝子またはネオマイシン耐性遺伝子、およびＥ．ｃｏｌｉおよび他の細菌における培養のためのテトラサイクリン耐性遺伝子またはアンピシリン耐性遺伝子が挙げられる。適切な宿主の代表的な例としては、細菌細胞（例えば、Ｅ．ｃｏｌｉ、ＳｔｒｅｐｔｏｍｙｃｅｓおよびＳａｌｍｏｎｅｌｌａ  ｔｙｐｈｉｍｕｒｉｕｍ細胞）；真菌細胞（例えば、酵母細胞）；昆虫細胞（例えば、Ｄｒｏｓｏｐｈｉｌａ  Ｓ２細胞およびＳｐｏｄｏｐｔｅｒａ  Ｓｆ９細胞）；動物細胞（例えば、ＣＨＯ細胞、ＣＯＳ細胞およびＢｏｗｅｓ黒色腫細胞）；ならびに植物細胞が挙げられるがこれらに限定されない。上記の宿主細胞のための適切な培養培地および培養条件が当該分野で公知である。
【００５５】
細菌における使用に好ましいベクターの中には、ｐＱＥ７０、ｐＱＥ６０およびｐＱＥ−９（Ｑｉａｇｅｎから入手可能）；ｐＢＳベクター、Ｐｈａｇｅｓｃｒｉｐｔベクター、Ｂｌｕｅｓｃｒｉｐｔベクター、ｐＮＨ８Ａ、ｐＮＨ１６ａ、ｐＮＨ１８Ａ、ｐＮＨ４６Ａ（Ｓｔｒａｔａｇｅｎｅから入手可能）；ならびにｐｔｒｃ９９ａ、ｐＫＫ２２３−３、ｐＫＫ２３３−３、ｐＤＲ５４０、ｐＲＩＴ５（Ｐｈａｒｍａｃｉａから入手可能）が挙げられる。好ましい真核生物ベクターの間にはｐＷＬＮＥＯ、ｐＳＶ２ＣＡＴ、ｐＯＧ４４、ｐＸＴ１およびｐＳＧ（Ｓｔｒａｔａｇｅｎｅから入手可能）；ｐＳＶＫ３、ｐＢＰＶ、ｐＭＳＧおよびｐＳＶＬ（Ｐｈａｒｍａｃｉａから入手可能）が挙げられる。他の適切なベクターは当業者に容易に明白である。
【００５６】
宿主細胞への構築物の導入は、リン酸カルシウムトランスフェクション、ＤＥＡＥ−デキストラン媒介性トランスフェクション、カチオン性脂質媒介性トランスフェクション、エレクトロポレーション、形質導入、感染または他の方法によりもたらされ得る。このような方法は、多くの標準的実験マニュアル（例えば、Ｄａｖｉｓら、Ｂａｓｉｃ  Ｍｅｔｈｏｄｓ  Ｉｎ  Ｍｏｌｅｃｕｌａｒ  Ｂｉｏｌｏｇｙ（１９８６））に記載されている。
【００５７】
このポリペプチドは、改変型（例えば、融合タンパク質）で発現され得、そして分泌シグナルのみでなく、さらなる異種機能性領域も含み得る。例えば、さらなるアミノ酸（特に荷電したアミノ酸）の領域は、精製中または引き続く取り扱いおよび貯蔵の間の、宿主細胞における安定性および持続性を改善するためにポリペプチドのＮ末端に付加され得る。また、精製を容易にするために、ペプチド部分が、このポリペプチドに付加され得る。このような領域は、ポリペプチドの最終調製の前に除去され得る。とりわけ、分泌または排出を生じるため、安定性を改善するため、および精製を容易にするための、ポリペプチドへのペプチド部分の付加は、当該分野で周知でかつ慣用的技術である。好ましい融合タンパク質は、タンパク質を可溶化するのに有用である、免疫グロブリン由来の異種領域を含む。例えば、ＥＰ−Ａ−Ｏ４６４５３３（カナダ対応２０４５８６９）は、別のヒトタンパク質またはその部分と一緒に免疫グロブリン分子の定常領域の種々の部分を含む融合タンパク質を開示する。多くの場合、融合タンパク質中のＦｃ部分は、治療および診断における使用のために十分に利点があり、従って、例えば、改善された薬物動態学的特性を生じる（ＥＰ−Ａ０２３２２６２）。一方では、いくつかの用途のために、融合タンパク質が、記載された有利な様式で発現、検出および精製された後、Ｆｃ部分を欠失し得ることが所望される。これは、Ｆｃ部分が治療および診断における使用に対する障害であることが証明される場合（例えば、融合タンパク質が免疫のための抗原として用いられるべきである場合）である。薬物開発において、例えば、ヒトタンパク質（例えば、ｈＩＬ５−レセプター）は、ｈＩＬ−５のアンタゴニストを同定するための高性能スクリーニングアッセイのためにＦｃ部分と融合された。Ｄ．Ｂｅｎｎｅｔｔら、Ｊｏｕｒｎａｌ  ｏｆ  Ｍｏｌｅｃｕｌａｒ  Ｒｅｃｏｇｎｉｔｉｏｎ、第８巻：５２〜５８（１９９５）およびＫ．Ｊｏｈａｎｓｏｎら、Ｔｈｅ  Ｊｏｕｒｎａｌ  ｏｆ  Ｂｉｏｌｏｇｉｃａｌ  Ｃｈｅｍｉｓｔｒｙ、第２７０巻、第１６号：９４５９〜９４７１（１９９５）を参照のこと。
【００５８】
ＰＴＨ１ＲレセプターまたはＰＴＨ３Ｒレセプターは、周知の方法により組換え細胞培養物から回収および精製され得る。この方法には硫酸アンモニウム沈殿またはエタノール沈殿、酸抽出、陰イオン交換クロマトグラフィーまたは陽イオン交換クロマトグラフィー、ホスホセルロースクロマトグラフィー、疎水性相互作用クロマトグラフィー、アフィニティークロマトグラフィー、ヒドロキシルアパタイトクロマトグラフィーおよびレクチンクロマトグラフィーが挙げられる。最も好ましくは、高速液体クロマトグラフィー（「ＨＰＬＣ」）が精製に使用される。本発明のポリペプチドは、天然に精製された産物、化学合成手順による産物、ならびに原核生物宿主または真核生物宿主（例えば、細菌細胞、酵母細胞、高等植物細胞、昆虫細胞および哺乳動物細胞を含む）から組換え技術により産生された産物を含む。組換え産生手順において使用される宿主に依存して、本発明のポリペプチドはグリコシル化されてもよいし、またはグリコシル化されなくてもよい。さらに本発明のポリペプチドはまた、ある場合には、宿主媒介性プロセスの結果として、最初の改変されたメチオニン残基を含み得る。
【００５９】
（ＰＴＨ１ＲおよびＰＴＨ３Ｒのポリペプチドおよびフラグメント）
本発明はさらに、寄託されたｃＤＮＡによりコードされるアミノ酸配列を有する単離されたＰＴＨ１ＲポリペプチドまたはＰＴＨ３Ｒポリペプチド、または図２Ａ（配列番号２）もしくは図２Ｂ（配列番号４）中のアミノ酸配列、または上記のポリペプチドの部分を含むペプチドもしくはポリペプチドを提供する。
【００６０】
ＰＴＨ１ＲレセプターまたはＰＴＨ３Ｒレセプターのいくつかのアミノ酸配列が、このタンパク質の構造または機能への有意な影響なく変化され得ることが当該分野で認識される。配列におけるこのような差異が考慮される場合、活性を決定する重要な領域がタンパク質上に存在することが想起されるべきである。従って、本発明は、ＰＴＨ１ＲレセプターまたはＰＴＨ３Ｒレセプターの改変体（これは、実質的なＰＴＨ１Ｒレセプター活性もしくはＰＴＨ３Ｒレセプター活性を示すか、またはＰＴＨ１Ｒタンパク質もしくはＰＴＨ３Ｒタンパク質の領域（例えば、以下に考察するタンパク質部分）を含む）をさらに含む。このような変異体は、欠失、挿入、逆位、反復および型置換を含む。上記のように、アミノ酸変化が表現型としてサイレントであることに関するガイダンスは、Ｂｏｗｉｅ，Ｊ．Ｕ．ら「Ｄｅｃｉｐｈｅｒｉｎｇ  ｔｈｅ  Ｍｅｓｓａｇｅ  ｉｎ  Ｐｒｏｔｅｉｎ  Ｓｅｑｕｅｎｃｅ：Ｔｏｌｅｒａｎｃｅ  ｔｏ  Ａｍｉｎｏ  ａｃｉｄ
Ｓｕｂｓｔｉｔｕｔｉｏｎｓ」Ｓｃｉｅｎｃｅ  ２４７：１３０６〜１３１０（１９９０）に見出され得る。
【００６１】
従って、図２Ａ（配列番号２）または図２Ｂ（配列番号４）のポリペプチド、または寄託されたｃＤＮＡによりコードされるポリペプチドのフラグメント、誘導体またはアナログは、以下：（ｉ）１つ以上のアミノ酸残基が保存的アミノ酸または非保存的アミノ酸残基（好ましくは、保存されたアミノ酸残基）で置換されたものであり、そしてこのような置換されたアミノ酸残基は、遺伝コードによりコードされたものであってもなくてもよいポリペプチドのフラグメント、誘導体またはアナログ、または（ｉｉ）１つ以上のアミノ酸残基が置換基を含む、ポリペプチドのフラグメント、誘導体またはアナログ、または（ｉｉｉ）成熟ポリペプチドが別の化合物（例えば、ポリペプチドの半減期を延長するための化合物（例えば、ポリエチレングリコール））と融合されている、ポリペプチドのフラグメント、誘導体またはアナログ、または（ｉｖ）さらなるアミノ酸が（例えば、ＩｇＧ  Ｆｃ融合領域ペプチド、またはリーダー配列もしくは分泌配列、または成熟ポリペプチド配列もしくはプロタンパク質配列の精製に使用される配列がその成熟ポリペプチドに融合されている、ポリペプチドのフラグメント、誘導体またはアナログ、であり得る。このようなフラグメント、誘導体およびアナログは、本明細書の教示から当業者の範囲内であるとみなされる。
【００６２】
特に目的とするのは、荷電したアミノ酸の、別の荷電したアミノ酸による置換、および中性アミノ酸または負に荷電したアミノ酸による置換である。後者は、正電荷が減少したタンパク質を生じ、ＰＴＨ１Ｒタンパク質またはＰＴＨ３Ｒタンパク質の特徴を改善する。凝集の防止が非常に所望される。タンパク質の凝集は、活性の損失を生じるだけでなく、それが免疫原生であり得ることにより、薬学的処方物を調製する場合に問題にもなり得る。（Ｐｉｎｃｋａｒｄら、Ｃｌｉｎ  Ｅｘｐ．Ｉｍｍｕｎｏｌ．２：３３１〜３４０（１９６７）；Ｒｏｂｂｉｎｓら、Ｄｉａｂｅｔｅｓ  ３６：８３８〜８４５（１９８７）；Ｃｌｅｌａｎｄら、Ｃｒｉｔ．Ｒｅｖ．Ｔｈｅｒａｐｅｕｔｉｃ  Ｄｒｕｇ  Ｃａｒｒｉｅｒ  Ｓｙｓｔｅｍｓ  １０：３０７〜３７７（１９９３））。
【００６３】
アミノ酸置換はまた、細胞表面レセプターへの結合の選択性を変化させ得る。Ｏｓｔａｄｅら、Ｎａｔｕｒｅ  ３６１：２６６〜２６８（１９９３）は、２つの公知のＴＮＦレセプター型の１つのみに対するＴＮＡ−αの選択的結合を生じる特定の変異を記載している。従って、本発明のＰＴＨ１ＲレセプターまたはＰＴＨ３Ｒレセプターは、天然の変異またはヒト操作のいずれかに由来する、１つ以上のアミノ酸置換、欠失または付加を含み得る。
【００６４】
示されるとおり、タンパク質のフォールディング（折り畳み）または活性に有意に影響しない保存的アミノ酸置換のような、わずかな性質の変化が好ましい。
【００６５】
【表１】
2002531091.tif 000001
機能に必須である本発明のＰＴＨ１Ｒタンパク質またはＰＴＨ３Ｒタンパク質のアミノ酸は、部位特異的変異誘発またはアラニンスキャニング変異誘発のような、当該分野で公知の方法により同定され得る（ＣｕｎｎｉｎｇｈａｍおよびＷｅｌｌｓ、Ｓｃｉｅｎｃｅ  ２４４：１０８１−１０８５（１９８９））。後者の手順は、分子内のあらゆる残基に単一のアラニン変異を導入する。次に、生じた変異体分子は、レセプター結合またはインビボでの増殖活性のような生物学的活性について試験される。リガンド−レセプター結合に重大な部位はまた、結晶化、核磁気共鳴、または光親和性標識のような構造分析により決定され得る（Ｓｍｉｔｈら、Ｊ．Ｍｏｌ．Ｂｉｏｌ．２２４：８９９−９０４（１９９２）およびｄｅ  Ｖｏｓら、Ｓｃｉｅｎｃｅ  ２５５：３０６−３１２（１９９２））。
【００６６】
本発明のポリペプチドは、好ましくは単離された形態で提供される。「単離されたポリペプチド」によって、それらの自然の環境から取り出されたポリペプチドを意図する。従って、組換え宿主細胞中に産生されたポリペプチドおよび／または含まれるポリペプチドは、本発明の目的のために単離されたと考慮される。また、「単離されたポリペプチド」として意図されるのは、組換え宿主細胞から部分的または実質的に精製されたポリペプチドである。例えば、抗菌ペプチドポリペプチドの組換え産生されたバージョンは、ＳｍｉｔｈおよびＪｏｈｎｓｏｎ、Ｇｅｎｅ  ６７：３１−４０（１９８８）に記載された一段階の方法によって実質的に精製され得る。
【００６７】
本発明のポリペプチドは、好ましくは単離された形態で提供され、そして好ましくは実質的に精製される。ＰＴＨ１ＲレセプターまたはＰＴＨ３Ｒレセプターの組換え産生されたバージョンは、ＳｍｉｔｈおよびＪｏｈｎｓｏｎ、Ｇｅｎｅ
６７：３１−４０（１９８８）に記載された一段階の方法によって実質的に精製され得る。
【００６８】
本発明のポリペプチドはまた、リーダーを含む寄託されたＰＴＨ１Ｒ  ｃＤＮＡによりコードされるポリペプチド、リーダーを含まない寄託されたｃＤＮＡによりコードされるポリペプチド（すなわち、成熟タンパク質）、リーダーを含む図２Ａ（配列番号２）のポリペプチド、リーダーを含まない図２Ａ（配列番号２）のポリペプチド、細胞外ドメイン、膜貫通ドメイン、配列番号２のアミノ酸およそ１〜およそ５３６を含むポリペプチド、および配列番号２のアミノ酸およそ２〜およそ５３６のアミノ酸を含むポリペプチド、ならびに、上記のポリペプチドに少なくとも９５％同一、なおより好ましくは少なくとも９６％、９７％、９８％、または９９％同一である、ポリペプチドを含み、また少なくとも３０アミノ酸、およびより好ましくは少なくとも５０アミノ酸を有する、そのようなポリペプチドの一部もまた含む。
【００６９】
本発明のポリペプチドはまた、リーダーを含む寄託されたＰＴＨ３Ｒ  ｃＤＮＡによりコードされるポリペプチド、リーダーを含まない寄託されたｃＤＮＡによりコードされるポリペプチド（すなわち、成熟タンパク質）、リーダーを含む図２（配列番号４）のポリペプチド、リーダーを含まない図４（配列番号４）のポリペプチド、細胞外ドメイン、膜貫通ドメイン、配列番号４のアミノ酸およそ１〜およそ５４２のアミノ酸を含むポリペプチド、配列番号４のアミノ酸およそ２〜およそ５４２のアミノ酸を含むポリペプチド、ならびに上記のポリペプチドに少なくとも９５％同一、なおより好ましくは少なくとも９６％、９７％、９８％、または９９％同一である、ポリペプチドを含み、また少なくとも３０アミノ酸、およびより好ましくは少なくとも５０アミノ酸を有する、そのようなポリペプチドの一部も含む。
【００７０】
ＰＴＨ１ＲポリペプチドまたはＰＴＨＲ３Ｒポリペプチドの参照アミノ酸配列に、例えば、少なくとも９５％「同一」なアミノ酸配列を有するポリペプチドにより、そのポリペプチド配列がＰＴＨ１ＲレセプターまたはＰＴＨ３Ｒレセプターの参照アミノ酸の１００アミノ酸ごとに５つまでのアミノ酸の変化を含み得ることを除いて、そのポリペプチドのアミノ酸配列が、参照配列に同一であることを意図する。換言すると、参照アミノ酸配列に少なくとも９５％同一なアミノ酸配列を有するポリペプチドを得るために、参照配列のアミノ酸残基の５％までが、欠失または、別のアミノ酸で置換され得るか、または参照配列の合計アミノ酸残基の５％までの多数のアミノ酸が、その参照配列に挿入され得る。参照配列のこれらの変化は、参照アミノ酸配列のアミノ末端位置かまたはカルボキシ末端位置でか、あるいはこれらの末端位置間のどこかで生じ得、参照配列の残基間で個々にか、または参照配列内で１個以上連続する群としてかのいずれかで間に散在する。
【００７１】
実際的な問題として、任意の特定のポリペプチドが、例えば、図２Ａ（配列番号２）または図２Ｂ（配列番号４）示されるアミノ酸配列、あるいは寄託されたｃＤＮＡクローンによりコードされるアミノ酸配列に少なくとも５０％、５５％、６０％、６５％、７０％、７５％、８０％、８５％、９０％、９１％、９２％、９３％、９４％、９５％、９６％、９７％、９８％、または９９％同一であるかどうかは、Ｂｅｓｔｆｉｔプログラム（Ｗｉｓｃｏｎｓｉｎ  Ｓｅｑｕｅｎｃｅ  Ａｎａｌｙｓｉｓ  Ｐａｃｋａｇｅ，Ｖｅｒｓｉｏｎ  ８  ｆｏｒ  Ｕｎｉｘ（登録商標），Ｇｅｎｅｔｉｃｓ  Ｃｏｍｐｕｔｅｒ  Ｇｒｏｕｐ，Ｕｎｉｖｅｒｓｉｔｙ
Ｒｅｓｅｒｃｈ  Ｐａｒｋ，５７５  Ｓｃｉｅｎｃｅ  Ｄｒｉｖｅ，Ｍａｄｉｓｏｎ，ＷＩ  ５３７１１）のような公知のコンピュータープログラムを使用して従来のように決定され得る。特定の配列が、本発明に従う参照配列に、例えば９５％同一かどうか決定するためにＢｅｓｔｆｉｔまたは任意の他の配列アライメントプログラムを使用する場合、もちろん、参照アミノ酸配列の全長に渡って同一性の百分率が算出されるように、そして参照配列中のアミノ酸残基の合計の数の５％までの相同性のギャップが許容されるように、パラメーターは設定される。
【００７２】
本発明のポリペプチドは、当業者に周知の方法を使用するＳＤＳ−ＰＡＧＥゲル、または分子ふるいゲル濾過カラムにおける分子量マーカーとして使用され得る。
【００７３】
以下に詳細に記載されるように、本発明のポリペプチドはまた、ＰＴＨ１ＲまたはＰＴＨ３Ｒの発現を検出するためのアッセイに有用なポリクローナル抗体およびモノクローナル抗体を惹気するため、またはＰＴＨ１ＲレセプターまたはＰＴＨ３Ｒレセプターの機能を増強または阻害することが可能なアゴニストおよびアンタゴニストとして、使用され得る。さらに、このようなポリペプチドは、本発明に従うアゴニストおよびアンタゴニストの候補でもあるＰＴＨ１Ｒレセプター結合タンパク質またはＰＴＨ３Ｒレセプター結合タンパク質を「捕獲する」ために、酵母のツーハイブリッド系において使用され得る。酵母ツーハイブリッド系は、ＦｉｅｌｄｓおよびＳｏｎｇ、Ｎａｔｕｒｅ  ３４０：２４５−２４６（１９８９）に記載される。
【００７４】
別の局面において、本発明は、本発明のポリペプチドのエピトープ保有部分を含む、ペプチドまたはポリペプチドを提供する。このポリペプチド部分のエピトープは、本明細書中で記載されるポリペプチドの免疫原性エピトープまたは抗原性のエピトープである。「免疫原性エピトープ」とは、タンパク質全体が免疫原である場合、抗体応答を誘発するタンパク質の一部として定義される。一方、抗体が結合し得るタンパク質分子の領域は、「抗原性エピトープ」として定義される。タンパク質の免疫原性エピトープの数は、一般に抗原性エピトープの数より少ない。例えば、Ｇｅｙｓｅｎら、Ｐｒｏｃ．Ｎａｔｌ．Ａｃａｄ．Ｓｃｉ．ＵＳＡ  ８１：３９９８−４００２（１９８３）を参照のこと。
【００７５】
抗原性エピトープを保有する（すなわち、抗体が結合し得るタンパク質分子の領域を含む）ペプチドまたはポリペプチドの選択に関しては、タンパク質配列の一部を模倣する比較的短い合成ペプチドが、日常的に、その部分的に模倣されるタンパク質と反応する抗血清を誘発し得ることは当該分野では周知である。例えば、Ｓｕｔｃｌｉｆｆｅ，Ｊ．Ｇ．，Ｓｈｉｎｎｉｃｋ，Ｔ．Ｍ．，Ｇｒｅｅｎ，ＮおよびＬｅａｒｎｅｒ，Ｒ．Ａ（１９８３）Ａｎｔｉｂｏｄｉｅｓ  ｔｈａｔ  ｒｅａｃｔ  ｗｉｔｈ  ｐｒｅｄｅｔｅｒｍｉｎｅｄ  ｓｉｔｅｓ  ｏｎ  ｐｒｏｔｅｉｎｓ、Ｓｃｉｅｎｃｅ  ２１９：６６０−６６６を参照のこと。タンパク質反応性の血清を惹起可能なペプチドは、タンパク質の一次配列にて頻繁に表され、単純な化学法則のセットにより特徴付けられ得、そしてインタクトなタンパク質のイムノドミナント領域（すなわち、免疫原性エピトープ）にも、アミノ末端またはカルボキシ末端にも制限されない。
【００７６】
ゆえに、本発明の抗原性エピトープ保有ペプチドおよびポリペプチドは、本発明のポリペプチドに特異的に結合する抗体（モノクローナル抗体を含む）を惹起するために有用である。例えば、Ｗｉｌｓｏｎら、Ｃｅｌｌ  ３７：７６７−７７８（１９８４）、７７７頁を参照のこと。本発明の抗原性エピトープ保有ペプチドおよびポリペプチドは、本発明のポリペプチドのアミノ酸配列中に含まれる、好ましくは少なくとも７個の、より好ましくは少なくとも９個の、最も好ましくは少なくとも約１５個と約３０個との間の、アミノ酸の配列を含む。
【００７７】
従って、当該分野の当業者は、図２Ａ（配列番号２）および図２Ｂ（配列番号４）のポリペプチドから、抗原性エピトープ保有領域を選択するために必要な知識を有する。
【００７８】
本発明のエピトープ保有ペプチドおよびポリペプチドは、任意の従来的な方法により産生され得る。例えば、Ｈｏｕｇｈｔｅｎは、多数のペプチドの迅速な固層合成の一般的な方法を提供する（個々のアミノ酸のレベルで抗原抗体相互作用の特異性、Ｈｏｕｇｈｔｅｎ，Ｒ．Ａ．Ｐｒｏｃ．Ｎａｔｌ．Ａｃａｄ．Ｓｃｉ．ＵＳＡ  ８２：５１３１−５１３５（１９８５））。この「同時複数ペプチド合成（ＳＭＰＳ）」プロセスは、さらに米国特許第４，６３１，２１１号（Ｈｏｕｇｈｔｅｎら（１９８６））において記載される。
【００７９】
当業者が理解するように、上記の本発明のＰＴＨ１ＲポリペプチドまたはＰＴＨ３Ｒポリペプチドおよびそれらのエピトープ保有フラグメントは、免疫グロブリン（ＩｇＧ）の定常のドメイン部分と組み合わせられ得、キメラポリペプチドを生じる。これらの融合タンパク質は、精製を容易にし、インビボでの半減期の増加を示す。これは、例えば、ヒトＣＤ−４ポリペプチドの第一の２つのドメインおよび哺乳動物の免疫グロブリンの重鎖または軽鎖の定常領域の種々のドメインからなるキメラタンパク質について示された（ＥＰＡ  ３９４，８２７；Ｔｒｕｎｅｃｋｅｒら、Ｎａｔｕｒｅ  ３３１：８４−８６（１９８８））。ＩｇＧ部分に起因するジスルフィド結合した２量体構造を有する融合タンパク質はまた、他の分子と結合して他の分子を中和する際に、単量体のＰＴＨ１Ｒタンパク質またはＰＴＨ３Ｒタンパク質またはタンパク質フラグメント単独より有効であり得る（Ｆｏｕｎｔｏｕｌａｋｉｓら、Ｊ．Ｂｉｏｃｈｅｍ  ２７０：３９５８−３９６４（１９９５））。
【００８０】
（診断および予後）
特定の疾患および障害を有する哺乳動物の特定の組織は、対応する「標準的な」哺乳動物（すなわち、その疾患を有さない同じ種の哺乳動物）と比較した場合に、有意に減少したレベルのＰＴＨ１ＲレセプターまたはＰＴＨ３ＲレセプターおよびｍＲＮＡ（ＰＴＨ１ＲレセプターまたはＰＴＨ３Ｒレセプターをコードする）を発現すると考えられる。さらに、ＰＴＨ１ＲレセプターまたはＰＴＨ３Ｒレセプターの増強されたレベルは、癌を有する哺乳動物由来の特定の体液（例えば、血清、血漿、尿、および髄液）において、この疾患を有さない同じ種の哺乳動物由来の血清と比較した場合に、検出され得ると考えられる。従って、本発明は、疾患および障害の診断中に有用な診断方法（例えば、哺乳動物の細胞または体液においてＰＴＨ１ＲレセプターまたはＰＴＨ３Ｒレセプターをコードする遺伝子の発現のレベルをアッセイする工程、および標準のＰＴＨ１ＲレセプターまたはＰＴＨ３Ｒレセプターの遺伝子発現レベルとこれらの遺伝子の発現レベルを比較する工程を包含し、それによって、標準に対するその遺伝子の発現レベルの低下が、特定の障害の指標である、方法を提供する。
【００８１】
従来の方法に従って、障害の診断がすでになされている場合、本発明は、低下したＰＴＨ１Ｒ遺伝子またはＰＴＨ３Ｒ遺伝子の発現を示す患者は、この遺伝子をより高いレベルで発現する患者と比べて、悪化した臨床的な結果を体験する予後指標として有用である。
【００８２】
「ＰＴＨ１Ｒタンパク質またはＰＴＨ３Ｒタンパク質をコードする遺伝子の発現レベルをアッセイすること」により、第１の生物学的なサンプルにおけるＰＴＨ１Ｒタンパク質またはＰＴＨ３Ｒタンパク質のレベルあるいはＰＴＨ１ＲレセプターまたはＰＴＨ３ＲレセプターをコードするｍＲＮＡのレベルを、直接的（例えば、絶対的なタンパク質のレベルまたはｍＲＮＡのレベルを決定または評価することによって）または相対的（例えば、第２の生物学的なサンプル中のＰＴＨ１Ｒタンパク質またはＰＴＨ３Ｒタンパク質のレベルまたはｍＲＮＡのレベルと比較することによって）のどちらかで、質的または量的に測定または評価することを意図する。
【００８３】
好ましくは、第１の生物学的なサンプルにおけるＰＴＨ１Ｒタンパク質またはＰＴＨ３Ｒタンパク質のレベルまたはｍＲＮＡのレベルは、測定または評価され、そして標準のＰＴＨ１Ｒタンパク質またはＰＴＨ３Ｒタンパク質のレベルまたはｍＲＮＡのレベルと比較される（この標準は、癌を有さない個体より得た第２の生物学的なサンプルより採取される）。当該分野で理解されるように、一度標準のＰＴＨ１Ｒタンパク質またはＰＴＨ３Ｒタンパク質のレベルまたはｍＲＮＡのレベルを知ったら、比較のための標準として繰り返してそれを使用し得る。
【００８４】
「生物学的なサンプル」によって、ＰＴＨ１ＲまたはＰＴＨ３Ｒのタンパク質またはｍＲＮＡを含む、個体、細胞株、組織培養、または他の供給源より得られる任意の生物学的なサンプルを意図する。生物学的なサンプルは、ＰＴＨ１Ｒタンパク質またはＰＴＨ３Ｒのタンパク質を含む哺乳動物体液（例えば、血清、血漿、尿、滑液および髄液）、ならびに卵巣組織、前立腺組織、心臓組織、胎盤組織、膵臓組織、肝臓組織、脾臓組織、肺組織、乳房組織、神経組織、および臍組織を含む、を含む。
【００８５】
本発明は、哺乳動物のおける障害を検出するために有用である。特に本発明は、ＰＴＨ１ＲレセプターまたはＰＴＨ３Ｒレセプターの発現または機能に関与する哺乳動物における疾患および障害の診断の間に有用である。ＰＴＨ１Ｒ配列またはＰＴＨ３Ｒ配列および／あるいはＰＴＨ１ＲまたはＰＴＨ３Ｒの発現のレベルに影響する変異は、発達学的性質、生理学的性質、または神経学的性質の疾患または障害を有する患者を診断可能である。好ましい哺乳動物は、サル（ｍｏｎｋｅｙ）、サル（ａｐｅ）、ネコ、イヌ、ウシ、ブタ、ウマ、ウサギおよびヒトを含む。特に好ましいのは、ヒトである。
【００８６】
全細胞ＲＮＡは、ＣｈｏｍｃｚｙｎｓｋｉおよびＳａｃｃｈｉ、Ａｎａｌ．Ｂｉｏｃｈｅｍ．１６２：１５６−１５９（１９８７）に記載される一工程のチオシアン酸グアニジン−フェノール−クロロホルム法を使用して生物学的なサンプルより単離され得る。次いで、ＰＴＨ１ＲレセプターまたはＰＴＨ３ＲレセプターをコードするｍＲＮＡのレベルは、任意の適切な方法を使用してアッセイされる。これらは、ノーザンブロット分析（Ｈａｒａｄａら、Ｃｅｌｌ  ６３：３０３−３１２（１９９０））、Ｓ１ヌクレアーゼマッピング（Ｆｕｊｉｔａら、Ｃｅｌｌ  ４９：３５７−３６７（１９８７））、ポリメラーゼ連鎖反応（ＰＣＲ）、ポリメラーゼ連鎖反応と組み合わせた逆転写（ＲＴ−ＰＣＲ）（Ｆｕｊｉｔａら、Ｃｅｌｌ  ４９：３５７−３６７（１９８７））およびリガーゼ連鎖反応と組み合わせた逆転写（ＲＴ−ＬＣＲ）を含む。
【００８７】
生物学的なサンプルにおいて、ＰＴＨ１Ｒタンパク質またはＰＴＨ３Ｒタンパク質のレベルをアッセイすることは、抗体に基づく技術を使用してなされ得る。例えば、組織におけるＰＴＨ１Ｒタンパク質またはＰＴＨ３Ｒタンパク質の発現は、古典的な免疫組織学的方法を用いて研究され得る（Ｊａｌｋａｎｅｎ，Ｍ．ら、Ｊ．Ｃｅｌｌ．Ｂｉｏｌ．１０１：９７６−９８５（１９８５）；Ｊａｌｋａｎｅｎ，Ｍ．ら、Ｊ．Ｃｅｌｌ．Ｂｉｏｌ．１０５：３０８７−３０９６（１９８７））。ＰＴＨ１ＲレセプターまたはＰＴＨ３Ｒレセプターの遺伝子の発現を検出するのに有用な他の抗体に基づく方法は、酵素結合イムノソルベント検定法（ＥＬＩＳＡ）およびラジオイムノアッセイ（ＲＩＡ）のようなイムノアッセイを含む。
【００８８】
適した標識は当該分野において公知であり、そしてのグルコースオキシダーゼのような酵素の標識、およびヨウ素（125Ｉ、121Ｉ）、炭素（14Ｃ）、硫黄（35Ｓ）、トリチウム（3Ｈ）、インジウム（112Ｉｎ）、およびテクネチウム（99mＴｃ）のような放射性同位体、ならびにフルオレセインおよびローダミンのような蛍光標識、およびビオチンを含む。
【００８９】
（ＰＴＨ１ＲまたはＰＴＨ３Ｒのアゴニストおよびアンタゴニスト）
本発明はまた、ＰＴＨ１ＲレセプターまたはＰＴＨ３Ｒレセプターにより誘導される細胞性の応答を増強または阻害することが可能な化合物を同定するためのスクリーニング法を提供し、その方法は、候補化合物とＰＴＨ１ＲレセプターまたはＰＴＨ３Ｒレセプターを発現する細胞を接触させる工程、細胞性応答をアッセイする工程、およびその細胞性応答を標準の細胞性応答と比較する工程（標準は、その候補化合物の不在下で接触させられる場合にアッセイされる）を包含し；それにより、標準よりも増加した細胞性応答は、その化合物がアゴニストであることを示し、そして標準に対して減少した細胞性応答は、その化合物がアンタゴニストであることを示す。
【００９０】
別の局面では、ＰＴＨ１ＲレセプターまたはＰＴＨ３ＲレセプターへのＰＴＨまたはＰＴＨｒＰの結合に対する候補化合物が有する効果を決定する工程にを包含する、アゴニストおよびアンタゴニストのスクリーニングアッセイが、提供される。特に、この方法は、ＰＴＨポリペプチドまたはＰＴＨｒＰポリペプチドおよび候補化合物とＰＴＨ１ＲレセプターまたはＰＴＨ３Ｒレセプターを接触させる工程、およびＰＴＨ１ＲレセプターまたはＰＴＨ３ＲレセプターへのＰＴＨポリペプチドまたはＰＴＨｒＰポリペプチドの結合が、その候補化合物の存在に起因して増加されるかまたは減少されるかどうかを決定する工程を含む。
【００９１】
「アゴニスト」によって、ＰＴＨ１ＲレセプターまたはＰＴＨ３Ｒレセプターの応答（例えば、ｃＡＭＰまたはイノシトールリン酸経路を介したシグナル伝達）を増強（ｅｎｈａｎｃｉｎｇ）、または増強（ｐｏｔｅｎｔｉａｔｉｎｇ）可能な天然に存在する化合物および合成化合物を意図する。「アンタゴニスト」によって、ＰＴＨ１ＲレセプターまたはＰＴＨ３Ｒレセプターの応答（例えば、ｃＡＭＰまたはイノシトールリン酸経路を介するシグナル伝達）を阻害可能な天然に存在する化合物および合成化合物を意図する。任意の本発明の「アゴニスト」または「アンタゴニスト」の候補が、ＰＴＨ１ＲレセプターまたはＰＴＨ３Ｒレセプターの活性を増強または阻害し得るかどうかは、以下により詳細に記載されるアッセイを含む、当該分野で公知の競合結合アッセイを使用して決定され得る。
【００９２】
１つのそのようなスクリーニング手順は、本発明のレセプターを発現するようにトランスフェクトされたメラニン保有細胞の使用を含む。このようなスクリーニング技術は、１９９２年２月６日に公開されたＰＣＴ  ＷＯ  ９２／０１８１０に記載される。例えば、リガンドとしてＰＴＨまたはＰＴＨｒＰの両方および候補アンタゴニスト（またはアゴニスト）を、このレセプターをコードするメラニン保有細胞と接触させることによって本発明のＰＴＨ１ＲレセプターまたはＰＴＨ３Ｒレセプターポリペプチドの活性化を阻害する（または増強する）化合物をスクリーニングするために、このようなアッセイは使用され得る。リガンドにより生成されるシグナルの阻害または増強は、その化合物が、リガンド／レセプターシグナル伝達経路のアンタゴニストまたはアゴニストであることを示す。
【００９３】
他のスクリーニング技術は、例えば、Ｓｃｅｉｎｃｅ  ２４６：１８１−２９６（１９８９年１０月）に記載されるようなレセプターの活性化によって起こる細胞外のｐＨの変化を測定する系における、レセプターを発現する細胞（例えば、トランスフェクトされたＣＨＯ細胞）の使用を含む。例えば、化合物は、本発明のＰＴＨ１ＲレセプターポリペプチドまたはＰＴＨ３Ｒレセプターポリペプチドを発現する細胞と接触され得、そして、第２メッセンジャー応答（例えばシグナル伝達またはｐＨ変化）が、その潜在的な化合物がそのレセプターを活性化または阻害するかを決定するために、測定され得る。
【００９４】
別のこのようなスクリーニング技術は、ＰＴＨ１ＲまたはＰＴＨ３ＲレセプターをコードするＲＮＡをＸｅｎｏｐｕｓ卵母細胞に導入して、このレセプターを一過的に発現する工程を含む。次いで、このレセプター卵母細胞を、レセプターリガンドおよびスクリーニングされるべき化合物と接触させ、続いてこのレセプターの活性化を阻害すると考えられる化合物をスクリーニングする場合に、カルシウムシグナル伝達の阻害または活性化を検出し得る。
【００９５】
別のスクリーニング技術は、このレセプターがホスホリパーゼＣまたはＤに連結されている構築物を細胞において発現させる工程を含む。このような細胞としては、内皮細胞、平滑筋細胞、胚性腎臓細胞などが挙げられる。このスクリーニングは、本明細書中上記に記載されるように、ＰＴＨ１ＲまたはＰＴＨ３Ｒレセプターの活性化あるいはホスホリパーゼシグナル伝達からのＰＴＨ１ＲまたはＰＴＨ３Ｒレセプターの活性化の阻害によって達成され得る。
【００９６】
別の方法は、本発明のアンタゴニストのレセプターポリペプチドの活性化を阻害する化合物を、その表面上にレセプターを有する細胞への標識リガンドの結合の阻害を決定することによってスクリーニングする工程を含む。このような方法は、真核生物細胞を、ＰＴＨ１ＲまたはＰＴＨ３ＲレセプターをコードするＤＮＡでトランスフェクトし、その結果この細胞が、その表面上でこのレセプターを発現する工程、およびこの細胞を既知のリガンドの標識化形態の存在下で化合物と接触させる工程、を含む。このリガンドは、例えば、放射線活性により、標識され得る。このレセプターに結合される標識化リガンドの量は、例えば、このレセプターの放射活性を測定することによって測定される。この化合物が、このレセプターに結合する標識化リガンドの減少によって決定されるように、このレセプターに結合する場合、標識化リガンドのこのレセプターへの結合は阻害される。
【００９７】
本発明のアゴニストおよびアンタゴニストについてのさらなるスクリーニングアッセイは、Ｔａｒｔａｇｌｉａ，Ｌ．Ａ．およびＧｏｅｄｄｅｌ，Ｄ．Ｖ．，Ｊ．Ｂｉｏｌ．Ｃｈｅｍ．２６７（７）：４３０４−４３０７（１９９２）に記載される。
【００９８】
従って、さらなる局面において、候補アゴニストまたはアンタゴニストが、ＰＴＨまたはＰＴＨｒＰへの細胞性応答を増強し得るかまたは阻害し得るかを決定するためのスクリーニング方法が提供される。この方法は、ＰＴＨ１ＲまたはＰＴＨ３Ｒポリペプチドを発現する細胞を、候補化合物およびＰＴＨまたはＰＴＨｒＰリガンドと接触させる工程、細胞性応答をアッセイする工程、ならびにこの細胞性応答を標準の細胞性応答とを比較する工程を包含し、この標準の細胞性応答は、候補化合物の非存在下でリガンドと接触がなされる場合にアッセイされ、それにより、標準の細胞性応答を超える増加した細胞性応答は、候補化合物が、リガンド／レセプターシグナル伝達経路のアゴニストであることを示し、そして標準の細胞性応答と比較して減少した細胞性応答は、候補化合物がリガンド／レセプターシグナル伝達経路のアンタゴニストであることを示す。「細胞性応答をアッセイする」とは、候補化合物および／またはＰＴＨもしくはＰＴＨｒＰに対する細胞性応答を定性的または定量的に測定すること（例えば、細胞増殖または滴定したチミジン標識における増加または減少を決定または評価すること）を意図する。本発明によって、ＰＴＨ１ＲまたはＰＴＨ３ポリペプチドを発現する細胞を、内因的または外因的に投与されたＰＴＨまたはＰＴＨｒＰのいずれかと接触させ得る。
【００９９】
本発明に従うアゴニストは、天然に存在する化合物および合成化合物（例えば、ＰＴＨまたはＰＴＨｒＰペプチドフラグメント）あるいはＰＴＨまたはＰＴＨｒＰアゴニストとして挙動することが公知のほかの化合物を含む。好ましいアゴニストとしては、例えば、シスプラチン、ドキソルビシン、ブレオマイシン、シトシンアラビノシド、ナイトロジェンマスタード、メトトレキサート、およびビンクリスチンのような化学療法剤が挙げられる。他のものとしては、エタノールおよびβ−アミロイドペプチドが挙げられる（Ｓｃｉｅｎｃｅ  ２６７：１４５７−１４５８（１９９５））。さらなる好ましいアゴニストとしては、ＰＴＨ１ＲまたはＰＴＨ３Ｒポリペプチドまたはそのフラグメントに対して惹起されたポリクローナル抗体およびモノクローナル抗体が挙げられる。
【０１００】
本発明に従うアゴニストとしては、天然に存在する化合物および合成化合物例えば、ＣＤ４０リガンド、中性アミノ酸、亜鉛、エストロゲン、アンドロゲン、ウイルス遺伝子（例えば、アデノウイルスＥｌＢ、バキュロウイルスｐ３５およびＩＡＰ、牛痘ウイルスｃｒｍＡ、エプスタイン−バーウイルスＢＨＲＦ１、ＬＭＰ−１、アフリカ豚コレラウイルスＬＭＷ５−ＨＬ、およびヘルペスウイルスｙｌ３４．５）、カルパインインヒビター、システインプロテアーゼインヒビター、および腫瘍プロモーター（例えば、ＰＭＡ、フェノバルビタール、およびα−ヘキサクロロシクロヘキサン）が挙げられる。
【０１０１】
他の潜在的なアンタゴニストとしては、アンチセンス分子が挙げられる。アンチセンス技術は、アンチセンスＤＮＡもしくはＲＮＡによって、または三重ヘリックス形成によって、遺伝子発現を制御するために使用され得る。アンチセンス技術は、例えば、Ｏｋａｎｏ，Ｊ．Ｎｅｕｅｏｃｈｅｍ．５６：５６０（１９９１）；Ｏｌｉｇｏｄｅｏｘｙｎｕｃｌｅｏｔｉｄｅｓ  ａｓ  Ａｎｔｉｄｅｎｓｅ  Ｉｎｈｉｂｉｔｏｒｓ  ｏｆ  Ｇｅｎｅ  Ｅｘｐｒｅｓｓｉｏｎ，ＣＲＣ  Ｐｒｅｓｓ，Ｂｏｃａ  Ｒａｔｏｎ，ＦＬ（１９９８）に考察される。三重ヘリックス形成は、例えば、Ｌｅｅら、Ｎｕｃｌｅｉｃ  Ａｃｉｄｓ  Ｒｅｓｅａｒｃｈ  ６：３０７３（１９７９）；Ｃｏｏｎｅｙら、Ｓｃｉｅｎｃｅ  ２４１：４５６（１９８８）；およびＤｅｒｖａｎら、Ｓｃｉｅｎｃｅ  ２５１：１３６０（１９９１）において議論される。この方法は、ポリヌクレオチドの相補的ＤＮＡまたはＲＮＡへの結合に基づく。
【０１０２】
例えば、本発明の成熟ポリペプチドをコードするポリヌクレオチドの５’コード部分は、約１０〜４０塩基対の長さのアンチセンスＲＮＡオリゴヌクレオチドを設計するために使用され得る。ＤＮＡオリゴヌクレオチドは、転写に関与する遺伝子の領域に相補的であるように設計され、それにより、レセプターの転写および産生を阻止する。アンチセンスＲＮＡオリゴヌクレオチドは、インビボでｍＲＮＡにハイブリダイズし、そしてｍＲＮＡ分子のレセプターポリペプチドへの転写をブロックする。上記のオリゴヌクレオチドはまた、細胞に送達され得、その結果、アンチセンスＲＮＡまたはＤＮＡは、インビボで発現されてレセプターの産生を阻害し得る。
【０１０３】
本発明に従うさらなるアンタゴニストは、ＰＴＨ１ＲまたはＰＴＨ３Ｒフラグメントの可溶性形態を含み、これは、全長レセプターの細胞外領域からのリガンド結合ドメインを含む。レセプターのこのような可溶性形態（天然に存在するかまたは合成であり得る）は、ＰＴＨまたはＰＴＨｒＰへの結合について、細胞表面ＰＴＨ１ＲまたはＰＴＨ３Ｒと競合することによって、ＰＴＨ１ＲまたはＰＴＨ３Ｒ媒介性シグナル伝達を拮抗する。これらは、好ましくは、二量体または三量体として発現される。なぜなら、これらは、アンタゴニストとして可溶性レセプターの単量形態（例えば、ＩｇＧＦｃ−ＰＴＨ１ＲまたはＩｇＧＦｃ−ＰＴＨ３Ｒレセプターファミリー融合）より優れていることが示されているからである。
【０１０４】
（投与の形式）
個体におけるＰＴＨ１ＲまたはＰＴＨ３Ｒレセプター活性の標準的または正常レベルにおける減少によって生じる状態は、ＰＴＨ１ＲまたはＰＴＨ３Ｒタンパク質の投与によって処置され得ることが理解される。従って、本発明はさらに、増加したレベルのＰＴＨ１ＲまたはＰＴＨ３Ｒレセプター活性が必要な個体を処置する方法を提供し、この方法は、このような個体に、このような個体においてＰＴＨ１ＲまたはＰＴＨ３Ｒレセプター活性レベルを増加するに有効な、有効量の本発明の単離されたＰＴＨ１ＲまたはＰＴＨ３Ｒポリペプチドを含む薬学的組成物を投与する工程を包含する。
【０１０５】
本発明はまた、増加したレベルのＰＴＨ１ＲまたはＰＴＨ３Ｒレセプター活性が必要な個体を処置する方法に関し、この方法は、このような個体に、有効量のＰＴＨ１ＲまたはＰＴＨ３Ｒについてのアゴニストを含む薬学的組成物を投与する工程を包含する。本発明はさらに、減少したレベルのＰＴＨ１ＲまたはＰＴＨ３Ｒレセプター活性が必要な個体を処置する方法に関し、この方法は、このような個体に、有効量のＰＴＨ１ＲまたはＰＴＨ３Ｒについてのアンタゴニストを含む薬学的組成物を投与する工程を包含する。
【０１０６】
一般的な提案として、用量あたりの非経口投与されるＰＴＨ１ＲまたはＰＴＨ３Ｒポリペプチドあるいはそのアゴニストまたはアンタゴニストの薬学的に有効な総量は、約１μｇ／ｋｇ／日〜１０ｍｇ／ｋｇ／日の範囲であるが、上記のように、これは、治療的裁量に供される。さらに好ましくは、この用量は、ヒトについて、少なくとも０．０１ｍｇ／ｋｇ／日、および最も好ましくは、約０．０１ｍｇ／ｋｇ／日と１ｍｇ／ｋｇ／日との間である。連続して与えられる場合、ＰＴＨ１ＲまたはＰＴＨ３Ｒポリペプチドは、代表的には、約１μｇ／ｋｇ／時間〜約５０μｇ／ｋｇ／時間の用量速度にて、１日あたり１〜４回の注射または連続皮下注入（例えば、ミニポンプを用いる）のいずれかによって投与される。静脈内バッグ溶液もまた、使用され得る。
【０１０７】
本発明のＰＴＨ１ＲまたはＰＴＨ３Ｒポリペプチドあるいはそのアゴニストまたはアンタゴニストを含む薬学的組成物は、経口的に、直腸的に、非経口的に、槽内的に、膣内的に、腹腔内的に、局所的に（粉末、軟膏、ドロップまたは経皮パッチによって）、口腔内に、または経口もしくは経鼻スプレーとして、投与され得る。「薬学的に受容可能なキャリア」は、非毒性固体、半固体もしくは液体充填剤、希釈剤、被包化材料または任意の型の形成補助剤を意味する。用語「非経口的」とは、本明細書中で使用される場合、静脈内、筋肉内、腹膜内、胸骨内、皮下および関節内の注射および注入を含む投与の形式をいう。
【０１０８】
（染色体アッセイ）
本発明の核酸分子はまた、染色体同定に価値がある。配列が、個々のヒト染色体の特定の位置に特異的に標的化され、そしてその位置とハイブリダイズし得る。本発明に従う染色体へのＤＮＡのマッピングは、疾患に関連する遺伝子とそれらの配列の相関における重要な第１工程である。
【０１０９】
この点に関する特定の好ましい実施形態において、本明細書中に開示されるｃＤＮＡは、ＰＴＨ１ＲまたはＰＴＨ３Ｒレセプター遺伝子のゲノムＤＮＡをクローニングするために使用される。これは、種々の周知の技術およびライブラリーを使用知れ達成され得るが、このライブラリーは、一般に市販されている。次いで、このゲノムＤＮＡは、この目的のための周知の技術を使用して、インサイチュ染色体マッピングのために使用される。さらに、いくつかの場合において、配列は、ｃＤＮＡからＰＣＲプライマー（好ましくは、１５〜２５ｂｐ）を調製することによって、染色体にマッピングされ得る。この遺伝子の３’未翻訳領域のコンピューター分析は、ゲノムＤＮＡ中の１つより多いエキソンにわたらないプライマーを迅速選択するために使用され、従って、増幅プロセスを複雑化する。次いで、これらのプライマーは、個々のヒト染色体を含む体細胞ハイブリッドのＰＣＲスクリーニングのために使用される。
【０１１０】
ｃＤＮＡクローンの中期染色体スプレッドへの蛍光インサイチュハイブリダイゼーション（「ＦＩＳＨ」）は、１つの工程において正確な染色体位置を提供するために使用され得る。この技術は、５０または６０ｂｐほどの短いｃＤＮＡからのプローブとともに使用され得る。この技術の概説については、Ｖｅｒｍａら、Ｈｕｍａｎ  Ｃｈｒｏｍｏｓｏｍｅｓ：Ａ  Ｍａｎｕａｌ  Ｏｆ  Ｂａｓｉｃ
Ｔｅｃｈｎｉｑｕｅｓ，Ｐｅｒｇａｍｏｎ  Ｐｒｅｓｓ，Ｎｅｗ  Ｙｏｒｋ（１９８８）を参照のこと。
【０１１１】
一旦、配列が、正確な染色体位置にマッピングされると、染色体上の配列の物理的位置は、遺伝子マップデータと相関し得る。このようなデータは、例えば、Ｖ．ＭｃＫｕｓｉｃｋ，Ｍｅｎｅｄｅｌｉａｎ  Ｉｎｈｅｒｔａｎｃｅ  Ｉｎ  Ｍａｎに見出され、Ｊｈｏｎｓ  Ｈｏｐｋｉｎｓ  Ｕｎｉｖｅｒｓｉｔｙ，Ｗｅｌｃｈ  Ｍｅｄｉｃａｌ  Ｌｉｂｒａｒｙを通じてオンラインで利用可能である。次いで、同じ染色体領域にマッピングされている遺伝子と疾患との間の関係は、連鎖解析（物理的に隣接する遺伝子の共遺伝（ｃｏｉｎｈｅｒｉｔａｎｃｅ））と通じて同定される。
【０１１２】
次に、罹患した個体と罹患していない個体との間のｃＤＮＡ配列またはゲノム配列における差異を決定することが必要である。変異が、いくらかまたは全ての罹患した個体において観察されるが、任意の正常な個体においては観察されない場合、この変異は、おそらく疾患原因因子である。
【０１１３】
本発明を一般的に記載してきたが、同じものが、以下の実施例（これは、例示のために提供され、限定することは意図されない）を参照することによってより容易に理解される。
【０１１４】
（実施例）
（実施例１：ゼブラフィッシュＰＴＨ１Ｒおよび新規な３型レセプターであるＰＴＨ３ＲをコードするゲノムＤＮＡクローンの単離）
ゼブラフィッシュゲノムＤＮＡならびにいくつかの縮重正方向および逆方向プライマー（図１）を使用して、それぞれ、約２００および８４０ｂｐの２つの個別の産物を、ストリンジェントな条件下で得た。ネスト化（ｎｅｓｔｅｄ）ＰＣＲ（ｎＰＣＲ）のための正方向（Ｆｏｒ）および逆方向（Ｒｅｖ）縮重プライマー（ＭＧＨ  Ｐｌｙｍｅｒ  ｃｏｒｅ  ｆａｃｉｌｉｔｙにより合成された）は、以前に単離された哺乳動物およびカエルのＰＴＨ１Ｒ配列に基づいた。プライマーを、エキソンＭ６／７（これは、哺乳動物において、第３の細胞外ループおよび膜貫通（ＴＭ）ヘリックス７のアミノ末端部分をコードする）およびエキソンＭ７（これは、ＴＭ７のカルボキシ末端部分および細胞内テイルの開始をコードする）に位置した（Ｋｏｎｇら、（１９９４）；Ｓｃｈｉｐａｎｉら、（１９９５））（図１）。
【０１１５】
第１のＰＣＲ反応のためのプライマーは、以下である：Ｆｏｒ  Ｍ６ａ（５’ＴＴＹＧＧＩＧＴＳＣＡＹＴＡＹＡＴＨＧＴＶＴＴ；（配列番号２６）５７６倍縮重）またはＦｏｒ  Ｍ６ｂ（５’ＧＴＳＹＴＢＲＴＧＣＣＩＣＴＨＹＴＹＧＧ（配列番号６）１１５２倍縮重）、およびＲｅｖＭ７（ＣＴＣＤＣＣＡＴＴＲＣＡＧＷＡＲＣＡＧＴＡＤＡＴ；（配列番号７）７２倍縮重）（図１）。ＰＣＲを、１ｍｇのゼブラフィッシュ（Ｄａｎｉｏ  ｒｅｒｉｏ）ゲノムＤＮＡ、Ｇｉｂｃｏ  Ｔａｑ（５ユニット）、および以下のＰＣＲプロフィール［９５℃にて３分間、開始変性（９４℃にて１分間変性、５０℃にて１分間アニール、そして７２℃にて４〜６分間重合化）を３５サイクル］を使用して、ＭＪリサーチサーマルサイクラー（Ｗａｔｅｒｔｏｗｎ，ＭＡ）にて行った。ｎＰＣＲを、２μｌの１：１００希釈した開始ＰＣＲ産物を、縮重ネスト化プライマーＲｅｖ  Ｍ７＃２（５’ＧＴＡＤＡＴＲＡＴＤＧＭＭＡＣＡＡＡＲＡＡＤＣＣ；（配列番号８）４３２倍縮重）とともに使用し、そして以前と同じＰＣＲプロフィールを使用して、Ｆｏｒ  Ｍ６ａまたはＦｏｒ  Ｍ６ｂのいずれかを用いて行った（図１）。ｎＰＣＲ産物を、エチジウムブロマイドを用いて１．５％アガロースゲル上で同定し、そして約２１０ｂｐおよび８５０ｂｐのＤＮＡ種を切り出し、スピンカラム（Ｂｉｏ１０１，Ｌａ  Ｊｏｌｌａ，ＣＡ）によってスピンし、一晩エタノール沈殿させ［（１／１０容量の３Ｍ酢酸ナトリウムを添加した、２容量のエタノール、１μｌのグリコーゲン（Ｐｈａｒｍａｃｉａ，Ｕｐｐｓａｌａ，Ｓｗｅｄｅｎ）］、そしてｐＧＥＭ−Ｔ（Ｐｒｏｍｅｇａ，Ｍａｄｉｓｏｎ，ＷＩ）に連結した。コンピテントなＤＨ５ａ  Ｅ．ｃｏｌｉ細胞（Ｇｉｂｃｏ，Ｇｒａｎｄ
Ｉｓｌａｎｄ，ＮＹ）の形質転換の後、単一のコロニーからのプラスミドＤＮＡを、標準的なプロトコルを使用して精製し、そして33Ｐサイクル配列決定（Ａｍｅｒｓｈａｍ，Ａｒｌｉｎｇｔｏｎ  Ｈｅｉｇｈｔｓ，ＩＬ）によって、８Ｍ尿素６％ポリアクリルアミドフィールド勾配ゲル（Ｒｕｂｉｎら、１９９８）上で配列決定した。ＤＮＡ配列（Ｆｏｒ  Ｍ６ａまたはＦｏｒ  Ｍ６ｂを使用してネスト化したＰＣＲから）を、ＧＣＧパッケージプログラム（ＧＣＧ，Ｕｎｉｖ．ＷＩ）によって分析し、続いて、それぞれ、ｚＰＴＨ１Ｒ（ＴＭ６／７）／ＧＥＭ−ＴおよびｚＰＴＨ３Ｒ（ＴＭ６／７）／ＧＥＭ−Ｔと称した。
【０１１６】
ヌクレオチド配列分析は、両方のクローンが、その５’および３’末端で、ｈｐＴＨ１Ｒと有意な相同性を示したことを明らかにした（それぞれ、７８％および７３％同一性）。クローン＃１（ｚＰＴＨ１Ｒ（ＴＭ６／７））は、８４ｂｐのイントロン性配列（８１ｂｐのｈｐＴＨ１Ｒと比較して）を含んだが（Ｓｃｈｉｐａｎｉら、（１９９５））、クローン＃２（ｚＰＴＨ３Ｒ（ＴＭ６／７））は、７００ｂｐを超えるイントロンを含んだ。これらの発見は、２つの個別の遺伝子の部分が単離され、その両方が、ＰＴＨ２Ｒとの相同性より高いＰＴＨ１Ｒとの相同性（それぞれ、６４％および７０％同一性）を共有することを示した。
【０１１７】
（実施例２：ｚＰＴＨ１ＲおよびｚＰＴＨ３Ｒをコードする部分ｃＤＮＡクローンの単離）
成体ゼブラフィッシュからの総ＲＮＡを、以前に記載（Ｒｕｂｉｎら、（１９９９））の通りに単離し、そしてテンプレートとしてＲＴ−ＰＣＲ（Ｇｉｂｃｏ）に使用した。ＲＴ−ＰＣＲのためのＦｏｒプライマーおよびＲｅｖプライマーは、哺乳動物エキソンＭ６／７およびＭ７に対応するｚＰＴＨ１ＲまたはｚＰＴＨ３ＲゲノムＤＮＡ配列（それぞれ、ｚＰＴＨ１Ｒ（ＴＭ６／７）／ＧＥＭ−ＴおよびｚＰＴＨ３Ｒ（ＴＭ６／７）／ＧＥＭ−Ｔ（図１））のいずれかに基づいた。逆転写（ＲＴ）を、ＳｕｐｅｒｓｃｒｉｐｔＩＩ  ＲＮＡａｓｅＨ-逆転写酵素および５μｇの総ＲＮＡを、それぞれｚＰＴＨ１Ｒ／Ｒｅｖ  ６（１）（５’ＧＣＡＴＴＴＣＡＴＡＡＴＧＣＡＴＣＴＧＧＡＴＴＴＧ）（配列番号９）またはｚＰＴＨ３Ｒ／Ｒｅｖ  ６（１）（５’ＣＴＧＴＧＡＡＧＡＡＴＴＧＡＡＧＡＧＣＡＴＣＴＣ（配列番号１０）とともに用いて４２℃にて行った。ＰＣＲを、Ｆｏｒ  ３１３（５’ＡＣＭＡＡＣＴＡＣＴＡＹＴＧＧＡＴＹＣＴＧＧＴＧ（配列番号１１）；８倍縮重）および２つのＲｅｖ６（１）プライマーのいずれかを用いて、Ｇｉｂｃｏ  Ｔａｑ（５ユニット）および以下のＰＣＲプロフィール［９５℃にて３分間、開始変性（９４℃にて１分間変性、５６℃にて１分間アニール、そして７２℃にて２分間重合化）を３５サイクル）］を使用して行った。ｎＰＣＲを、開始ｚＰＴＨ１ＲまたはｚＰＴＨ３Ｒ  ＲＴ−ＰＣＲ産物からの２μｌの１：１００希釈物、およびｚＰＴＨ１Ｒ／Ｒｅｖ  ６（２）（５’ＡＧＡＡＡＣＴＴＣＴＧＴＧＴＡＡＧＧＣＡＴＣＧＣ）（配列番号１２）またはｚＰＴＨ３Ｒ／Ｒｅｖ  ６（２）（５’ＡＡＧＡＧＣＣＡＴＧＡＡＣＡＧＣＡＴＧＴＡＡＴＧ）（配列番号１３）のいずれか、およびＦｏｒ  ３１３プライマーを用いて、３５サイクル以外は以前のＰＣＲプロフィールを使用して行った。
【０１１８】
ｚＰＴＨ１ＲおよびｚＰＴＨ３Ｒ産物を、エチジウムブロマイドを用いて１．５％アガロースゲル上で同定し、約４５ｂｐのｃＤＮＡ種を上記の通りにｐＧＥＭ−Ｔにクローニングして、それぞれ、ｚＰＴＨ１Ｒ（ＴＭ３／６）／ｐＧＥＭＴおよびｚＰＴＨ３Ｒ（ＴＭ３／６）／ｐＧＥＭＴを得た。
【０１１９】
（実施例３：ｚＰＴＨ１Ｒをコードする全長ｃＤＮＡの単離）
ＲＴ−ＰＣＲは、Ｆｏｒ３１３およびｚＰＴＨ１Ｒ（ＴＭ６／７）に特異的なプライマーを使用して、４５０ｂｐのｃＤＮＡであるｚＰＴＨ１Ｒ（ＴＭ３／６）（哺乳動物ＰＴＨ１ＲのＴＭ３からＴＭ６に対応する）を産生した。続いて、５’および３’ＲＡＣＥ反応を行って、重複配列を生成し、そして全長ｚＰＴＨ１Ｒクローンを、唯一のＭｆｅＩエンドヌクレアーゼ制限部位を使用して構築した（図１）。
【０１２０】
５’および３’ＲＡＣＥ反応（Ｇｉｂｃｏ）を、総ＲＮＡ、およびｚＰＴＨ１Ｒ（ＴＭ３／６）／ｐＧＥＭＴヌクレオチド配列に基づくプライマーを使用して行った。５’ＲＡＣＥについてのＲＴを、Ｒｅｖ６（２）を使用したことを除いて上記の通りに行った。第１の５’ＲＡＣＥ  ＰＣＲを、Ｒｅｖ６（３）（５’ＧＡＡＧＡＣＴＡＴＧＴＡＧＴＧＡＡＣＡＣＣＧＡＡ）（配列番号１４）、Ｇｉｂｃｏ  Ｔａｑ（２．５ユニット）、および以下のＰＣＲプロフィール［９５℃にて３分間、開始変性（９４℃にて１分間変性、５５℃にて１分間アニール、そして７２℃にて２分間重合化）を７サイクル、続いて６４℃のアニーリングを２８サイクル］を用いて行った。第１のｎＰＣＲを、以前のＰＣＲからの５μｌの１：１００希釈物、Ｒｅｖ  ＴＭ５プライマー（５’ＡＴＡＴＴＧＴＴＧＴＣＴＧＧＴＧＴＣＡＣＡＴＣＴ）（配列番号１５）、（ＫｌｅｎＴａｑ、５．０ユニット）（Ｃｌｏｎｔｅｃｈ，ＣＡ）、および以下のＰＣＲプロフィール［９５℃にて３分間、開始変性（９４℃にて１分間変性、６２℃にて１分間アニール、そして７２℃にて２分間重合化）を３５サイクル｝７２℃にて１０分間の最終伸長］を用いて行った。第２のｎＰＣＲを、第１のｎＰＣＲからの５μｌの１：１００希釈物、Ｒｅｖ  ４×プライマー（５’ＣＧＣＡＴＴＴＧＴＴＴＣＴＣＧＡＡＧＴＴＴＴＧＴＴＧＣ）（配列番号１６）、Ｇｉｂｃｏ  Ｔａｑ（５．０ユニット）および第１のｎＰＣＲと同じＰＣＲプロフィールを用いて行った。第２のｎＰＣＲ産物を、上記の通りに精製し、そしてｐＧＥＭ−Ｔ  ＥＡＳＹ（Ｐｒｏｍｅｇａ）に連結して、ＴＯＰ１０Ｅ．ｃｏｌｉ細胞（Ｉｎｖｉｔｒｏｇｅｎ）の転写のためのｚＰＴＨ１Ｒ（５’）／ｐＧＥＭＴｅａｓｙを得た。
【０１２１】
３’ＲＡＣＥについて、ＲＴを、以前の通りだが、オリゴｄＴアンカープライマー（Ｇｉｂｃｏ）を用いて行った。ＰＣＲを、Ｆｏｒ  ＴＭ３プライマー（５’ＡＴＣＴＴＣＡＴＧＡＣＣＴＴＣＴＴＣＴＣＡＧＡＣ）（配列番号１７）、Ｇｉｂｃｏ  Ｔａｑ（２．５ユニット）、および以下のプロフィール［９５℃にて３分間、開始変性（９４℃にて１分間変性、６４℃にて１分間アニール、そして７２℃にて３分間重合化）を３５サイクル｝７２℃にて１０分間の最終伸長］を用いて行った。ｎＰＣＲを、以前のＰＣＲプロフィールを、以前のＰＣＲからの５μｌの１：１００希釈物、およびＦｏｒ  ４（１）（５’ＡＧＧＡＡＧＴＡＣＣＴＣＴＧＧＧＧＣＴＴＣＡ）（配列番号１８）とともに用いて行った。３’ＲＡＣＥ  ｎＰＣＲ産物を精製し、そしてクローニングして、ｚＰＴＨ１Ｒ（３’）／ｐＧＥＭＴｅａｓｙを得た。
【０１２２】
ｚＰＴＨ１Ｒ（５’）／ｐＧＥＭＴｅａｓｙおよびｚＰＴＨ１Ｒ（３’）／ｐＧＥＭＴｅａｓｙのＭｉｄｉｐｒｅｐ  ＤＮＡを、Ｍｆｅ  ＩおよびＮｄｅ  Ｉ（Ｎｅｗ  Ｅｎｇｌａｎｄ  Ｂｉｏｌａｂｓ，Ｂｅｖｅｒｌｙ、ＭＡ）で消化し、そしてｚＰＴＨ１Ｒ（３’）由来の１．０Ｋｂのフラグメントを、ｚＰＴＨ１Ｒ（５’）／ｐＧＥＭＴｅａｓｙ由来の約４．５Ｋｂのフラグメントに連結して、全長ｚＰＴＨ１Ｒクローンである、ｚＰＴＨ１Ｒ（ＦＬ）／ｐＧＥＭＴｅａｓｙを得た。ｚＰＴＨ１Ｒ（ＦＬ）／ｐＧＥＭＴｅａｓｙプラスミドＤＮＡを、ＥｃｏＲＩおよびＳａｃＩで消化し、そしてｐＧＥＭ−３（Ｐｒｏｍｅｇａ）中の対応する部位中にクローニングして、ｚＰＴＨ１Ｒ（ＦＬ）／ｐＧＥＭ３を得た。続いて、ｚＰＴＨ１ＲのＥｃｏＲＩ／ＳｐｈＩフラグメント（コード領域全体を含むｚＰＴＨ１Ｒ（ＦＬ）／ｐＧＥＭ３のインサート由来）を、ｐｃＤＮＡＩ／Ａｍｐ（Ｉｎｖｉｔｒｏｇｅｎ）の対応する部位中にクローニングして、ｚＰＴＨ１Ｒ（ＦＬ）／ｐｃＤＮＡＩ／Ａｍｐ（ｚＰＴＨ１Ｒ）を得た。
【０１２３】
５’ＲＡＣＥ反応は、２つのＰＣＲ産物（同一のＫｏｚａｋ配列およびコード領域（推定シグナル配列を含む）を含む）を生成したが、５’ＵＴの長さが変化した；５’ＲＡＣＥ＃２９は１４９ｂｐであり、５’ＲＡＣＥ＃２５は３９１ｂｐであった。両方のクローン（ｚＰＴＨ１Ｒ＃２５およびｚＰＴＨ１Ｒ＃２９）を、放射リガンドアッセイ、総ＩＰ生成およびｃＡＭＰ蓄積によって特徴付けた。
【０１２４】
ｚＰＴＨ１Ｒ  ｃＤＮＡ（５３６残基、図２Ａ）によってコードされるアミノ酸配列は、カエルＰＴＨ１Ｒおよび哺乳動物ＰＴＨ１Ｒに対する最高の配列相同性を示した（Ｂｅｒｗｉｔｚら（１９９８）；Ｋｏｎｇら（１９９４））。ｈＰＴＨ１Ｒに対するアミノ酸配列全体の相同性は、７６％であったが、ｈＰＴＨ２Ｒと比較した場合には６８％に過ぎなかった。哺乳動物ＰＴＨ１Ｒと類似して、ｚＰＴＨ１Ｒの３’非コード領域は、代表的なポリアデニル化シグナル配列を含まなかったが、しかし、不完全な配列が、ポリＡ(n)テイルの４９ｂｐ上流に見出された（ＴＡＴＡＡＡ）。
【０１２５】
（実施例４：ｚＰＴＨ３Ｒをコードする全長ｃＤＮＡの単離）
ゲノムクローンであるｚＰＴＨ３Ｒ（ＴＭ６／７）は、５’末端および３’末端で、ｚＰＴＨ１ＲおよびｚＰＴＨ２Ｒに類似しているが異なるヌクレオチド配列を含み、そして、イントロン配列の約７００ｂｐ（８４ｂｐではなく）を含んだ。この情報は、新規な遺伝子の部分が単離されたことを示し、続いて、ｚＰＴＨ３Ｒといわれた。Ｆｏｒ３１３およびｚＰＴＨ３Ｒ（ＴＭ６／７）に特異的なプライマーを使用するＲＴ−ＰＣＲは、４５０ｂｐのｃＤＮＡクローンであるｚＰＴＨ３Ｒ（ＴＭ３／６）を生成した。これは、ｚＰＴＨ３ＲのＴＭ３〜ＴＭ６をコードする。
【０１２６】
ゼブラフィッシュ１  ｇｔｌ  １  ｃＤＮＡライブラリー（Ｃｌｏｎｔｅｃｈ）を、ｚＰＴＨ３Ｒ（ＴＭ３／６）／ｐＧＥＭＴからのＰＣＲによって生成した４５０ｂｐの32Ｐ放射標識化ｃＤＮＡプローブを使用する、プラークハイブリダイゼーションによってスクリーニングした。１．５×１０6ｐｆｕを有するフィルターを、５０％ホルムアミド中で（４２℃で１８時間）ハイブリダイズし（Ｒｕｂｉｎら、１９９９）、そして洗浄を、１×ＳＳＣ／０．１％ＳＤＳを用いて、室温、５０℃、および５５℃で、それぞれ各３０分間実施した。オートラジオグラフィ−を、ＤｕＰｏｎｔ  Ｃｒｏｎｅｘ増感スクリーンおよびＫｏｄａｋ  ＸＡＲフィルムを用いて、５日間、−７０℃で実施した。単一のファージを、プラーク精製し（ｐｌａｑｕｅ−ｐｕｒｉｆｉｅｄ）、そしてλＴＲＡＰファージキット（Ｃｌｏｎｔｅｃｈ）を使用してｐｃＤＮＡＩ／ＡｍｐのＥｃｏＲＩ部位中にサブクローニングして、ｚｅｂ３−３’／ｐｃＤＮＡＩ／Ａｍｐを得た。
【０１２７】
５’ＲＡＣＥ反応（Ｇｉｂｃｏ）を、３つの首尾よい逆ｚＰＴＨ３Ｒプライマー：
【０１２８】
【化１】
2002531091.tif 000002
を使用して、上記の通りに実施した。このｃＤＮＡ産物を、ｐＧＥＭＴ−ＥＡＳＹに連結し（ｚｅｂ３−５’／ｐＧＥＭＴを生じる）、ミニプレップ（ｍｉｎｉｐｒｅｐ）し、そしてこれらの配列を、ＧＣＧを使用して、既知のＰＴＨレセプターに対する相同性について分析した。インサート（哺乳動物ＰＴＨ１Ｒのシグナル配列に対する相同性を有するヌクレオチド配列を含むように決定された）を、ＢａｍＨＩ、ＡｐａＬＩ、およびＮｏｔＩについての部位を使用してｚｅｂ３−３’／ｐｃＤＮＡＩ／Ａｍｐ中に連結して、ｚＰＴＨ３Ｒ（ＦＬ）ｐｃＤＮＡＩ／Ａｍｐ（ｚＰＴＨ３Ｒ）を得た。
【０１２９】
１．５×１０6のスクリーニングされたＰＦＵから、単一のファージクローンを同定し、そして２．５Ｋｂのインサートをサブクローニングしてｚｅｂ３−３’／ｐｃＤＮＡＩ／Ａｍｐを得た。配列分析は、このクローンが、哺乳動物エキソンＥ１に対応する領域からエキソンＴによってコードされるカルボキシ末端領域まで、公知のＰＴＨ１Ｒに密接に関連することを示した（Ｋｏｎｇら（１９９４））。しかし、このアミノ末端をコードするｃＤＮＡ部分、細胞外ドメイン、および終止コドン直前の３’非翻訳領域のほとんどが、失われていた。ゼブラフィッシュの総ＲＮＡ上での５’ＲＡＣＥは、いくつかの推定スプライス改変体の存在を示した。このことは、ｚＰＴＨ２Ｒでの知見に類似する（Ｒｕｂｉｎら（１９９９））。１０個のｚｅｂ３−５’クローンのうちの７つを、哺乳動物のエキソンＥ３およびエキソンＥ１に類似するｃＤＮＡ配列を含むと同定した。これらは、ＰＴＨ１Ｒのアミノ末端の細胞外ドメインの部分をコードする。これれらのクローンはまた、Ｋｏｚａｋ配列および哺乳動物ＰＴＨ１Ｒにおいて見出されたシグナルペプチド配列に対する相同性を有するヌクレオチド配列を含んだ（Ｋｏｎｇら（１９９４）；Ｓｃｈｉｐａｎｉら（１９９５））。他の３つのｚｅｂ３−５’クローン（これはまた、Ｅ３等価物およびＥ１等価物を含んだ）は、異なる５’末端を有した。そして従って、推定スプライス改変体を示し得る。ｚＰＴＨ２Ｒ（Ｒｕｂｉｎら（１９９９））およびヒトＰＴＨ１Ｒ（Ｊｏｕｎら（１９９７）、Ｂｅｔｔｏｕｎら（１９９７））に類似して、これらのｚＰＴＨ３Ｒ推定スプライス改変体の１つは、シグナルペプチド配列を欠如したが、しかし、エキソンＥ１等価物の上流に２つの開始ＡＵＧコドンを含んだ。第２の推定スプライス改変体は、Ｋｏｚａｋ配列、開始ＡＵＧを欠如し、そしてＥ１の等価物の上流に高度に変化した配列（これは、シグナルペプチドを示すようである）を含んだ。Ｋｏｚａｋ配列、インフレームＡＵＧ、およびｚＰＴＨ１Ｒに対する相同性を有する５’コード領域を含んだこれらのクローンのみを、ｚｅｂ３−３’／ｐｃＤＮＡＩ／ＡｍｐのＡｐａＬＩ部位中に連結して、全長ｚＰＴＨ３Ｒを得た（図１）。
【０１３０】
全体として、この新規なレセプターによってコードされる配列（５４２残基、図２Ｂ）は、ｚＰＴＨ１Ｒと６６％のアミノ酸類似性および５９％のアミノ酸同一性を共有したが、ｚＰＴＨ２Ｒとは５５％の類似性を共有したに過ぎなかった。カエルＰＴＨ１Ｒ、ｚＰＴＨ１ＲおよびｚＰＴＨ３Ｒに類似して、エキソンＥ２によってコードされるｃＤＮＡの等価物を欠如し、このことは、この非必須のエキソンの出現が，哺乳動物の進化的革新を示すことを示唆する（Ｌｅｅら（１９９４））。
【０１３１】
この哺乳動物Ｅ２子孫形（ａｐｏｍｏｒｐｈｙ）と対照的に、ｚＰＴＨ１ＲおよびｚＰＴＨ３Ｒは、Ｇタンパク質共役型レセプターのこのファミリーの全ての既知の哺乳動物および非哺乳動物メンバーと同じ８つの細胞外システイン、ならびにいくつかの他の「指示（ｓｉｇｎａｔｕｒｅ）残基」を含む（Ｇタンパク質共役型レセプターデータベース：Ｈｔｔｐ：／／ｗｗｗ．ｇｅｒｄｂ．ｕｔｈａｃｓａ．ｅｄｕ）。しかし、ｚＰＴＨ１ＲとｚＰＴＨ３Ｒとの間に、潜在的なＮグリコシル化についてのコンセンサス配列（Ｎ−Ｘ−ＳまたはＮ−Ｘ−Ｔ）の数における差異が、存在する：全てのゼブラフィッシュＰＴＨレセプターについては、２つのみが保存される（図２Ｃ）。さらに、細胞内テイル残基の分析は、この領域が、ＰＴＨレセプターサブタイプ間でより高い割合の配列バリエーションを有し、そしてそれゆえに、さらなる比較について使用されることを示す（表２）。例えば、この領域におけるｚＰＴＨ１ＲとｈＰＴＨ１Ｒとの間の相同性は、５６％であり、これは、ｚＰＴＨ２ＲおよびｈＰＴＨ２Ｒについての５８％のアミノ酸類似性に類似する。対照的に、ｚＰＴＨ３Ｒのテイル領域とｈＰＲＨ１Ｒのテイル領域との間の相同性は、３８％であり、そしてｈＰＴＨ２Ｒと比較した場合は、２８％である（表２）。従って、ｚＰＴＨ３Ｒを、ＰＴＨ／ＰＴＨｒＰレセプターファミリーにおける新規なメンバーとして同定した。
【０１３２】
（実施例５：ＣＯＳ−７細胞におけるｚＰＴＨ１ＲおよびｚＰＴＨ３Ｒの機能的特徴付け）
２つの全長ｚＰＴＨ１Ｒ（＃２５および＃２９）ならびにｚＰＴＨ３ＲをコードするプラスミドＤＮＡを、ＣＯＳ−７細胞中で一過的に発現した。ＣＯＳ−７アフリカミドリザル腎臓細胞（２４ウェルプレート中に約２００，０００細胞／ウェル）を、上記のように、培養し、そしてプラスミドＤＮＡ（２００ｎｇ／ウェル）を用いてトランスフェクトした（Ｒｕｂｉｎら（１９９８））。トランスフェクション後、細胞を、毎日培地を交換しながら３７℃で７２時間培養し、続いて、これらが９６時間後に機能的に評価されるまで、さらに３３℃で２４時間培養した（Ｇａｒｄｅｌｌａら（１９９７））。
【０１３３】
ｚＰＴＨ１ＲまたはｚＰＴＨ３Ｒのいずれかを発現するＣＯＳ−７細胞を用いる放射リガンド研究を、125Ｉ標識化［Ｎｌｅ8,21，Ｔｙｒ34］ｒＰＴＨ−（１−３４）アミド（ｒＰＴＨ）（配列番号２２）または125Ｉ標識化［Ｔｙｒ36］ｈＰＴＨｒＰ−（１−３６）アミド（ＰＴＨｒＰ）（配列番号２３）のいずれか、および漸増濃度の［Ｔｙｒ34］ｈＰＴＨ（１−３４）アミド（ＰＴＨ）（配列番号２４）または［Ｔｙｒ36］ｈＰＴＨｒＰ（１−３６）アミド（ＰＴＨｒＰ）（配列番号２５）のいずれかを使用して、上記の通りに実施した（Ｂｅｒｗｉｔｚら（１９９７））。ペプチドを、Ｇａｒｄｅｌｌａら（１９９６）に記載されるようにＭＧＨポリマーコアファミリーによって合成した。特異的結合を、結合全体から、過剰な非標識ペプチドの存在における放射リガンド結合を減じることによって算出した。全ての点は、２つ以上の独立な実験からの２〜３回の繰り返しの平均±Ｓ．Ｅ．Ｍ．を示す。ＩＣ50値（放射リガンド結合の５０％阻害を生じる競合リガンドの用量）を、以前に記載される通りに算出した（Ｇａｒｄｅｌｌａら（１９９６））。
【０１３４】
ｚＰＴＨ１ＲおよびｚＰＴＨ３Ｒを発現するＣＯＳ−７細胞のアゴニスト依存性ｃＡＭＰ蓄積を評価するために、実験を、漸増濃度のＰＴＨまたはＰＴＨｒＰのいずれかの存在下で刺激されるＣＯＳ−７細胞を用いて２４ウェルプレートで行い、そして細胞内ｃＡＭＰを、記載される通りに決定した（Ｂｅｒｇｉｗｔｚら（１９９８））。ＥＣ50値を、以前に記載される通りに決定した（Ｇａｒｄｅｌｌａら（１９９６））。
【０１３５】
ｚＰＴＨ１Ｒ、ｚＰＴＨ３ＲおよびｈＰＴＨ１Ｒを発現するＣＯＳ−７細胞についての総イノシトールホスフェート代謝回転（ｔｕｒｎｏｖｅｒ）を決定するために、細胞を、ＣＯＳ−７細胞を用いて６ウェルプレートで増殖した（ｚＰＴＨ１Ｒ、ｚＰＴＨ３ＲまたはｈＰＴＨ１Ｒのいずれかの１μｇ／ウェルを用いてトランスフェクトした約２００，００細胞／ウェル（ｓｔｉｎａ））。細胞を、毎日培地を交換しながら、３７℃でＤＭＥＭ／７％ウシ胎仔血清（ＦＢＳ）中で３日間培養した。次いで、この細胞を、イノシトール非含有ＤＭＥＭ（Ｇｉｂｃｏ）／７％ＦＢＳ中で、３μＣｉ／ｍｌのｍｙｏ−［3Ｈ］イノシトール（Ｎｅｗ  Ｅｎｇｌａｎｄ  Ｎｕｃｌｅａｒ，Ｂｏｓｔｏｎ，ＭＡ）とともにプレローディング（ｐｒｅｌｏａｄ）した（３３℃で１８時間）。翌日、プレートをリンスし、次いで、３０ｍＭ  ＬｉＣｌの存在下で、ＤＭＥＭ／０．１％ＢＳＡ中でＰＴＨ、ＰＴＨｒＰのいずれかの１０-6Ｍとともにか、またはＤＭＥＭ／０．１％ＢＳＡ単独で、インキュベートした（３７℃で４０分）。総イノシトールホスフェート（ＩＰ）を、以前に記載される通りに（Ｉｉｄａ−Ｋｌｅｉｎら（１９９４および１９９５））、アニオン交換カラムクロマトグラフィーによって単離し、そして１ｍｌの溶出物（総量の１／８）を、液体シンチレーションカウンター（モデルＬＳ  ６０００ＩＣ、Ｂｅｃｋｍａｎ，Ｆｕｌｌｅｒｔｏｎ，ＣＡ）中で計数した。全ての点は、２つ以上の独立な実験からの２〜３回の繰り返しの平均±Ｓ．Ｅ．Ｍ．を示す。
【０１３６】
両方のｚＰＴＨ１Ｒクローンは、放射標識化ｒＰＴＨおよび放射標識化ＰＴＨｒＰの高親和性結合を示した（表２、図４）。明らかに、より短い５’ＵＴに起因して、ｚＰＴＨ１Ｒ＃２９は、＃２５と比較して、わずかに高い発現レベルおよびより高い最大ｃＡＭＰ蓄積を示した（ｈＰＴＨｒＰについて１０１．６ｐｍｏｌｅ／ウェルおよびｈＰＴＨについて１０６．２ｐｍｏｌｅ／ウェル、対、ｈＰＴＨｒＰについて９２．４ｐｍｏｌｅ／ウェルおよびｈＰＴＨについて９０．４ｐｍｏｌｅ／ウェル；表２を参照のこと）が、さもなければ、両方のクローンは、識別不可能であった。従って、ｚＰＴＨ１Ｒ＃２９についての機能的データのみが、提示される（図３、表３）。興味深いことに、ｚＰＴＨ３Ｒは、放射標識化ＰＴＨｒＰについて、ｒＰＴＨよりもより高い特異的結合を示した。さらに、ｚＰＴＨ３Ｒは、ＰＴＨｒＰについて、ＰＴＨよりもより高い見かけのＫｄを示した（それぞれ、約３ｎＭ対約１００ｎＭ）。これらの結果は、ｚＰＴＨ３Ｒが、ＰＴＨｒＰと優先的に相互作用することを示す。
【０１３７】
これらの結合データと類似して、ｚＰＴＨ１Ｒを発現するＣＯＳ−７細胞は、ＰＴＨまたはＰＴＨｒＰのいずれかに応答するｃＡＭＰ蓄積について非常に類似したＥＣ50を示した。これは、哺乳動物ＰＴＨ１Ｒでの知見と類似する（ＥＣ50：ＰＴＨについて０．８±０．０３ｎＭおよびＰＴＨｒＰについて０．３±０．０４ｎＭ、表２）。ｚＰＴＨ３Ｒは、より高い最大ｃＡＭＰ蓄積を示した（ＰＴＨについて２８５．４ｎＭおよびＰＴＨｒＰについて２２７．４ｎＭ）が、ｚＰＴＨ１Ｒとは対照的に、ｚＰＴＨ３Ｒは、ＰＴＨについて減少した効力を示した（ＥＣ50：ＰＴＨについて５．９８±０．２４ｎＭおよびＰＴＨｒＰについて０．４９±０．１７ｎＭ、表２、図４）。さらに、ＰＴＨｒＰによって、より有効に活性化されることに加えて、ｚＰＴＨ３Ｒは、１０-11Ｍで有意な活性を示した（図４）。これらの結果は、ｚＰＴＨ３ＲがＰＴＨｒＰと優先的に相互作用することを示した放射レセプター研究を確証した。
【０１３８】
哺乳動物ＰＴＨ１Ｒと類似して、ｚＰＴＨ１Ｒを発現するＣＯＳ−７細胞は、ＰＴＨまたはＰＴＨｒＰのいずれかで刺激される場合に、ＩＰ蓄積の等価な増加（２倍）を示した。対照的に、より高い発現レベルにもかかわらず、いずれのリガンドを用いてチャレンジされる場合にも、ＩＰは蓄積されなかった（図５）。このセカンドメッセンジャーによるシグナル伝達の欠如は、ｚＰＴＨ３Ｒの第２の細胞内ループにおける有意な構造的変化に関連し得る（図４）。ラットＰＴＨ１Ｒを用いる以前の研究は、レセプターのこの部分が、ＩＰシグナル伝達に重要であることを示した。なぜなら、この「ＥＫＫＹ」カセット中のいくつかの残基の置換が、ホスホリパーゼＣ活性化を減じるかまたは消失させるかのいずれかであったからである。ｚＰＴＨ１Ｒは、哺乳動物ＥＫＫＹの代わりに、保存されたＤＲＫＹｈ配列を含むが、ｚＰＴＨ３Ｒの対応するアミノ酸残基は、ＤＫＮＣである（図３）。従って、この２つの最も重要な残基は、新規なレセプターにおいて変更され、これは、ｚＰＴＨ３Ｒのシグナル伝達選択性を説明し得る。従って、ｚＰＴＨ３Ｒは、天然に存在するＰＴＨ／ＰＴＨｒＰレセプターであり、これは、ＩＰを通じてシグナル伝達し得るようである。
【０１３９】
（実施例６：ゼブラフィッシュゲノムＤＮＡのサザンブロット分析）
ｚＰＴＨ１ＲおよびｚＰＴＨ３Ｒが別個の遺伝子によってコードされることを確認するために、稀に切断する３つの制限エンドヌクレアーゼを利用して、ゼブラフィッシュゲノムＤＮＡを完全に消化した（データは示さず）。約１６μｇのゼブラフィッシュゲノムＤＮＡを、ＢａｍＨＩ、ＥｃｏＲＩまたはＨｉｎｄＩＩＩのいずれかで完全に消化して、エチジウムブロマイドを含有する０．８％アガロースゲルによる電気泳動のために２つの等量のアリコートに分け、そしてニトロセルロース膜（ＭＳＩ，Ｗｅｓｔｂｏｒｏｕｇｈ，ＭＡ）上に転写した。８０℃で２時間、真空下で熱した後、このブロットを、ｚＰＴＨ１ＲまたはｚＰＴＨ３Ｒのいずれかのカルボキシ末端テイル（それぞれ、２４０ｂｐおよび３３５ｂｐ）をコードするＰＣＲ生成32Ｐ標識化プローブ（ＳｃｈｏｗａｌｔｅｒおよびＳｏｍｍｅｒ，１９８９）とともに、５０％ホルムアミド中でハイブリダイズした（４２℃で１８時間）。洗浄を、１×ＳＳＣ／０．１％ＳＤＳ中、室温および４２℃で各３０分間、ならびに０．５×ＳＳＣ／０．１％ＳＤＳ中、５０℃で実施し、続いて、ＤｕＰｏｎｔ  Ｃｒｏｎｅｘ増感スクリーンおよびＫｏｄａｋ  ＸＡＲフィルムを用いて、７日間、−７０℃でオートラジオグラフィーを実施した。
【０１４０】
いずれかのレセプターのＴＭ３〜ＴＭ６に対応するプローブを使用する、最初のサザンブロットデータは、これらのプローブが、互いの遺伝子とまたは密接に関連する遺伝子と交叉反応することを示す、複数のハイブリダイズするＤＮＡ種を示した（データは示さず）。いずれかのサブタイプについての特異性を増大するために、ハイブリダイゼーションを、各レセプターのテイル領域、ｚＰＴＨ１Ｒ／テイルまたはｚＰＴＨ３Ｒ／テイル、のみを含む放射標識化プローブを用いて実施し、これは、ＰＴＨレセプターサブタイプ間の配列バリエーションの最高の割合を示した。各々の消化について、このテイルのプローブは、ストリンジェントな条件下で、ｚＰＴＨ１ＲおよびｚＰＴＨ３Ｒをコードする別個の遺伝子を示す、単一であるが異なるゲノムＤＮＡフラグメントにハイブリダイズした（データは示さず）。
【０１４１】
（実施例７：全ての公知のＰＴＨＲの系統発生的分析および構造的分析）
公知のｚＰＴＨ１Ｒ、ｚＰＴＨ２Ｒ、キンギョＶＩＰレセプター（＃Ｕ５６３９１）およびヒトＣＲＦレセプター（＃Ｐ３４９９８）の配列のアラインメントを、以前に記載の通りに実施した（Ｒｕｂｉｎら（１９９９））。続いて、配列を、ＭａｃＣｌａｄｅ  ３．０（ＭａｄｄｉｓｏｎおよびＭａｄｄｉｓｏｎ、１９９２）内に整列させ、そしてギャップを、ネイティブタンパク質の相同性を最大にするように与えた。ＰＡＵＰ  ３．１（Ｓｗｏｆｆｏｒｄ，１９９３）の分岐限定検索選択（ｂｒａｎｃｈ−ａｎｄ−ｂｏｕｎｄ  ｓｅａｒｃｈ  ｏｐｔｉｏｎ）を使用して分析した場合に、各アミノ酸を、非重みつき（ｕｎｗｅｉｇｈｔｅｄ）特徴として処理した。１００個の複製に対する分岐限定選択を使用するブートストラッピング分析（Ｈｅｄｇｅｓ（１９９２））を実施し、そして５０％の主要な役割のコンセンサスと適合性の群のみを保持した（ＳｗｏｆｆｏｒｄおよびＯｌｓｅｎ（１９９０）；Ｓｗｏｆｆｏｒｄ（１９９３））。
【０１４２】
ＧＣＧを、ｚＰＴＨ１Ｒ、ｚＰＴＨ２Ｒ、ｚＰＴＨ３Ｒ、ｈＰＴＨ１ＲおよびｈＰＴＨ２Ｒのテイル領域を比較するために使用した。さらなる分析を、ＭａｃＣｌａｄｅ内で実施して、あいまいな残基（これは、各ＰＴＨ／ＰＴＨｒＰレセプターサブタイプについて特徴依存性であり得る）を決定した（ＭａｄｉｓｏｎおよびＭａｄｄｉｓｏｎ、１９９２；Ｓｗｏｆｆｏｒｄ、１９９３；Ｒｕｂｉｎら、１９９９）。
【０１４３】
単一の最も節減した（ｐａｒｓｉｍｏｎｉｏｕｓ）Ｂｏｏｔｓｔｒａｐコンセンサスツリーは、２つの統計学的に有意なＰＴＨ／ＰＴＨｒＰレセプター分岐群；ＰＴＨ１Ｒ／ＰＴＨ３Ｒ分岐群およびＰＴＨ２Ｒ分岐群（図７）、を示した。さらに、ＰＴＨ１Ｒ／ＰＴＨ３Ｒ分岐群において、ＰＴＨ３Ｒと有意に異なるＰＴＨ１Ｒ群および、少なくともＰＴＨ１Ｒについて、含まれる末端分岐は、形態学に基づく系統発生と一致する（Ｐｏｕｇｈら（１９８９））。
【０１４４】
ｚＰＴＨ１ＲとｚＰＴＨ３Ｒとの間のアミノ酸全体の変換は、特に膜貫通領域において、比較的高いが、一方多変量の分析は、ＰＴＨ３Ｒに特異的であり得るアミノ酸残基の同定を導いた（図３）。他の種由来のさらなるＰＴＨ３Ｒ配列は、これらの残基のレセプター特異性について確認する必要があるが、制限された数のアミノ酸変化は、すでに、それらの機能的重要性（特に、ホスホリパーゼＣ活性化に関して）を調査するための変異研究を可能にし得る。
【０１４５】
（実施例７：マウスゲノムＤＮＡのサザンブロット分析）
哺乳動物におけるＰＴＨ３Ｒの発生を確立するために、サザンブロット分析を、野生型マウス由来（図７、左レーン、１０μｇ）およびＰＴＨ／ＰＴＨｒＰレセプター遺伝子の両方のコピーを欠如するマウス由来（図７、右レーン、２μｇ）のゲノムＤＮＡを用いて行った。
【０１４６】
簡潔には，ゲノムＤＮＡを、制限酵素ＢａｍＨＩを用いて完全に消化し、アガロースゲル電気泳動に供し、そして放射標識化ＰＴＨ３Ｒ  ＤＮＡ（ｚＰＴＨ３Ｒのテイル部分をコードする約３００ｂｐ）でプローブするために膜に転写した。ハイブリダイゼーションを、４２℃で一晩、３０％ホルムアミドの条件下で実施した。このブロットを、６０℃で１×ＳＳＣの最後の洗浄に供した。ラジオグラフィーを、増感スクリーンを用いて、−８０℃で３日間、このブロットをフィルムに曝露することによって実施した。ＰＴＨ／ＰＴＨｒＰレセプターノックアウト（ＫＯ）ＤＮＡにおけるバンドの検出は、マウスゲノムＤＮＡにおけるｚＰＴＨ３Ｒの存在を示した。
【０１４７】
（表２．異なるＰＴＨレセプターの細胞内カルボキシ末端テイルのアミノ酸配列の比較）
ｚＰＴＨ１ＲおよびｚＰＴＨ３Ｒのテイル領域を含む残基を、ｚＰＴＨ２Ｒ、およびヒトＰＴＨ１ＲまたはＰＴＨ２Ｒの対応する領域と比較した。パーセント類似性およびパーセント同一性を示す。
【０１４８】
【表２】
2002531091.tif 000003
（表３．ｚＰＴＨ１ＲおよびｚＰＴＨ３Ｒに対するＰＴＨアナログおよびＰＴＨｒＰアナログの、結合特性およびｃＡＭＰシグナル伝達特性）
競合的結合およびｃＡＭＰ刺激アッセイを、室温でインタクトなＣＯＳ−７細胞を用いて実施した。このＣＯＳ−７細胞は、材料および方法に記載されるように、ｚＰＴＨ１ＲまたはｚＰＴＨ３Ｒのいずれかを発現した。相同性結合反応は、非標識化ｒＰＴＨとともに125Ｉ−ｒＰＴＨ、および非標識化ｈＰＴＨｒＰとともに125Ｉ−ｈＰＴＨｒＰを利用し、異種結合反応は、非標識化ｒＰＴＨとともに125Ｉ−ｈＰＴＨを利用した。ＥＣ50値およびＩＣ50値を、以前に記載されるように決定した（Ｇａｒｄｅｌｌａら、１９９６）。値は、少なくとも３つの独立したトランスフェクションの平均±ＳＥＭである。ＮＤは、測定していない。
【０１４９】
【表３】
2002531091.tif 000004
本明細書中に引用される他の参考文献のリスト：
【０１５０】
【表４】
2002531091.tif 000005
2002531091.tif 000006
2002531091.tif 000007
2002531091.tif 000008
2002531091.tif 000009
2002531091.tif 000010
2002531091.tif 000011
2002531091.tif 000012
【０１５１】
【表５】
2002531091.tif 000013
【０１５２】
【表６】
2002531091.tif 000014
【図面の簡単な説明】
【図１Ａ】
Ａ）エキソンＭ６／７およびＭ７の模式図（Ａ）、ならびにＰＴＨ１ＲまたはＰＴＨ３ＲをコードするｃＤＮＡの模式図（Ｂ）。縦型のボックスは、膜貫通（ｍｅｍｂｒａｎｅ−ｓｐａｎｎｉｎｇ）へリックスの予測された位置を示し；制限酵素について認識部位は、／／により示される。正方向（Ｆｏｒ）の矢印および逆方向（Ｒｅｖ）の矢印は、ｚＰＴＨ１ＲおよびｚＰＴＨ３ＲについてＲＴ−ＰＣＲ、５’ＲＡＣＥ、および３’ＲＡＣＥのために使用されるプライマーのおよその位置を示す。
【図１Ｂ】
Ｂ）エキソンＭ６／７およびＭ７の模式図（Ａ）、ならびにＰＴＨ１ＲまたはＰＴＨ３ＲをコードするｃＤＮＡの模式図（Ｂ）。縦型のボックスは、膜貫通（ｍｅｍｂｒａｎｅ−ｓｐａｎｎｉｎｇ）へリックスの予測された位置を示し；制限酵素について認識部位は、／／により示される。正方向（Ｆｏｒ）の矢印および逆方向（Ｒｅｖ）の矢印は、ｚＰＴＨ１ＲおよびｚＰＴＨ３ＲについてＲＴ−ＰＣＲ、５’ＲＡＣＥ、および３’ＲＡＣＥのために使用されるプライマーのおよその位置を示す。
【図１Ｃ】
Ｃ）ＰＴＨ３ＲレセプターｃＤＮＡのヌクレオチド配列。
【図１Ｄ】
Ｄ）ＰＴＨ３ＲレセプターｃＤＮＡのヌクレオチド配列。
【化２】
2002531091.tif 000015
【図２Ａ】
Ａ）ＰＴＨ１Ｒレセプターのアミノ酸配列。
【図２Ｂ】
Ｂ）ＰＴＨ３Ｒレセプターのアミノ酸配列。
【図３】
ｚＰＴＨ１Ｒ、ｚＰＴＨ２Ｒ、およびｚＰＴＨ３Ｒのアミノ酸配列のアラインメント。この配列は、ＧＣＧパッケージ（Ｇｅｎｅｔｉｃｓ  Ｃｏｍｐｕｔｅｒ
Ｇｒｏｕｐ，Ｗｉｓｃｏｎｓｉｎ）を使用のＧＡＰアルゴリズムおよびパイルアップアルゴリズムを使用して、整列された。潜在的なＮ−グリコシル化についての保存されたコンセンサス部位が、＃により同定される。ギャップは、配列相同性を最大にするために導入された。特徴付けられたｚＰＴＨ２Ｒ（Ｒｕｂｉｎら、（１９９９））の１つのスプライス改変体において欠けている１７残基は、箱で囲まれ；シグナルペプチドを含むと予測される残基は、点刻されたボックスによって輪郭を描かれ；そしておそらくＰＴＨ３Ｒ特異的である残基は、箱で囲まれる。
【図４Ａ】
ｚＰＴＨ１ＲまたはｚＰＴＨ３Ｒを一時的に発現するＣＯＳ−７細胞は、放射性リガンド結合の競合阻害（Ａ、Ｂ）およびアゴニスト刺激ｃＡＭＰ産生（Ｃ、Ｄ）について評価された。結合研究（材料および方法で記載される通り）は、放射性リガンドとして125Ｉ−［Ｎｌｅ8,21，Ｔｙｒ34］ｒＰＴＨ−（１−３４）アミド（パネルＡ）または125Ｉ−［Ｔｙｒ36］ｈＰＴＨｒＰ−（１−３６）アミド（パネルＢ）のいずれかおよび種々の量の非標識ペプチドを使用した。データは、最大結合の％として表される。サイクリックＡＭＰ蓄積は、ｚＰＴＨ１Ｒ（Ｃ）またはｚＰＴＨ３Ｒ（Ｄ）について最大の％として表され；基底ｃＡＭＰ蓄積は、いずれのレセプターについても３〜４ｐｍｏｌ／ウェルであり；ｚＰＴＨ１Ｒについて最大の蓄積が１０６．２ｐｍｏｌ／ウェルであり、およびｚＰＴＨ３Ｒについて最大の蓄積が２８５．４ｐｍｏｌ／ウェルであった。黒四角白四角、ＰＴＨ；黒丸白丸、ＰＴＨｒＰ；塗りつぶされた記号は、ｚＰＴＨ１Ｒを表し、白い記号は、ｚＰＴＨ３Ｒを表す。全てのデータが、少なくとも３つの独立したトランスフェクションの平均値±ＳＥＭを表す。
【図４Ｂ】
ｚＰＴＨ１ＲまたはｚＰＴＨ３Ｒを一時的に発現するＣＯＳ−７細胞は、放射性リガンド結合の競合阻害（Ａ、Ｂ）およびアゴニスト刺激ｃＡＭＰ産生（Ｃ、Ｄ）について評価された。結合研究（材料および方法で記載される通り）は、放射性リガンドとして125Ｉ−［Ｎｌｅ8,21，Ｔｙｒ34］ｒＰＴＨ−（１−３４）アミド（パネルＡ）または125Ｉ−［Ｔｙｒ36］ｈＰＴＨｒＰ−（１−３６）アミド（パネルＢ）のいずれかおよび種々の量の非標識ペプチドを使用した。データは、最大結合の％として表される。サイクリックＡＭＰ蓄積は、ｚＰＴＨ１Ｒ（Ｃ）またはｚＰＴＨ３Ｒ（Ｄ）について最大の％として表され；基底ｃＡＭＰ蓄積は、いずれのレセプターについても３〜４ｐｍｏｌ／ウェルであり；ｚＰＴＨ１Ｒについて最大の蓄積が１０６．２ｐｍｏｌ／ウェルであり、およびｚＰＴＨ３Ｒについて最大の蓄積が２８５．４ｐｍｏｌ／ウェルであった。黒四角白四角、ＰＴＨ；黒丸白丸、ＰＴＨｒＰ；塗りつぶされた記号は、ｚＰＴＨ１Ｒを表し、白い記号は、ｚＰＴＨ３Ｒを表す。全てのデータが、少なくとも３つの独立したトランスフェクションの平均値±ＳＥＭを表す。
【図４Ｃ】
ｚＰＴＨ１ＲまたはｚＰＴＨ３Ｒを一時的に発現するＣＯＳ−７細胞は、放射性リガンド結合の競合阻害（Ａ、Ｂ）およびアゴニスト刺激ｃＡＭＰ産生（Ｃ、Ｄ）について評価された。結合研究（材料および方法で記載される通り）は、放射性リガンドとして125Ｉ−［Ｎｌｅ8,21，Ｔｙｒ34］ｒＰＴＨ−（１−３４）アミド（パネルＡ）または125Ｉ−［Ｔｙｒ36］ｈＰＴＨｒＰ−（１−３６）アミド（パネルＢ）のいずれかおよび種々の量の非標識ペプチドを使用した。データは、最大結合の％として表される。サイクリックＡＭＰ蓄積は、ｚＰＴＨ１Ｒ（Ｃ）またはｚＰＴＨ３Ｒ（Ｄ）について最大の％として表され；基底ｃＡＭＰ蓄積は、いずれのレセプターについても３〜４ｐｍｏｌ／ウェルであり；ｚＰＴＨ１Ｒについて最大の蓄積が１０６．２ｐｍｏｌ／ウェルであり、およびｚＰＴＨ３Ｒについて最大の蓄積が２８５．４ｐｍｏｌ／ウェルであった。黒四角白四角、ＰＴＨ；黒丸白丸、ＰＴＨｒＰ；塗りつぶされた記号は、ｚＰＴＨ１Ｒを表し、白い記号は、ｚＰＴＨ３Ｒを表す。全てのデータが、少なくとも３つの独立したトランスフェクションの平均値±ＳＥＭを表す。
【図４Ｄ】
ｚＰＴＨ１ＲまたはｚＰＴＨ３Ｒを一時的に発現するＣＯＳ−７細胞は、放射性リガンド結合の競合阻害（Ａ、Ｂ）およびアゴニスト刺激ｃＡＭＰ産生（Ｃ、Ｄ）について評価された。結合研究（材料および方法で記載される通り）は、放射性リガンドとして125Ｉ−［Ｎｌｅ8,21，Ｔｙｒ34］ｒＰＴＨ−（１−３４）アミド（パネルＡ）または125Ｉ−［Ｔｙｒ36］ｈＰＴＨｒＰ−（１−３６）アミド（パネルＢ）のいずれかおよび種々の量の非標識ペプチドを使用した。データは、最大結合の％として表される。サイクリックＡＭＰ蓄積は、ｚＰＴＨ１Ｒ（Ｃ）またはｚＰＴＨ３Ｒ（Ｄ）について最大の％として表され；基底ｃＡＭＰ蓄積は、いずれのレセプターについても３〜４ｐｍｏｌ／ウェルであり；ｚＰＴＨ１Ｒについて最大の蓄積が１０６．２ｐｍｏｌ／ウェルであり、およびｚＰＴＨ３Ｒについて最大の蓄積が２８５．４ｐｍｏｌ／ウェルであった。黒四角白四角、ＰＴＨ；黒丸白丸、ＰＴＨｒＰ；塗りつぶされた記号は、ｚＰＴＨ１Ｒを表し、白い記号は、ｚＰＴＨ３Ｒを表す。全てのデータが、少なくとも３つの独立したトランスフェクションの平均値±ＳＥＭを表す。
【図５】
ｚＰＴＨ１ＲまたはｚＰＴＨ３ＲまたはｈＰＴＨ１Ｒを一時的に発現するＣＯＳ−７細胞中のＩＰ総量の蓄積。ＩＰ総量の加水分解を、ＰＴＨｒＰ（１０-6Ｍ）またはＰＴＨ（１０-6Ｍ）の存在下または非存在下において記載されるように評価した。データは、基底に対する倍数として表され、そして少なくとも２つの独立した実験の平均値±ＳＥＭを表す。
【図６】
材料および方法に記載されるような、系統分析は、単一の最も極度に倹約されたツリーが、１５４９ステップの長さを有すること、および０．８６３の情報価値のない特性を排除した一貫性（ｃｏｎｓｉｓｔｅｎｃｙ）指数を示した。ブートストラップ（ｂｏｏｔｓｔｒａｐ）信頼区間は、分岐点の次に示され、そして１００回の分岐と境界との反復（ｂｒａｎｃｈ−ａｎｄ−ｂｏｕｎｄ  ｉｔｅｒａｔｉｏｎ）における所定の分岐を支持する試行の百分率を示す。
【図７】
ＰＴＨ３Ｒを用いてプローブした野生型マウスゲノムＤＮＡ（左レーン）およびＰＴＨ／ＰＴＨｒＰレセプターノックアウトマウスゲノムＤＮＡ（右レーン）のサザンブロット分析。
【０１５３】
【配列表】
SEQUENCE LISTING
<110> The General Hospital Corporation
<120> PTH1R and PTH3R Receptors
<130> F101959B33
<140> JP 2000-585406
<141> 1999-11-30
<150> US 60/110,467
<151> 1998-11-30
<160> 25
<170> PatentIn Ver. 2.1
<210> 1
<211> 1609
<212> DNA
<213> zebrafish
<220>
<221> CDS
<222> (1)..(1608)
<400> 1
atg gga gcc acg ctg atc gta cgc act tta ggc ttt ctc ttc tgc ggc   48
Met Gly Ala Thr Leu Ile Val Arg Thr Leu Gly Phe Leu Phe Cys Gly
1               5                  10                  15
acc ttg ctg agt ttc gtc tat ggt ctg gtc gat gca gat gat gtc ctc   96
Thr Leu Leu Ser Phe Val Tyr Gly Leu Val Asp Ala Asp Asp Val Leu
20                  25                  30
aca aag gag gag caa atc tat ctt ctg ttc aac gca aaa cga aaa tgt   144
Thr Lys Glu Glu Gln Ile Tyr Leu Leu Phe Asn Ala Lys Arg Lys Cys
35                  40                  45
gag cga gca atc aag tcc aag cat aaa acg tct gag gga tcc tgt ctg   192
Glu Arg Ala Ile Lys Ser Lys His Lys Thr Ser Glu Gly Ser Cys Leu
50                  55                  60
cca gag tgg gat ggc atc cta tgt tgg ccc gag gga gtt cct gga aag   240
Pro Glu Trp Asp Gly Ile Leu Cys Trp Pro Glu Gly Val Pro Gly Lys
65                  70                  75                  80
atg gtg tcc act tca tgc cca gag tac ata tat gac ttc aac cac aaa   288
Met Val Ser Thr Ser Cys Pro Glu Tyr Ile Tyr Asp Phe Asn His Lys
85                  90                  95
ggt cat gcc tac cgg cgc tgc gac ctg aac ggg acc tgg gaa ctg gcc   336
Gly His Ala Tyr Arg Arg Cys Asp Leu Asn Gly Thr Trp Glu Leu Ala
100                 105                 110
tca cat aac aac aaa acc tgg gct aat tac agc gaa tgt gcc aaa ttc   384
Ser His Asn Asn Lys Thr Trp Ala Asn Tyr Ser Glu Cys Ala Lys Phe
115                 120                 125
ttc ccc cat tat aac cag aac cag gag agg gag gtt ttc gac aga ctt   432
Phe Pro His Tyr Asn Gln Asn Gln Glu Arg Glu Val Phe Asp Arg Leu
130                 135                 140
tac ctg atc tac aca gtg ggc tac tcc atc tct ctg gga tca ctt atg   480
Tyr Leu Ile Tyr Thr Val Gly Tyr Ser Ile Ser Leu Gly Ser Leu Met
145                 150                 155                 160
gtg gcc aca gtc atc ctc gga tac ttt cga cgg ctc cac tgc acc agg   528
Val Ala Thr Val Ile Leu Gly Tyr Phe Arg Arg Leu His Cys Thr Arg
165                 170                 175
aac tac atc cac atg cac ctg ttt cta tcg ttc atg ttg agg gcc att   576
Asn Tyr Ile His Met His Leu Phe Leu Ser Phe Met Leu Arg Ala Ile
180                 185                 190
agt atc ttc gtg aag gat gtg gtg ctg tac tct ggt tcg gcg ctg cag   624
Ser Ile Phe Val Lys Asp Val Val Leu Tyr Ser Gly Ser Ala Leu Gln
195                 200                 205
gaa atg gaa cga atc act gtg gag gat ctc aaa tcc atc act gaa gcc   672
Glu Met Glu Arg Ile Thr Val Glu Asp Leu Lys Ser Ile Thr Glu Ala
210                 215                 220
cct cct gcc aac aaa acc cag ttt atc ggc tgt aag gtg gcg gtg acg   720
Pro Pro Ala Asn Lys Thr Gln Phe Ile Gly Cys Lys Val Ala Val Thr
225                 230                 235                 240
ctc ttc ttg tac ttc ttg gcc act aat tat tac tgg att ctg gtg gaa   768
Leu Phe Leu Tyr Phe Leu Ala Thr Asn Tyr Tyr Trp Ile Leu Val Glu
245                 250                 255
ggc ctg tac ctg cac agc ctt atc ttc atg acc ttc ttc tca gac agg   816
Gly Leu Tyr Leu His Ser Leu Ile Phe Met Thr Phe Phe Ser Asp Arg
260                 265                 270
aag tac ctc tgg ggc ttc act ctg att ggt tgg ggt gtt cct gcg atg   864
Lys Tyr Leu Trp Gly Phe Thr Leu Ile Gly Trp Gly Val Pro Ala Met
275                 280                 285
ttt gtc acc atc tgg gcg agt gtt aga gcc aca ctt gct gac act gag   912
Phe Val Thr Ile Trp Ala Ser Val Arg Ala Thr Leu Ala Asp Thr Glu
290                 295                 300
tgc tgg gat ttg agt gca gga aac ctg aaa tgg att gtg cag atc ccc   960
Cys Trp Asp Leu Ser Ala Gly Asn Leu Lys Trp Ile Val Gln Ile Pro
305                 310                 315                 320
att ctt act gca att gtt gtc aat ttt ttg ttg ttc ctg aat ata att   1008
Ile Leu Thr Ala Ile Val Val Asn Phe Leu Leu Phe Leu Asn Ile Ile
325                 330                 335
cga gtc ttg gca aca aaa ctt cga gaa aca aat gcg ggc aga tgt gac   1056
Arg Val Leu Ala Thr Lys Leu Arg Glu Thr Asn Ala Gly Arg Cys Asp
340                 345                 350
acc aga caa caa tat agg aag ctg ctg aag tcg act ctg gtc ctc atg   1104
Thr Arg Gln Gln Tyr Arg Lys Leu Leu Lys Ser Thr Leu Val Leu Met
355                 360                 365
ccg ttg ttc ggt gtt cac tac ata gtc ttc atg gcg atg cct tac aca   1152
Pro Leu Phe Gly Val His Tyr Ile Val Phe Met Ala Met Pro Tyr Thr
370                 375                 380
gaa gtt tct gga gta ctg tgg caa atc cag atg cat tat gaa atg ctc   1200
Glu Val Ser Gly Val Leu Trp Gln Ile Gln Met His Tyr Glu Met Leu
385                 390                 395                 400
ttt aac tca gtc cag gga ttc ttt gtt gcg att ata tat tgc ttc tgc   1248
Phe Asn Ser Val Gln Gly Phe Phe Val Ala Ile Ile Tyr Cys Phe Cys
405                 410                 415
aac gga gag gtc caa gcg gaa atc aag aag gcc tgg aac aga agg act   1296
Asn Gly Glu Val Gln Ala Glu Ile Lys Lys Ala Trp Asn Arg Arg Thr
420                 425                 430
ctt gct ctg gac ttc aag aga aaa gcc agg agc ggc agt aac aca tac   1344
Leu Ala Leu Asp Phe Lys Arg Lys Ala Arg Ser Gly Ser Asn Thr Tyr
435                 440                 445
agc tat gga ccc atg gtt tct cac acc agt gtt acc aat gtg acg gcg   1392
Ser Tyr Gly Pro Met Val Ser His Thr Ser Val Thr Asn Val Thr Ala
450                 455                 460
cgg ggg ccg ctg gcc ctt cac ctc acc aac cga ctg ggg cac gtc acc   1440
Arg Gly Pro Leu Ala Leu His Leu Thr Asn Arg Leu Gly His Val Thr
465                 470                 475                 480
act aac ggc cac aga aac ctt ccg gga tac ata aaa aac ggc tcc gtt   1488
Thr Asn Gly His Arg Asn Leu Pro Gly Tyr Ile Lys Asn Gly Ser Val
485                 490                 495
tca gaa aac tcc atc ccg tcc tcg ggt cac gag ctt cac att cag gag   1536
Ser Glu Asn Ser Ile Pro Ser Ser Gly His Glu Leu His Ile Gln Glu
500                 505                 510
gaa gag cct tcg aag acc ttc cag atg gag aaa acc atc cag gtg gtg   1584
Glu Glu Pro Ser Lys Thr Phe Gln Met Glu Lys Thr Ile Gln Val Val
515                 520                 525
gag gag gaa aga gaa acc gtc atg t                                 1609
Glu Glu Glu Arg Glu Thr Val Met
530                 535
<210> 2
<211> 536
<212> PRT
<213> zebrafish
<400> 2
Met Gly Ala Thr Leu Ile Val Arg Thr Leu Gly Phe Leu Phe Cys Gly
1               5                  10                  15
Thr Leu Leu Ser Phe Val Tyr Gly Leu Val Asp Ala Asp Asp Val Leu
20                  25                  30
Thr Lys Glu Glu Gln Ile Tyr Leu Leu Phe Asn Ala Lys Arg Lys Cys
35                  40                  45
Glu Arg Ala Ile Lys Ser Lys His Lys Thr Ser Glu Gly Ser Cys Leu
50                  55                  60
Pro Glu Trp Asp Gly Ile Leu Cys Trp Pro Glu Gly Val Pro Gly Lys
65                  70                  75                  80
Met Val Ser Thr Ser Cys Pro Glu Tyr Ile Tyr Asp Phe Asn His Lys
85                  90                  95
Gly His Ala Tyr Arg Arg Cys Asp Leu Asn Gly Thr Trp Glu Leu Ala
100                 105                 110
Ser His Asn Asn Lys Thr Trp Ala Asn Tyr Ser Glu Cys Ala Lys Phe
115                 120                 125
Phe Pro His Tyr Asn Gln Asn Gln Glu Arg Glu Val Phe Asp Arg Leu
130                 135                 140
Tyr Leu Ile Tyr Thr Val Gly Tyr Ser Ile Ser Leu Gly Ser Leu Met
145                 150                 155                 160
Val Ala Thr Val Ile Leu Gly Tyr Phe Arg Arg Leu His Cys Thr Arg
165                 170                 175
Asn Tyr Ile His Met His Leu Phe Leu Ser Phe Met Leu Arg Ala Ile
180                 185                 190
Ser Ile Phe Val Lys Asp Val Val Leu Tyr Ser Gly Ser Ala Leu Gln
195                 200                 205
Glu Met Glu Arg Ile Thr Val Glu Asp Leu Lys Ser Ile Thr Glu Ala
210                 215                 220
Pro Pro Ala Asn Lys Thr Gln Phe Ile Gly Cys Lys Val Ala Val Thr
225                 230                 235                 240
Leu Phe Leu Tyr Phe Leu Ala Thr Asn Tyr Tyr Trp Ile Leu Val Glu
245                 250                 255
Gly Leu Tyr Leu His Ser Leu Ile Phe Met Thr Phe Phe Ser Asp Arg
260                 265                 270
Lys Tyr Leu Trp Gly Phe Thr Leu Ile Gly Trp Gly Val Pro Ala Met
275                 280                 285
Phe Val Thr Ile Trp Ala Ser Val Arg Ala Thr Leu Ala Asp Thr Glu
290                 295                 300
Cys Trp Asp Leu Ser Ala Gly Asn Leu Lys Trp Ile Val Gln Ile Pro
305                 310                 315                 320
Ile Leu Thr Ala Ile Val Val Asn Phe Leu Leu Phe Leu Asn Ile Ile
325                 330                 335
Arg Val Leu Ala Thr Lys Leu Arg Glu Thr Asn Ala Gly Arg Cys Asp
340                 345                 350
Thr Arg Gln Gln Tyr Arg Lys Leu Leu Lys Ser Thr Leu Val Leu Met
355                 360                 365
Pro Leu Phe Gly Val His Tyr Ile Val Phe Met Ala Met Pro Tyr Thr
370                 375                 380
Glu Val Ser Gly Val Leu Trp Gln Ile Gln Met His Tyr Glu Met Leu
385                 390                 395                 400
Phe Asn Ser Val Gln Gly Phe Phe Val Ala Ile Ile Tyr Cys Phe Cys
405                 410                 415
Asn Gly Glu Val Gln Ala Glu Ile Lys Lys Ala Trp Asn Arg Arg Thr
420                 425                 430
Leu Ala Leu Asp Phe Lys Arg Lys Ala Arg Ser Gly Ser Asn Thr Tyr
435                 440                 445
Ser Tyr Gly Pro Met Val Ser His Thr Ser Val Thr Asn Val Thr Ala
450                 455                 460
Arg Gly Pro Leu Ala Leu His Leu Thr Asn Arg Leu Gly His Val Thr
465                 470                 475                 480
Thr Asn Gly His Arg Asn Leu Pro Gly Tyr Ile Lys Asn Gly Ser Val
485                 490                 495
Ser Glu Asn Ser Ile Pro Ser Ser Gly His Glu Leu His Ile Gln Glu
500                 505                 510
Glu Glu Pro Ser Lys Thr Phe Gln Met Glu Lys Thr Ile Gln Val Val
515                 520                 525
Glu Glu Glu Arg Glu Thr Val Met
530                 535
<210> 3
<211> 2152
<212> DNA
<213> zebrafish
<220>
<221> CDS
<222> (394)..(2019)
<400> 3
ttacaccata actcacagga gatcacatct ctggacacat ctccaacaag tctctcttta 60
aaacatctac aattggactg acaaatctct tctttaatca aggatctgag ttaatacaaa 120
aaaaaatctg atgaatggaa gaaaatcatc tgtgatggta ttccagaagt taaaatctca 180
acaaaaacaa acaacgggtc ggacttcaac agatgtgtgt ccgcttgaca cggcagcatc 240
agaaagaaac aacatcttta acacaatgaa gaagtaatgg ctgcaaacgt ctgcgcttct 300
ctccacatcg acgcgactgc catgtcctga agagaaacag gagctctctg gagagcagga 360
gttctggaaa aggtcaaagg tcctgggtta agc atg gtg tca gtg gag gtc tct  414
Met Val Ser Val Glu Val Ser
1               5
gtg gct tta gtg ctg tgc tgt gtt ttg atg gga gcc aga gct ctg att   462
Val Ala Leu Val Leu Cys Cys Val Leu Met Gly Ala Arg Ala Leu Ile
10                  15                  20
gat tca gat gat gtc atc aca aga gat gaa cag atc ttt ctc ctc att   510
Asp Ser Asp Asp Val Ile Thr Arg Asp Glu Gln Ile Phe Leu Leu Ile
25                  30                  35
ggt gcg cgg tcg agg tgt gag aga acc atc cgt gca cag tca gac gtg   558
Gly Ala Arg Ser Arg Cys Glu Arg Thr Ile Arg Ala Gln Ser Asp Val
40                  45                  50                  55
gtc aga gag aat aac tgc gct cct gag tgg gat ggg atc att tgc tgg   606
Val Arg Glu Asn Asn Cys Ala Pro Glu Trp Asp Gly Ile Ile Cys Trp
60                  65                  70
ccc aca gga aaa ccc aat cag atg gtg gca gtt ctg tgt cct gag tac   654
Pro Thr Gly Lys Pro Asn Gln Met Val Ala Val Leu Cys Pro Glu Tyr
75                  80                  85
atc tat gac ttc aac cac aga gga tac gcg tat cga cac tgt gat gca   702
Ile Tyr Asp Phe Asn His Arg Gly Tyr Ala Tyr Arg His Cys Asp Ala
90                  95                 100
tca ggt aac tgg gag cag gtg tcc att ata aac cgg acg tgg gca aac   750
Ser Gly Asn Trp Glu Gln Val Ser Ile Ile Asn Arg Thr Trp Ala Asn
105                 110                 115
tac acg gaa tgc acc act tac ctg cac acc aac cac agt gat cag gag   798
Tyr Thr Glu Cys Thr Thr Tyr Leu His Thr Asn His Ser Asp Gln Glu
120                 125                 130                 135
gaa gtg ttt gag cgc ctt tac ctc atg tac act att gga tac tcc ata   846
Glu Val Phe Glu Arg Leu Tyr Leu Met Tyr Thr Ile Gly Tyr Ser Ile
140                 145                 150
tca ctg gca gcg tta ctg gtg gcg gtc tct atc ctt tgc tat ttc aaa   894
Ser Leu Ala Ala Leu Leu Val Ala Val Ser Ile Leu Cys Tyr Phe Lys
155                 160                 165
cgt ctc cac tgc act cgt aac tac atc cac atc cac ctc ttc acc tcg   942
Arg Leu His Cys Thr Arg Asn Tyr Ile His Ile His Leu Phe Thr Ser
170                 175                 180
ttc ata tgt cga gca atc agt att ttt gtg aaa gac gcc gtt ctt tac   990
Phe Ile Cys Arg Ala Ile Ser Ile Phe Val Lys Asp Ala Val Leu Tyr
185                 190                 195
gcc gtc acg aat gat gga gaa cta gaa gat ggg gca gtg gaa caa aga   1038
Ala Val Thr Asn Asp Gly Glu Leu Glu Asp Gly Ala Val Glu Gln Arg
200                 205                 210                 215
ccc atg gtg ggc tgc aag gct gct gtg acc ctc ttc ctg tat ctg ttg   1086
Pro Met Val Gly Cys Lys Ala Ala Val Thr Leu Phe Leu Tyr Leu Leu
220                 225                 230
gcg acc aat cat tat tgg atc ctg gtg gag ggt ttg tac ttg cat agt   1134
Ala Thr Asn His Tyr Trp Ile Leu Val Glu Gly Leu Tyr Leu His Ser
235                 240                 245
ctg atc ttc atg gcc ttc ctg tct gat aag aac tgc ctg tgg gct ttg   1182
Leu Ile Phe Met Ala Phe Leu Ser Asp Lys Asn Cys Leu Trp Ala Leu
250                 255                 260
aca atc ata ggc tgg ggg atc cca gca gtg ttt gtg tct ata tgg gtc   1230
Thr Ile Ile Gly Trp Gly Ile Pro Ala Val Phe Val Ser Ile Trp Val
265                 270                 275
agt gcc agg gtg tct ctg gca gac aca cag tgc tgg gat atc agt gca   1278
Ser Ala Arg Val Ser Leu Ala Asp Thr Gln Cys Trp Asp Ile Ser Ala
280                 285                 290                 295
ggc aat ttg aaa tgg att tat caa gta cca atc ctg gca gcc att gtt   1326
Gly Asn Leu Lys Trp Ile Tyr Gln Val Pro Ile Leu Ala Ala Ile Val
300                 305                 310
gta aac ttc ttc ctc ttc ctc aat atc atc agg gtt ttg gcc tct aag   1374
Val Asn Phe Phe Leu Phe Leu Asn Ile Ile Arg Val Leu Ala Ser Lys
315                 320                 325
ttg tgg gaa aca aac acg gga aaa ctg gac cct aga cag cag tac agg   1422
Leu Trp Glu Thr Asn Thr Gly Lys Leu Asp Pro Arg Gln Gln Tyr Arg
330                 335                 340
aag ctg ctg aag tca aca atg gtg ctg atg cca ctg ttt gga gtt cat   1470
Lys Leu Leu Lys Ser Thr Met Val Leu Met Pro Leu Phe Gly Val His
345                 350                 355
tac atg ctg ttc atg gct ctt ccg tac act gat gtg act ggt ttg ctg   1518
Tyr Met Leu Phe Met Ala Leu Pro Tyr Thr Asp Val Thr Gly Leu Leu
360                 365                 370                 375
agg cag att ctg atg cat tac gag atg ctc ttc aat tct tca cag ggt   1566
Arg Gln Ile Leu Met His Tyr Glu Met Leu Phe Asn Ser Ser Gln Gly
380                 385                 390
ttc ttt gtg gcg ttt att tac tgc ttc tgc aat ggg gag gtg cag gca   1614
Phe Phe Val Ala Phe Ile Tyr Cys Phe Cys Asn Gly Glu Val Gln Ala
395                 400                 405
gag gtg aag aag gcc tgg ttg cga cgc agt ctt gcg tta gac ctg aag   1662
Glu Val Lys Lys Ala Trp Leu Arg Arg Ser Leu Ala Leu Asp Leu Lys
410                 415                 420
cag aag gct cga gtc cac agc agt gcg gga tgt gga agt ggt tac tat   1710
Gln Lys Ala Arg Val His Ser Ser Ala Gly Cys Gly Ser Gly Tyr Tyr
425                 430                 435
gga gga atg atg tcc cac acc aca aca cag agc gtg tgt ctt agt gtc   1758
Gly Gly Met Met Ser His Thr Thr Thr Gln Ser Val Cys Leu Ser Val
440                 445                 450                 455
agt ggt gct aaa ggc ggt cat tct ctg cac acc ata gga gcc aaa gga   1806
Ser Gly Ala Lys Gly Gly His Ser Leu His Thr Ile Gly Ala Lys Gly
460                 465                 470
caa tcc cat cta caa cat tca gga aac tta ccc ggc tac gcg cct cag   1854
Gln Ser His Leu Gln His Ser Gly Asn Leu Pro Gly Tyr Ala Pro Gln
475                 480                 485
gac aca gag act ttg ttt tac cca gtg gtc cca aag cag aaa gag act   1902
Asp Thr Glu Thr Leu Phe Tyr Pro Val Val Pro Lys Gln Lys Glu Thr
490                 495                 500
cca tgc aga cag agc agc agg aat gca gag gaa agc gag cat gat ttt   1950
Pro Cys Arg Gln Ser Ser Arg Asn Ala Glu Glu Ser Glu His Asp Phe
505                 510                 515
gag cca tat ttc gta gcg gat gag gaa cat tct gga tcc atg tct tgg   1998
Glu Pro Tyr Phe Val Ala Asp Glu Glu His Ser Gly Ser Met Ser Trp
520                 525                 530                 535
aaa gaa cta gaa acg atg ctt tgatgtaact tgctggatat tataaagtgg      2049
Lys Glu Leu Glu Thr Met Leu
540
tgcttgctat tgtcagaagt tctaagttat aaaagcttgg tttttgccca gaatcaaaac 2109
attcaataat aattgnagct ttttatctcc aaaaaaaaaa aaa                   2152
<210> 4
<211> 542
<212> PRT
<213> zebrafish
<400> 4
Met Val Ser Val Glu Val Ser Val Ala Leu Val Leu Cys Cys Val Leu
1               5                  10                  15
Met Gly Ala Arg Ala Leu Ile Asp Ser Asp Asp Val Ile Thr Arg Asp
20                  25                  30
Glu Gln Ile Phe Leu Leu Ile Gly Ala Arg Ser Arg Cys Glu Arg Thr
35                  40                  45
Ile Arg Ala Gln Ser Asp Val Val Arg Glu Asn Asn Cys Ala Pro Glu
50                  55                  60
Trp Asp Gly Ile Ile Cys Trp Pro Thr Gly Lys Pro Asn Gln Met Val
65                  70                  75                  80
Ala Val Leu Cys Pro Glu Tyr Ile Tyr Asp Phe Asn His Arg Gly Tyr
85                  90                  95
Ala Tyr Arg His Cys Asp Ala Ser Gly Asn Trp Glu Gln Val Ser Ile
100                 105                 110
Ile Asn Arg Thr Trp Ala Asn Tyr Thr Glu Cys Thr Thr Tyr Leu His
115                 120                 125
Thr Asn His Ser Asp Gln Glu Glu Val Phe Glu Arg Leu Tyr Leu Met
130                 135                 140
Tyr Thr Ile Gly Tyr Ser Ile Ser Leu Ala Ala Leu Leu Val Ala Val
145                 150                 155                 160
Ser Ile Leu Cys Tyr Phe Lys Arg Leu His Cys Thr Arg Asn Tyr Ile
165                 170                 175
His Ile His Leu Phe Thr Ser Phe Ile Cys Arg Ala Ile Ser Ile Phe
180                 185                 190
Val Lys Asp Ala Val Leu Tyr Ala Val Thr Asn Asp Gly Glu Leu Glu
195                 200                 205
Asp Gly Ala Val Glu Gln Arg Pro Met Val Gly Cys Lys Ala Ala Val
210                 215                 220
Thr Leu Phe Leu Tyr Leu Leu Ala Thr Asn His Tyr Trp Ile Leu Val
225                 230                 235                 240
Glu Gly Leu Tyr Leu His Ser Leu Ile Phe Met Ala Phe Leu Ser Asp
245                 250                 255
Lys Asn Cys Leu Trp Ala Leu Thr Ile Ile Gly Trp Gly Ile Pro Ala
260                 265                 270
Val Phe Val Ser Ile Trp Val Ser Ala Arg Val Ser Leu Ala Asp Thr
275                 280                 285
Gln Cys Trp Asp Ile Ser Ala Gly Asn Leu Lys Trp Ile Tyr Gln Val
290                 295                 300
Pro Ile Leu Ala Ala Ile Val Val Asn Phe Phe Leu Phe Leu Asn Ile
305                 310                 315                 320
Ile Arg Val Leu Ala Ser Lys Leu Trp Glu Thr Asn Thr Gly Lys Leu
325                 330                 335
Asp Pro Arg Gln Gln Tyr Arg Lys Leu Leu Lys Ser Thr Met Val Leu
340                 345                 350
Met Pro Leu Phe Gly Val His Tyr Met Leu Phe Met Ala Leu Pro Tyr
355                 360                 365
Thr Asp Val Thr Gly Leu Leu Arg Gln Ile Leu Met His Tyr Glu Met
370                 375                 380
Leu Phe Asn Ser Ser Gln Gly Phe Phe Val Ala Phe Ile Tyr Cys Phe
385                 390                 395                 400
Cys Asn Gly Glu Val Gln Ala Glu Val Lys Lys Ala Trp Leu Arg Arg
405                 410                 415
Ser Leu Ala Leu Asp Leu Lys Gln Lys Ala Arg Val His Ser Ser Ala
420                 425                 430
Gly Cys Gly Ser Gly Tyr Tyr Gly Gly Met Met Ser His Thr Thr Thr
435                 440                 445
Gln Ser Val Cys Leu Ser Val Ser Gly Ala Lys Gly Gly His Ser Leu
450                 455                 460
His Thr Ile Gly Ala Lys Gly Gln Ser His Leu Gln His Ser Gly Asn
465                 470                 475                 480
Leu Pro Gly Tyr Ala Pro Gln Asp Thr Glu Thr Leu Phe Tyr Pro Val
485                 490                 495
Val Pro Lys Gln Lys Glu Thr Pro Cys Arg Gln Ser Ser Arg Asn Ala
500                 505                 510
Glu Glu Ser Glu His Asp Phe Glu Pro Tyr Phe Val Ala Asp Glu Glu
515                 520                 525
His Ser Gly Ser Met Ser Trp Lys Glu Leu Glu Thr Met Leu
530                 535                 540
<210> 5
<211> 575
<212> PRT
<213> zebrafish
<400> 5
Met Leu Thr Val Ser Leu Leu Ile Leu Cys Lys Pro Ser Ser Ser Pro
1               5                  10                  15
Ser Pro Val Lys Ile Ile Pro Val Asp Asp Leu Pro Ala Thr Ala Glu
20                  25                  30
Leu Arg Ala Ser Val Leu Arg Val Ser Leu Pro Lys Thr Phe Ile Lys
35                  40                  45
Ser Phe Leu Asn His Leu Leu Gln Ala Gly Glu Asp Gly Glu Ile Thr
50                  55                  60
Ala Glu Glu Gln Val Gln Met Leu Leu Asp Ala Lys Leu Gln Cys Leu
65                  70                  75                  80
Gln Lys Val Ser Ser Asp Asp Pro Ala Val Gly Val Cys Val Pro Glu
85                  90                  95
Trp Asp Gly Leu Ile Cys Trp Pro Gln Gly Phe Pro Gly Thr Leu Thr
100                 105                 110
Lys Thr Pro Cys Pro Gly Tyr Ile Tyr Asp Phe Asn His Ala Ala His
115                 120                 125
Ala Tyr Arg Arg Cys Asp Ser Asn Gly Ser Ser Val Leu Ala Glu Ser
130                 135                 140
Ser Asn Lys Thr Trp Val Asn Tyr Thr Glu Cys Ile Lys Ser Pro Glu
145                 150                 155                 160
Pro Asn Lys Lys Arg Gln Val Phe Phe Glu Arg Leu His Ile Met Tyr
165                 170                 175
Thr Val Gly Tyr Ala Val Ser Phe Ser Ser Leu Leu Val Ala Ile Phe
180                 185                 190
Ile Ile Gly Tyr Phe Arg Arg Leu His Cys Thr Arg Asn Tyr Ile His
195                 200                 205
Met His Leu Phe Val Ser Phe Met Leu Arg Ala Ala Ser Ile Phe Val
210                 215                 220
Lys Asp His Val Val His Thr Ser Ala Gly Leu Gln Glu Ser Asp Ala
225                 230                 235                 240
Val Leu Met Asn Asn Phe Thr Asn Ala Val Asp Val Ala Pro Val Asp
245                 250                 255
Thr Ser Gln Tyr Met Gly Cys Lys Val Thr Val Leu Leu Phe Ile Tyr
260                 265                 270
Phe Leu Ala Thr Asn Tyr Tyr Trp Ile Leu Val Glu Gly Leu Tyr Leu
275                 280                 285
His Ser Leu Ile Phe Met Ala Phe Leu Ser Asp Ser Lys Tyr Leu Trp
290                 295                 300
Gly Phe Thr Leu Ile Gly Trp Gly Val Pro Ala Val Phe Val Ala Ala
305                 310                 315                 320
Trp Ala Val Val Arg Ala Thr Leu Ala Asp Ala Arg Cys Trp Glu Leu
325                 330                 335
Ser Ala Gly Asn Ile Lys Trp Ile Tyr Gln Glu Pro Ile Leu Thr Ala
340                 345                 350
Ile Gly Leu Asn Phe Ile Leu Phe Val Asn Ile Val Arg Val Leu Ala
355                 360                 365
Thr Lys Ile Arg Glu Thr Asn Gly Gly Arg Tyr Asp Thr Arg Lys Gln
370                 375                 380
Tyr Arg Lys Leu Ala Lys Ser Thr Gln Val Leu Val Phe Val Phe Gly
385                 390                 395                 400
Val His Tyr Ile Val Phe Val Gly Met Pro His Thr Phe Glu Gly Leu
405                 410                 415
Gly Trp Glu Glu Arg Met Tyr Cys Glu Leu Phe Phe Asn Ser Phe Gln
420                 425                 430
Gly Phe Phe Val Ser Ile Ile Tyr Cys Tyr Cys Asn Gly Glu Val Gln
435                 440                 445
Thr Glu Ile Lys Lys Thr Trp Thr Arg Trp Asn Leu Ala Phe Asp Trp
450                 455                 460
Lys Gly Pro Val Val Cys Gly Ser Asn Arg Tyr Gly Ser Val Leu Thr
465                 470                 475                 480
Gly Leu Asn Asn Ser Thr Ser Ser Gln Ser Gln Leu Ala Ala Gly Gly
485                 490                 495
Pro Gly Thr Arg Ser Thr Thr Leu Phe Ser Ser Arg Val Tyr Arg Ser
500                 505                 510
Ser Gly Gly Pro Thr Val Ser Thr His Ala Thr Leu Pro Gly Tyr Val
515                 520                 525
Leu Asn Ser Asp Ala Asp Ser Leu Pro Pro Ser Ile Pro Glu Glu Pro
530                 535                 540
Glu Asp Ser Ala Lys Gln Val Asp Asp Ile Leu Leu Lys Glu Ser Leu
545                 550                 555                 560
Pro Thr Arg Pro Ser Ser Gly Leu Glu Asp Asp Glu Glu Thr Leu
565                 570                 575
<210> 6
<211> 20
<212> DNA
<213> Artificial Sequence
<220>
<223> Description of Artificial Sequence: DNA Primer
<220>
<221> modified_base
<222> (12)
<223> i
<400> 6
gtsytbrtgc cncthytygg                                             20
<210> 7
<211> 24
<212> DNA
<213> Artificial Sequence
<220>
<223> Description of Artificial Sequence: DNA Primer
<400> 7
ctcdccattr cagwarcagt adat                                        24
<210> 8
<211> 24
<212> DNA
<213> Artificial Sequence
<220>
<223> Description of Artificial Sequence: DNA Primer
<400> 8
gtadatratd gmmacaaara adcc                                        24
<210> 9
<211> 25
<212> DNA
<213> Artificial Sequence
<220>
<223> Description of Artificial Sequence: DNA Primer
<400> 9
gcatttcata atgcatctgg atttg                                       25
<210> 10
<211> 24
<212> DNA
<213> Artificial Sequence
<220>
<223> Description of Artificial Sequence: DNA Primer
<400> 10
ctgtgaagaa ttgaagagca tctc                                        24
<210> 11
<211> 24
<212> DNA
<213> Artificial Sequence
<220>
<223> Description of Artificial Sequence: DNA Primer
<400> 11
acmaactact aytggatyct ggtg                                        24
<210> 12
<211> 24
<212> DNA
<213> Artificial Sequence
<220>
<223> Description of Artificial Sequence: DNA Primer
<400> 12
agaaacttct gtgtaaggca tcgc                                        24
<210> 13
<211> 24
<212> DNA
<213> Artificial Sequence
<220>
<223> Description of Artificial Sequence: DNA Primer
<400> 13
aagagccatg aacagcatgt aatg                                        24
<210> 14
<211> 24
<212> DNA
<213> Artificial Sequence
<220>
<223> Description of Artificial Sequence: DNA Primer
<400> 14
gaagactatg tagtgaacac cgaa                                        24
<210> 15
<211> 24
<212> DNA
<213> Artificial Sequence
<220>
<223> Description of Artificial Sequence: DNA Primer
<400> 15
atattgttgt ctggtgtcac atct                                        24
<210> 16
<211> 27
<212> DNA
<213> Artificial Sequence
<220>
<223> Description of Artificial Sequence: DNA Primer
<400> 16
cgcatttgtt tctcgaagtt ttgttgc                                     27
<210> 17
<211> 24
<212> DNA
<213> Artificial Sequence
<220>
<223> Description of Artificial Sequence: DNA Primer
<400> 17
atcttcatga ccttcttctc agac                                        24
<210> 18
<211> 22
<212> DNA
<213> Artificial Sequence
<220>
<223> Description of Artificial Sequence: DNA Primer
<400> 18
aggaagtacc tctggggctt ca                                          22
<210> 19
<211> 24
<212> DNA
<213> Artificial Sequence
<220>
<223> Description of Artificial Sequence: DNA Primer
<400> 19
gaagaggtgg atgtggatgt agtt                                        24
<210> 20
<211> 21
<212> DNA
<213> Artificial Sequence
<220>
<223> Description of Artificial Sequence: DNA Primer
<400> 20
gcagtggaga cgtttgaaat a                                           21
<210> 21
<211> 24
<212> DNA
<213> Artificial Sequence
<220>
<223> Description of Artificial Sequence: DNA Primer
<400> 21
ccagttacct gatgcatcac agtg                                        24
<210> 22
<211> 34
<212> PRT
<213> rat
<220>
<221> MOD_RES
<222> (8)
<223> Nle
<220>
<221> MOD_RES
<222> (21)
<223> Nle
<400> 22
Ala Val Ser Glu Ile Gln Leu Xaa His Asn Leu Gly Lys His Leu Ala
1               5                  10                  15
Ser Val Glu Arg Xaa Gln Trp Leu Arg Lys Lys Leu Gln Asp Val His
20                  25                  30
Asn Tyr
<210> 23
<211> 36
<212> PRT
<213> Homo sapiens
<400> 23
Ala Val Ser Glu His Gln Leu Leu His Asp Lys Gly Lys Ser Ile Gln
1               5                  10                  15
Asp Leu Arg Arg Arg Phe Phe Leu His His Leu Ile Ala Glu Ile His
20                  25                  30
Thr Ala Glu Tyr
35
<210> 24
<211> 34
<212> PRT
<213> Homo sapiens
<400> 24
Ala Val Ala Glu Ile Gln Leu Met His Asn Leu Gly Lys His Leu Asn
1               5                  10                  15
Ser Met Glu Arg Val Glu Trp Leu Arg Lys Lys Leu Gln Asp Val His
20                  25                  30
Asp Tyr
<210> 25
<211> 23
<212> DNA
<213> Artificial Sequence
<220>
<223> Description of Artificial Sequence: DNA Primer
<220>
<221> modified_base
<222> (6)
<223> i
<400> 25
ttyggngtsc aytayathgt vtt                                         23